(57)【要約】【課題】  間仕切り壁本体を案内する部材を目立たなくする。【解決手段】  天井と床に対向して水平方向に等間隔で複数のガイドピンが配設されており、ガイドピンにより立設姿勢を保ちながら直線移動が案内されるキャスター付の間仕切り壁本体６０が装備されている。天井側のガイドピンは天井寄りと下方位置の間で昇降自在で上方付勢され、床側のガイドピンは床寄りと上方位置の間で昇降自在である。間仕切り壁本体６０は天井側端部に天井側ガイドレールと、天井側のガイドピンを引き下げ天井側ガイドレールに係合したり、元に戻したりする第１、第２の天井側ガイドピン引き出し部を有し、床側端部に床側ガイドレールと、床側のガイドピンを引き上げ床側ガイドレールに係合したり、元に戻したりする第１、第２の床側ガイドピン引き出し部を有する。【選択図】        図２２
2019035291.tif 000002
【特許請求の範囲】
【請求項１】
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の下端部に係合部が形成されており、
床側ガイドピンは、床寄りで上をキャスターが通過可能な床側第１の位置と上方の床側第２の位置以上との間で昇降自在に支持されたピン部材を含み、
ピン部材の上端部に係合部が形成されており、
間仕切り壁本体は天井側端部に、
長手方向に沿って、間仕切り壁本体の長手方向の両端部を除く範囲に装備されて、１または隣接する複数の天井側ガイドピンの天井側第２の位置に在るピン部材の係合部が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、係合部を天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、
を備えるとともに床側端部に、
長手方向に沿って、間仕切り壁本体の長手方向の両端部を除く範囲に装備されて、１または隣接する複数の床側ガイドピンの床側第２の位置に在るピン部材の係合部が長手方向に摺動自在に係合可能な床側ガイドレールと、
床側ガイドレールの長手方向の両側でキャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備えたことを特徴とする可動間仕切り壁。
【請求項２】
天井側ガイドピンのピン部材は、少なくとも下端部が磁性部材または磁石または磁石付磁性部材から成り、
第１、第２の天井側ガイドピン引き出し手段は、
間仕切り壁本体の長手方向の端と天井側ガイドレールの出入り口の間に装備されて天井側ピン型ガイドのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、係合部を天井側ガイドレールの出入り口から天井側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴とする請求項１記載の可動間仕切り壁。
【請求項３】
天井側ガイドピンは、天井側第１の位置に在るとき、ピン部材の係合部と天井の間に隙間が空くようになっており、
第１、第２の天井側ガイドピン引き出し手段は、
一端側が天井側ガイドレールの出入り口に軸支され、他端側が間仕切り壁本体の長手方向の端近くへ延設されて上下回動自在であるとともに、ピン部材の係合部に摺動自在に係合可能な係合受け部を有する誘導ガイドレールと、
誘導ガイドレールの回動端側を上方へ付勢する付勢手段と、
誘導ガイドレールの回動端近くに天井に当接するように設けられて、誘導ガイドレールの係合受け部の回動端側を天井と天井側第１の位置に在るピン部材の係合部の間に位置させるガイドローラと、を備え、
天井側ガイドピンが間仕切り壁本体の長手方向の端から天井側ガイドレールの出入り口へ相対移動する間に、誘導ガイドレールを天井側第１の位置に復帰した状態にあるピン部材の係合部に係合させて天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材の係合部を誘導ガイドレールに係合させて天井側第２の位置から天井側第１の位置へ復帰させるようにしたこと、
を特徴とする請求項１記載の可動間仕切り壁。
【請求項４】
床側ガイドピンのピン部材は、
少なくとも上端部が磁性部材または磁石または磁石付磁性部材から形成されており、
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴とする請求項１乃至３の内のいずれか一項記載の可動間仕切り壁。
【請求項５】
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井から下方に突設したピン部材を含み、
床側ガイドピンは、床寄りで上をキャスターが通過可能な床側第１の位置と上方の床側第２の位置以上との間で昇降自在に支持されたピン部材を含み、
ピン部材の上端部に係合部が形成されており、
間仕切り壁本体は天井側端部に、
長手方向に沿って装備されて、１または隣接する複数の天井側ガイドピンのピン部材が長手方向に摺動自在に係合可能な天井側ガイドレールを備えるとともに、
床側端部に、
長手方向に沿って、間仕切り壁本体の長手方向の両端部を除く範囲に装備されて、１または隣接する複数の床側ガイドピンの床側第２の位置に在るピン部材の係合部が長手方向に摺動自在に係合可能な床側ガイドレールと、
床側ガイドレールの長手方向の両側に、キャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備えたことを特徴とする可動間仕切り壁。
【請求項６】
床側ガイドピンのピン部材は、
少なくとも上端部が磁性部材または磁石または磁石付磁性部材から成り、
第１、第２の床側ピン型ガイド引き出し手段は、
キャスターと床側ガイドレールの出入り口の間に装備されて床側ガイドピンのピン部材を磁力で吸引する吸引部材を含み、
この吸引部材の下面にキャスター寄りから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴とする請求項５記載の可動間仕切り壁。
【請求項７】
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井から下方に突設したピン部材を含み、
床側ガイドピンは、床寄りで上をキャスターが通過可能な床側第１の位置と上方の床側第２の位置以上との間で昇降自在に支持されたピン部材を含み、
ピン部材の少なくとも上端部が磁性部材または磁石または磁石付磁性部材により形成されており、
間仕切り壁本体は天井側端部に、
長手方向に沿って装備されて、１または隣接する複数の天井側ガイドピンのピン部材が長手方向に摺動自在に係合可能な天井側ガイドレールを備えるとともに、
床側端部に、
長手方向に沿って、間仕切り壁本体の長手方向の両端部を除く範囲に装備されて、１または隣接する複数の床側ガイドピンの床側第２の位置に在るピン部材が長手方向に摺動自在に係合可能な床側ガイドレールと、
床側ガイドレールの長手方向の両側に、キャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、床側ガイドレールの出入り口から床側ガイドレールに嵌合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備え、
床側ガイドレールは、
間仕切り壁本体の長手方向に沿って設けられて、１または隣接する複数の床側ガイドピンの床側第２の位置に在るピン部材が長手方向に摺動自在に係合可能な下に開口した係合溝部と、
係合溝部の上部に間仕切り壁本体の長手方向に沿って設けられて、係合溝部に嵌合した１または複数の床側ガイドピンのピン部材を磁力で上方へ吸引する吸引部材と、係合溝部の上部に間仕切り壁本体の長手方向に沿って配備されて、吸引部材により上方へ吸引された１または複数の床側ガイドピンのピン部材の上端に接して回転する多数のローラと、
を備えたことを特徴とする可動間仕切り壁。
【請求項８】
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴とする請求項７記載の可動間仕切り壁。
【請求項９】
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、下端側の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の下端部に係合部が形成されており、
床側ガイドピンは、床寄りで上をキャスターが通過可能な床側第１の位置と上方の床側第２の位置との間で昇降自在に支持されたピン部材と、
ピン部材を上方へ付勢する付勢手段とを含み、
間仕切り壁本体は天井側端部に、
長手方向に沿って、間仕切り壁本体の長手方向の両端部を除く範囲に装備されて、１または隣接する複数の天井側ガイドピンの天井側第２の位置に在るピン部材の係合部が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、係合部が天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ピン型ガイド引き出し手段と、を備え、
床側端部に、
長手方向に沿ったキャスター間に装備されて、１または隣接する複数の床側ガイドピンの床側第２の位置に在るピン部材が長手方向に摺動自在に係合可能な床側ガイドレールを備えたこと、
を特徴とする可動間仕切り壁。
【請求項１０】
天井側ガイドピンのピン部材は、少なくとも下端部が磁性部材または磁石または磁石付磁性部材から成り、
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、係合部を天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させるようにしたこと、
を特徴とする請求項９記載の可動間仕切り壁。
【請求項１１】
天井側ガイドピンは、天井側第１の位置に在るとき、ピン部材の係合部と天井の間に隙間が空くようになっており、
第１、第２の天井側ガイドピン引き出し手段は、
一端側が天井側ガイドレールの出入り口に軸支され、他端側が間仕切り壁本体の長手方向の端近くへ延設されて上下回動自在であるとともに、ピン部材の係合部に長手方向に摺動自在に係合可能な係合受け部を有する誘導ガイドレールと、
誘導ガイドレールの回動端側を上方へ付勢する付勢手段と、
誘導ガイドレールの回動端近くに天井に当接するように設けられて、誘導ガイドレールの係合受け部の回動端側を天井と天井側第１の位置に在るピン部材の係合部の間に位置させるガイドローラと、を備え、
天井側ガイドピンが間仕切り壁本体の長手方向の端から天井側ガイドレールの出入り口へ相対移動する間に、誘導ガイドレールを天井側第１の位置に復帰した状態にあるピン部材の係合部に係合させて天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材の係合部を誘導ガイドレールに係合させて天井側第２の位置から天井側第１の位置へ復帰させるようにしたこと、
を特徴とする請求項９記載の可動間仕切り壁。
【請求項１２】
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の少なくとも下端部が磁性部材または磁石または磁石付磁性部材により形成されており、
床側ガイドピンは、床寄りで上をキャスターが通過可能な床側第１の位置と上方の床側第２の位置以上との間で昇降自在に支持されたピン部材を含み、
ピン部材の少なくとも上端部が磁性部材または磁石または磁石付磁性部材により形成されており、
間仕切り壁本体は、天井側端部に、
長手方向に沿って、間仕切り壁本体の長手方向の両端部を除く範囲に装備されて、１または隣接する複数の天井側ガイドピンの天井側第２の位置に在るピン部材が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、天井側ガイドレールの出入り口から天井側ガイドレールに嵌合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、
を備えるとともに床側端部に、
長手方向に沿って、間仕切り壁本体の長手方向の両端部を除く範囲に装備されて、１または隣接する複数の床側ガイドピンの床側第２の位置に在るピン部材が長手方向に摺動自在に係合可能な床側ガイドレールと、
床側ガイドレールの長手方向の両側でキャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、床側ガイドレールの出入り口から床側ガイドレールに嵌合可能とし、反対に床側ガイドピンが床側ガイドレールの出入り口からキャスター位置に相対移動する間に、ピン部材を床側第２の位置から床側第１の位置へ復帰させる第１、第２の床側ピン型ガイド引き出し手段と、
を備え、更に、
天井側ガイドレールは、
間仕切り壁本体の長手方向に沿って設けられて、１または隣接する複数の天井側ガイドピンの天井側第２の位置に在るピン部材が長手方向に摺動自在に係合可能な上に開口した係合溝部と、
係合溝部の下部に間仕切り壁本体の長手方向に沿って設けられて、係合溝部に係合した１または隣接する複数の天井側ガイドピンのピン部材を磁力で下方へ吸引する吸引部材と、
係合溝部の下部に間仕切り壁本体の長手方向に沿って配備されて、吸引部材により下方へ吸引された１または隣接する複数の天井側ガイドピンのピン部材の下端に接して回転する多数のローラと、を備え、
床側ガイドレールは、
間仕切り壁本体の長手方向に沿って設けられて、１または隣接する複数の床側ガイドピンの床側第２の位置に在るピン部材が長手方向に摺動自在に係合可能な下に開口した係合溝部と、
係合溝部の上部に間仕切り壁本体の長手方向に沿って設けられて、係合溝部に係合した１または隣接する複数の床側ガイドピンのピン部材を磁力で上方へ吸引する吸引部材と、
係合溝部の上部に間仕切り壁本体の長手方向に沿って配備されて、吸引部材により上方へ吸引された１または隣接する複数の床側ガイドピンのピン部材の上端に接して回転する多数のローラと、を備えたこと、
を特徴とする可動間仕切り壁。
【請求項１３】
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させるようにしたこと、
を特徴とする請求項１２記載の可動間仕切り壁。
【請求項１４】
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、床側ガイドレールの出入り口から床側ガイドレールに嵌合可能とし、反対に床側ガイドピンが床側ガイドレールの出入り口からキャスター位置に相対移動する間に、ピン部材を床側第２の位置から床側第１の位置へ復帰させるようにしたこと、
を特徴とする請求項１２または１３記載の可動間仕切り壁。
【請求項１５】
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の下端部に係合部が形成されており、
床側ガイドピンは、床寄りで上をキャスターが通過可能な床側第１の位置と上方の床側第２の位置以上との間で昇降自在に支持されたピン部材を含み、
ピン部材の少なくとも上端部が磁性部材または磁石または磁石付磁性部材により形成されており、
間仕切り壁本体は、天井側端部に、
長手方向に沿って、間仕切り壁本体の長手方向の両端部を除く範囲に装備されて、１または隣接する複数の天井側ガイドピンの天井側第２の位置に在るピン部材が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、係合部を天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、
を備えるとともに、床側端部に、
長手方向に沿って、長手方向の両端部を除く範囲に装備されて、１または隣接する複数の床側ガイドピンの床側第２の位置に在るピン部材が長手方向に摺動自在に係合可能な床側ガイドレールと、
床側ガイドレールの長手方向の両側でキャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、床側ガイドレールの出入り口から床側ガイドレールに嵌合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備え、更に、
床側ガイドレールは、
間仕切り壁本体の長手方向に沿って設けられて、１または隣接する複数の床側ガイドピンの床側第２の位置に在るピン部材が長手方向に摺動自在に係合可能な下に開口した係合溝部と、
係合溝部の上部に間仕切り壁本体の長手方向に沿って設けられて、係合溝部に係合した１または隣接する複数の床側ガイドピンのピン部材を磁力で上方へ吸引する吸引部材と、
係合溝部の上部に間仕切り壁本体の長手方向に沿って配備されて、吸引部材により上方へ吸引された１または隣接する複数の床側ガイドピンのピン部材の上端に接して回転する多数のローラと、を備えたこと、
を特徴とする可動間仕切り壁。
【請求項１６】
天井側ガイドピンのピン部材は少なくとも下端部が磁性部材または磁石または磁石付磁性部材により形成されており、
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、係合部を天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させるようにしたこと、
を特徴とする請求項１５記載の可動間仕切り壁。
【請求項１７】
天井側ガイドピンは、天井側第１の位置に在るとき、ピン部材の係合部と天井の間に隙間が空くようになっており、
第１、第２の天井側ガイドピン引き出し手段は、
一端側が天井側ガイドレールの出入り口に軸支され、他端側が間仕切り壁本体の長手方向の端近くへ延設されて上下回動自在であるとともに、ピン部材の係合部に摺動自在に係合可能な係合受け部を有する誘導ガイドレールと、
誘導ガイドレールの回動端側を上方付勢する付勢手段と、
誘導ガイドレールの回動端近くに天井に当接するように設けられて、誘導ガイドレールの係合受け部の回動端側を天井と天井側第１の位置に在るピン部材の係合部の間に位置させるガイドローラと、を備え、
天井側ガイドピンが間仕切り壁本体の長手方向の端から天井側ガイドレールの出入り口へ相対移動する間に、誘導ガイドレールを天井側第１の位置に復帰した状態にあるピン部材の係合部に係合させて天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材の係合部を誘導ガイドレールに係合させて天井側第２の位置から天井側第１の位置へ復帰させるようにしたこと、
を特徴とする請求項１５記載の可動間仕切り壁。
【請求項１８】
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りからから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、床側ガイドレールの出入り口から床側ガイドレールに嵌合可能とし、反対に床側ガイドピンが床側ガイドレールの出入り口からキャスター位置に相対移動する間に、ピン部材を床側第２の位置から床側第１の位置へ復帰させるようにしたこと、
を特徴とする請求項１５乃至１７の内のいずれか一項記載の可動間仕切り壁。    
【請求項１９】
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の少なくとも下端部が磁性部材または磁石または磁石付磁性部材により形成されており、
床側ガイドピンは、床寄りで上をキャスターが通過可能な床側第１の位置と上方の床側第２の位置以上との間で昇降自在に支持されたピン部材を含み、
ピン部材の上端部に係合部が形成されており、
間仕切り壁本体は、天井側端部に、
長手方向に沿って、間仕切り壁本体の長手方向の両端部を除く範囲に装備されて、１または隣接する複数の天井側ガイドピンの天井側第２の位置に在るピン部材が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、天井側ガイドレールの出入り口から天井側ガイドレールに嵌合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、
を備えるとともに、床側端部に、
長手方向に沿って、間仕切り壁本体の長手方向の両端部を除く範囲に装備されて、１または隣接する複数の床側ガイドピンの床側第２の位置に在るピン部材が長手方向に摺動自在に係合可能な床側ガイドレールと、
床側ガイドレールの長手方向の両側でキャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備え、更に、
天井側ガイドレールは、
間仕切り壁本体の長手方向に沿って設けられて、１または隣接する複数の天井側ガイドピンの天井側第２の位置に在るピン部材が長手方向に摺動自在に係合可能な上に開口した係合溝部と、
係合溝部の下部に間仕切り壁本体の長手方向に沿って設けられて、係合溝部に嵌合した１または隣接する複数の天井側ガイドピンのピン部材を磁力で下方へ吸引する吸引部材と、
係合溝部の下部に間仕切り壁本体の長手方向に沿って配備されて、吸引部材により下方へ吸引された１または隣接する複数の天井側ガイドピンのピン部材の下端に接して回転する多数のローラと、を備えたこと、
を特徴とする可動間仕切り壁。
【請求項２０】
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させるようにしたこと、
を特徴とする請求項１９記載の可動間仕切り壁。
【請求項２１】
床側ガイドピンのピン部材は、
少なくとも上端部が磁性部材または磁石または磁石付磁性部材から形成されており、
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴とする請求項１９または２０記載の可動間仕切り壁。
【請求項２２】
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の少なくとも下端部が磁性部材または磁石または磁石付磁性部材により形成されており、
床側ガイドピンは、床寄りで上をキャスターが通過可能な床側第１の位置と上方の床側第２の位置との間で昇降自在に支持されたピン部材と、
ピン部材を上方へ付勢する付勢手段を含み、
間仕切り壁本体は、天井側端部に、
長手方向に沿って、間仕切り壁本体の長手方向の両端部を除く範囲に装備されて、１または隣接する複数の天井側ガイドピンの天井側第２の位置に在るピン部材が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、天井側ガイドレールの出入り口から天井側ガイドレールに係合可能とし、反対に天井側型ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、
を備えるとともに、床側端部に、
長手方向に沿ったキャスター間に装備されて、１または隣接する複数の床側ガイドピンの床側第２の位置に在るピン部材が長手方向に摺動自在に係合可能な床側ガイドレールを備え、
更に、
天井側ガイドレールは、
間仕切り壁本体の長手方向に沿って設けられて、１または隣接する複数の天井側ガイドピンの天井側第２の位置に在るピン部材が長手方向に摺動自在に係合可能な上に開口した係合溝部と、
係合溝部の下部に間仕切り壁本体の長手方向に沿って設けられて、係合溝部に係合した１または隣接する複数の天井側ガイドピンのピン部材を磁力で下方へ吸引する吸引部材と、
係合溝部の下部に間仕切り壁本体の長手方向に沿って配備されて、吸引部材により下方へ吸引された１または隣接する複数の天井側ガイドピンのピン部材の下端に接して回転する多数のローラと、を備えたこと、
を特徴とする可動間仕切り壁。
【請求項２３】
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させるようにしたこと、
を特徴とする請求項２２記載の可動間仕切り壁。
【請求項２４】
天井側ガイドピンと床側ガイドピンは、上下対向する位置に配設されており、
少なくとも一組の上下一対の天井側ガイドピンと床側ガイドピンの位置を方向変換点とし、方向変換点の上下一対の天井側ガイドピンと床側ガイドピンが間仕切り壁本体の天井側ガイドレールと床側ガイドレールの或る位置に係合したとき、他の天井側ガイドピンと床側ガイドピンが間仕切り壁本体から離間する位置に来るようにして、間仕切り壁本体を方向変換点の上下一対の天井側ガイドピンと床側ガイドピンを軸にして水平面内で回転自在としたこと、
を特徴とする請求項１乃至２３の内のいずれか一項記載の可動間仕切り壁。
【請求項２５】
前記直線上に配設された複数の天井側ガイドピンと複数の床側ガイドピンを第１のガイドピン系列とし、或る１つの方向変換点の上下一対の天井側ガイドピンと床側ガイドピンから見て、第１のガイドピン系列の配設方向とは異なる直線方向にも天井と床に水平方向に１または複数の天井側ガイドピンと１または複数の床側ガイドピンを追加して配設し、前記或る１つの方向変換点の一対の天井側ガイドピンと床側ガイドピン及びこれらと組み合わせて追加配設した１または複数の天井側ガイドピンと１または複数の床側ガイドピンを第２のガイドピン系列として、
間仕切り壁本体は長手方向が第２のガイドピン系列の方向を向いているとき、第２のガイドピン系列中の１または隣接する複数の天井側ガイドピンと１または隣接する複数の床側ガイドピンが天井側ガイドレールと床側ガイドレールに係合可能としたこと、
を特徴とする請求項２４記載の可動間仕切り壁。
【請求項２６】
天井側ガイドピンと床側ガイドピンは、上下対向する位置に等間隔で配設されており、
長手方向が天井側ガイドピンの配設方向を向いた間仕切り壁本体の長手方向中央に上下一対の天井側ガイドピンと床側ガイドピンが来たとき、隣接する天井側ガイドピンが有る場合は該隣接する天井側ガイドピンが間仕切壁本体の長手方向の端と第１、第２の天井側ガイドピン引き出し手段の間に設けられた非干渉部に来て、かつ隣接する床側ガイドピンが有る場合は該隣接する床側ガイドピンがキャスターの直下またはキャスターと間仕切り壁本体の端の間に設けられた非干渉部に来て、間仕切り壁本体の長手方向中央の天井側ガイドピンと床側ガイドピンを軸にして間仕切り壁本体を水平面内で回転自在としたこと、
を特徴とする請求項１乃至８、１２乃至２１の内のいずれか一項記載の可動間仕切り壁。
【請求項２７】
前記直線上に配設された複数の天井側ガイドピンと複数の床側ガイドピンを第１のカイドピン系列とし、第１のガイドピン系列の或る一組の上下一対の天井側ガイドピンと床側ガイドピンの位置を方向変換点とし、該方向変換点の上下一対の天井側ガイドピンと床側ガイドピンから見て、第１のカイドピン系列の配設方向とは異なる直線方向にも天井と床に水平方向に１または複数の天井側ガイドピンと１または複数の床側ガイドピンを追加して配設し、当該方向変換点の一対の天井側ガイドピンと床側ガイドピン及びこれらと組み合わせて追加配設した１または複数の天井側ガイドピンと１または複数の床側ガイドピンを第２のガイドピン系列とし、
間仕切り壁本体は長手方向が第２のガイドピン系列の方向を向いているとき、第２のガイドピン系列中の１または隣接する複数の天井側ガイドピンと１または隣接する複数の床側ガイドピンが天井側ガイドレールと床側ガイドレールに係合可能としたこと、
を特徴とする請求項２６記載の可動間仕切り壁。
【請求項２８】
第２のガイドピン系列の各天井側ガイドピンと各床側ガイドピンを上下対向して第１のガイドピン系列と同じ間隔で等間隔に配設したこと、
を特徴とする請求項２７記載の可動間仕切り壁。
【請求項２９】
天井側ガイドピンと床側ガイドピンは、上下対向する位置に等間隔で配設されており、
長手方向が天井側ガイドピンの配設方向を向いた間仕切り壁本体の長手方向中央に天井側ガイドピンと床側ガイドピンが来たとき、隣接する天井側ガイドピンが有る場合は該隣接する天井側ガイドピンは間仕切壁本体の長手方向の端と第１、第２の天井側ガイドピン引き出し手段の間に設けられた非干渉部に来て、隣接する床側ガイドピンが有る場合は該隣接する床側ガイドピンはキャスターの直下に来て、間仕切り壁本体の長手方向中央の天井側ガイドピンと床側ガイドピンを軸にして間仕切り壁本体を水平面内で回転自在としたこと、
を特徴とする請求項９乃至１１、２２、２３の内のいずれか一項記載の可動間仕切り壁。
【請求項３０】
前記直線上に配設された複数の天井側ガイドピンと複数の床側ガイドピンを第１のガイドピン系列とし、第１のガイドピン系列の或る一組の上下一対の天井側ガイドピンと床側ガイドピンの位置を方向変換点とし、該方向変換点の上下一対の天井側ガイドピンと床側ガイドピンから見て、第１のガイドピン系列の配設方向とは異なる直線方向にも天井と床に水平方向に１または複数の天井側ガイドピンと１または複数の床側ガイドピンを追加して配設し、当該方向変換点の一対の天井側ガイドピンと床側ガイドピン及びこれらと組み合わせて追加配設した１または複数の天井側ガイドピンと１または複数の床側ガイドピンを第２のガイドピン系列とし、
間仕切り壁本体は長手方向が第２のガイドピン系列の方向を向いているとき、第２のガイドピン系列中の１または隣接する複数の天井側ガイドピンと１または隣接する複数の床側ガイドピンが天井側ガイドレールと床側ガイドレールに係合可能としたこと、
を特徴とする請求項２９記載の可動間仕切り壁。
【請求項３１】
第２ガイドピン系列の各天井側ガイドピンと各床側ガイドピンを上下対向して第１のガイドピン系列と同じ間隔で等間隔に配設したこと、
を特徴とする請求項３０記載の可動間仕切り壁。
【発明の詳細な説明】
【技術分野】
【０００１】
本発明は可動間仕切り壁に係り、とくに直線的水平移動が可能な可動間仕切り壁に関する。
【背景技術】
【０００２】
直線的な水平移動が可能とした可動間仕切り壁は、天井や床に直線レールを配設し、方形の間仕切り壁本体の上下端から突設させた突起を直線レールにスライド自在に係合することで、間仕切り壁本体が立設姿勢を保って水平移動自在に案内されるようになっている。
このレール案内式の可動間仕切り壁は、天井と床に配設した直線レールが目立って室内に硬い雰囲気を与える欠点があった。
【先行技術文献】
【特許文献】
【０００３】
【特許文献１】特開２００６−２０７２２２号公報
【特許文献２】特開２００８−２９７７４２号公報
【発明の概要】
【発明が解決しようとする課題】
【０００４】
本発明は上記した従来の問題に鑑みなされたもので、可動の間仕切り壁本体を案内するために天井と床に設けられた部材が目立たない可動間仕切り壁を提供することを、その目的とする。
【課題を解決するための手段】
【０００５】
請求項１記載の発明では、
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の下端部に係合部が形成されており、
床側ガイドピンは、床寄りで上をキャスターが通過可能な床側第１の位置と上方の床側第２の位置以上との間で昇降自在に支持されたピン部材を含み、
ピン部材の上端部に係合部が形成されており、
間仕切り壁本体は天井側端部に、
長手方向に沿って、間仕切り壁本体の長手方向の両端部を除く範囲に装備されて、１または隣接する複数の天井側ガイドピンの天井側第２の位置に在るピン部材の係合部が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、係合部を天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、
を備えるとともに床側端部に、
長手方向に沿って、間仕切り壁本体の長手方向の両端部を除く範囲に装備されて、１または隣接する複数の床側ガイドピンの床側第２の位置に在るピン部材の係合部が長手方向に摺動自在に係合可能な床側ガイドレールと、
床側ガイドレールの長手方向の両側でキャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備えたことを特徴としている。
請求項２記載の発明では、
天井側ガイドピンのピン部材は、少なくとも下端部が磁性部材または磁石または磁石付磁性部材から成り、
第１、第２の天井側ガイドピン引き出し手段は、
間仕切り壁本体の長手方向の端と天井側ガイドレールの出入り口の間に装備されて天井側ピン型ガイドのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、係合部を天井側ガイドレールの出入り口から天井側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴としている。
請求項３記載の発明では、
天井側ガイドピンは、天井側第１の位置に在るとき、ピン部材の係合部と天井の間に隙間が空くようになっており、
第１、第２の天井側ガイドピン引き出し手段は、
一端側が天井側ガイドレールの出入り口に軸支され、他端側が間仕切り壁本体の長手方向の端近くへ延設されて上下回動自在であるとともに、ピン部材の係合部に摺動自在に係合可能な係合受け部を有する誘導ガイドレールと、
誘導ガイドレールの回動端側を上方へ付勢する付勢手段と、
誘導ガイドレールの回動端近くに天井に当接するように設けられて、誘導ガイドレールの係合受け部の回動端側を天井と天井側第１の位置に在るピン部材の係合部の間に位置させるガイドローラと、を備え、
天井側ガイドピンが間仕切り壁本体の長手方向の端から天井側ガイドレールの出入り口へ相対移動する間に、誘導ガイドレールを天井側第１の位置に復帰した状態にあるピン部材の係合部に係合させて天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材の係合部を誘導ガイドレールに係合させて天井側第２の位置から天井側第１の位置へ復帰させるようにしたこと、
を特徴としている。
請求項４記載の発明では、
床側ガイドピンのピン部材は、
少なくとも上端部が磁性部材または磁石または磁石付磁性部材から形成されており、
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴としている。
請求項５記載の発明では、
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井から下方に突設したピン部材を含み、
床側ガイドピンは、床寄りで上をキャスターが通過可能な床側第１の位置と上方の床側第２の位置以上との間で昇降自在に支持されたピン部材を含み、
ピン部材の上端部に係合部が形成されており、
間仕切り壁本体は天井側端部に、
長手方向に沿って装備されて、１または隣接する複数の天井側ガイドピンのピン部材が長手方向に摺動自在に係合可能な天井側ガイドレールを備えるとともに、
床側端部に、
長手方向に沿って、間仕切り壁本体の長手方向の両端部を除く範囲に装備されて、１または隣接する複数の床側ガイドピンの床側第２の位置に在るピン部材の係合部が長手方向に摺動自在に係合可能な床側ガイドレールと、
床側ガイドレールの長手方向の両側に、キャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備えたことを特徴としている。
請求項６記載の発明では、
床側ガイドピンのピン部材は、
少なくとも上端部が磁性部材または磁石または磁石付磁性部材から成り、
第１、第２の床側ピン型ガイド引き出し手段は、
キャスターと床側ガイドレールの出入り口の間に装備されて床側ガイドピンのピン部材を磁力で吸引する吸引部材を含み、
この吸引部材の下面にキャスター寄りから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴としている。
請求項７記載の発明では、
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井から下方に突設したピン部材を含み、
床側ガイドピンは、床寄りで上をキャスターが通過可能な床側第１の位置と上方の床側第２の位置以上との間で昇降自在に支持されたピン部材を含み、
ピン部材の少なくとも上端部が磁性部材または磁石または磁石付磁性部材により形成されており、
間仕切り壁本体は天井側端部に、
長手方向に沿って装備されて、１または隣接する複数の天井側ガイドピンのピン部材が長手方向に摺動自在に係合可能な天井側ガイドレールを備えるとともに、
床側端部に、
長手方向に沿って、間仕切り壁本体の長手方向の両端部を除く範囲に装備されて、１または隣接する複数の床側ガイドピンの床側第２の位置に在るピン部材が長手方向に摺動自在に係合可能な床側ガイドレールと、
床側ガイドレールの長手方向の両側に、キャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備え、
床側ガイドレールは、
間仕切り壁本体の長手方向に沿って設けられて、１または隣接する複数の床側ガイドピンの床側第２の位置に在るピン部材が長手方向に摺動自在に係合可能な下に開口した係合溝部と、
係合溝部の上部に間仕切り壁本体の長手方向に沿って設けられて、係合溝部に係合した１または複数の床側ガイドピンのピン部材を磁力で上方へ吸引する吸引部材と、係合溝部の上部に間仕切り壁本体の長手方向に沿って配備されて、吸引部材により上方へ吸引された１または複数の床側ガイドピンのピン部材の上端に接して回転する多数のローラと、
を備えたことを特徴としている。
請求項８記載の発明では、
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴としている。
請求項９記載の発明では、
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、下端側の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の下端部に係合部が形成されており、
床側ガイドピンは、床寄りで上をキャスターが通過可能な床側第１の位置と上方の床側第２の位置との間で昇降自在に支持されたピン部材と、
ピン部材を上方へ付勢する付勢手段とを含み、
間仕切り壁本体は天井側端部に、
長手方向に沿って、間仕切り壁本体の長手方向の両端部を除く範囲に装備されて、１または隣接する複数の天井側ガイドピンの天井側第２の位置に在るピン部材の係合部が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、係合部が天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ピン型ガイド引き出し手段と、を備え、
床側端部に、
長手方向に沿ったキャスター間に装備されて、１または隣接する複数の床側ガイドピンの床側第２の位置に在るピン部材が長手方向に摺動自在に係合可能な床側ガイドレールを備えたこと、
を特徴としている。
請求項１０記載の発明では、
天井側ガイドピンのピン部材は、少なくとも下端部が磁性部材または磁石または磁石付磁性部材から成り、
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、係合部を天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させるようにしたこと、
を特徴としている。
請求項１１記載の発明では、
天井側ガイドピンは、天井側第１の位置に在るとき、ピン部材の係合部と天井の間に隙間が空くようになっており、
第１、第２の天井側ガイドピン引き出し手段は、
一端側が天井側ガイドレールの出入り口に軸支され、他端側が間仕切り壁本体の長手方向の端近くへ延設されて上下回動自在であるとともに、ピン部材の係合部に長手方向に摺動自在に係合可能な係合受け部を有する誘導ガイドレールと、
誘導ガイドレールの回動端側を上方へ付勢する付勢手段と、
誘導ガイドレールの回動端近くに天井に当接するように設けられて、誘導ガイドレールの係合受け部の回動端側を天井と天井側第１の位置に在るピン部材の係合部の間に位置させるガイドローラと、を備え、
天井側ガイドピンが間仕切り壁本体の長手方向の端から天井側ガイドレールの出入り口へ相対移動する間に、誘導ガイドレールを天井側第１の位置に復帰した状態にあるピン部材の係合部に係合させて天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材の係合部を誘導ガイドレールに係合させて天井側第２の位置から天井側第１の位置へ復帰させるようにしたこと、
を特徴としている。
請求項１２記載の発明では、
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の少なくとも下端部が磁性部材または磁石または磁石付磁性部材により形成されており、
床側ガイドピンは、床寄りで上をキャスターが通過可能な床側第１の位置と上方の床側第２の位置以上との間で昇降自在に支持されたピン部材を含み、
ピン部材の少なくとも上端部が磁性部材または磁石または磁石付磁性部材により形成されており、
間仕切り壁本体は、天井側端部に、
長手方向に沿って、間仕切り壁本体の長手方向の両端部を除く範囲に装備されて、１または隣接する複数の天井側ガイドピンの天井側第２の位置に在るピン部材が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、天井側ガイドレールの出入り口から天井側ガイドレールに嵌合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、
を備えるとともに床側端部に、
長手方向に沿って、間仕切り壁本体の長手方向の両端部を除く範囲に装備されて、１または隣接する複数の床側ガイドピンの床側第２の位置に在るピン部材が長手方向に摺動自在に係合可能な床側ガイドレールと、
床側ガイドレールの長手方向の両側でキャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させる第１、第２の床側ピン型ガイド引き出し手段と、
を備え、更に、
天井側ガイドレールは、
間仕切り壁本体の長手方向に沿って設けられて、１または隣接する複数の天井側ガイドピンの天井側第２の位置に在るピン部材が長手方向に摺動自在に係合可能な上に開口した係合溝部と、
係合溝部の下部に間仕切り壁本体の長手方向に沿って設けられて、係合溝部に係合した１または隣接する複数の天井側ガイドピンのピン部材を磁力で下方へ吸引する吸引部材と、
係合溝部の下部に間仕切り壁本体の長手方向に沿って配備されて、吸引部材により下方へ吸引された１または隣接する複数の天井側ガイドピンのピン部材の下端に接して回転する多数のローラと、を備え、
床側ガイドレールは、
間仕切り壁本体の長手方向に沿って設けられて、１または隣接する複数の床側ガイドピンの床側第２の位置に在るピン部材が長手方向に摺動自在に係合可能な下に開口した係合溝部と、
係合溝部の上部に間仕切り壁本体の長手方向に沿って設けられて、係合溝部に係合した１または隣接する複数の床側ガイドピンのピン部材を磁力で上方へ吸引する吸引部材と、
係合溝部の上部に間仕切り壁本体の長手方向に沿って配備されて、吸引部材により上方へ吸引された１または隣接する複数の床側ガイドピンのピン部材の上端に接して回転する多数のローラと、を備えたこと、
を特徴としている。
請求項１３記載の発明では、
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させるようにしたこと、
を特徴としている。
請求項１４記載の発明では、
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴としている。
請求項１５記載の発明では、
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の下端部に係合部が形成されており、
床側ガイドピンは、床寄りで上をキャスターが通過可能な床側第１の位置と上方の床側第２の位置以上との間で昇降自在に支持されたピン部材を含み、
ピン部材の少なくとも上端部が磁性部材または磁石または磁石付磁性部材により形成されており、
間仕切り壁本体は、天井側端部に、
長手方向に沿って、間仕切り壁本体の長手方向の両端部を除く範囲に装備されて、１または隣接する複数の天井側ガイドピンの天井側第２の位置に在るピン部材が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、係合部を天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、
を備えるとともに、床側端部に、
長手方向に沿って、長手方向の両端部を除く範囲に装備されて、１または隣接する複数の床側ガイドピンの床側第２の位置に在るピン部材が長手方向に摺動自在に係合可能な床側ガイドレールと、
床側ガイドレールの長手方向の両側でキャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備え、更に、
床側ガイドレールは、
間仕切り壁本体の長手方向に沿って設けられて、１または隣接する複数の床側ガイドピンの床側第２の位置に在るピン部材が長手方向に摺動自在に係合可能な下に開口した係合溝部と、
係合溝部の上部に間仕切り壁本体の長手方向に沿って設けられて、係合溝部に係合した１または隣接する複数の床側ガイドピンのピン部材を磁力で上方へ吸引する吸引部材と、
係合溝部の上部に間仕切り壁本体の長手方向に沿って配備されて、吸引部材により上方へ吸引された１または隣接する複数の床側ガイドピンのピン部材の上端に接して回転する多数のローラと、を備えたこと、
を特徴としている。
請求項１６記載の発明では、
天井側ガイドピンのピン部材は少なくとも下端部が磁性部材または磁石または磁石付磁性部材により形成されており、
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、係合部を天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させるようにしたこと、
を特徴としている。
請求項１７記載の発明では、
天井側ガイドピンは、天井側第１の位置に在るとき、ピン部材の係合部と天井の間に隙間が空くようになっており、
第１、第２の天井側ガイドピン引き出し手段は、
一端側が天井側ガイドレールの出入り口に軸支され、他端側が間仕切り壁本体の長手方向の端近くへ延設されて上下回動自在であるとともに、ピン部材の係合部に摺動自在に係合可能な係合受け部を有する誘導ガイドレールと、
誘導ガイドレールの回動端側を上方付勢する付勢手段と、
誘導ガイドレールの回動端近くに天井に当接するように設けられて、誘導ガイドレールの係合受け部の回動端側を天井と天井側第１の位置に在るピン部材の係合部の間に位置させるガイドローラと、を備え、
天井側ガイドピンが間仕切り壁本体の長手方向の端から天井側ガイドレールの出入り口へ相対移動する間に、誘導ガイドレールを天井側第１の位置に復帰した状態にあるピン部材の係合部に係合させて天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材の係合部を誘導ガイドレールに係合させて天井側第２の位置から天井側第１の位置へ復帰させるようにしたこと、
を特徴としている。
請求項１８記載の発明では、
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りからから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴としている。
請求項１９記載の発明では、
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の少なくとも下端部が磁性部材または磁石または磁石付磁性部材により形成されており、
床側ガイドピンは、床寄りで上をキャスターが通過可能な床側第１の位置と上方の床側第２の位置以上との間で昇降自在に支持されたピン部材を含み、
ピン部材の上端部に係合部が形成されており、
間仕切り壁本体は、天井側端部に、
長手方向に沿って、間仕切り壁本体の長手方向の両端部を除く範囲に装備されて、１または隣接する複数の天井側ガイドピンの天井側第２の位置に在るピン部材が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、
を備えるとともに、床側端部に、
長手方向に沿って、間仕切り壁本体の長手方向の両端部を除く範囲に装備されて、１または隣接する複数の床側ガイドピンの床側第２の位置に在るピン部材が長手方向に摺動自在に係合可能な床側ガイドレールと、
床側ガイドレールの長手方向の両側でキャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備え、更に、
天井側ガイドレールは、
間仕切り壁本体の長手方向に沿って設けられて、１または隣接する複数の天井側ガイドピンの天井側第２の位置に在るピン部材が長手方向に摺動自在に係合可能な上に開口した係合溝部と、
係合溝部の下部に間仕切り壁本体の長手方向に沿って設けられて、係合溝部に係合した１または隣接する複数の天井側ガイドピンのピン部材を磁力で下方へ吸引する吸引部材と、
係合溝部の下部に間仕切り壁本体の長手方向に沿って配備されて、吸引部材により下方へ吸引された１または隣接する複数の天井側ガイドピンのピン部材の下端に接して回転する多数のローラと、を備えたこと、
を特徴としている。
請求項２０記載の発明では、
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させるようにしたこと、
を特徴としている。
請求項２１記載の発明では、
床側ガイドピンのピン部材は、
少なくとも上端部が磁性部材または磁石または磁石付磁性部材から形成されており、
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴としている。
請求項２２記載の発明では、
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の少なくとも下端部が磁性部材または磁石または磁石付磁性部材により形成されており、
床側ガイドピンは、床寄りで上をキャスターが通過可能な床側第１の位置と上方の床側第２の位置との間で昇降自在に支持されたピン部材と、
ピン部材を上方へ付勢する付勢手段を含み、
間仕切り壁本体は、天井側端部に、
長手方向に沿って、間仕切り壁本体の長手方向の両端部を除く範囲に装備されて、１または隣接する複数の天井側ガイドピンの天井側第２の位置に在るピン部材が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、天井側ガイドレールの出入り口から天井側ガイドレールに係合可能とし、反対に天井側型ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、
を備えるとともに、床側端部に、
長手方向に沿ったキャスター間に装備されて、１または隣接する複数の床側ガイドピンの床側第２の位置に在るピン部材が長手方向に摺動自在に係合可能な床側ガイドレールを備え、
更に、
天井側ガイドレールは、
間仕切り壁本体の長手方向に沿って設けられて、１または隣接する複数の天井側ガイドピンの天井側第２の位置に在るピン部材が長手方向に摺動自在に係合可能な上に開口した係合溝部と、
係合溝部の下部に間仕切り壁本体の長手方向に沿って設けられて、係合溝部に係合した１または隣接する複数の天井側ガイドピンのピン部材を磁力で下方へ吸引する吸引部材と、
係合溝部の下部に間仕切り壁本体の長手方向に沿って配備されて、吸引部材により下方へ吸引された１または隣接する複数の天井側ガイドピンのピン部材の下端に接して回転する多数のローラと、を備えたこと、
を特徴としている。
請求項２３記載の発明では、
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させるようにしたこと、
を特徴としている。
請求項２４記載の発明では、
天井側ガイドピンと床側ガイドピンは、上下対向する位置に配設されており、
少なくとも一組の上下一対の天井側ガイドピンと床側ガイドピンの位置を方向変換点とし、方向変換点の上下一対の天井側ガイドピンと床側ガイドピンが間仕切り壁本体の天井側ガイドレールと床側ガイドレールの或る位置に係合したとき、他の天井側ガイドピンと床側ガイドピンが間仕切り壁本体から離間する位置に来るようにして、間仕切り壁本体を方向変換点の上下一対の天井側ガイドピンと床側ガイドピンを軸にして水平面内で回転自在としたこと、
を特徴としている。
請求項２５記載の発明では、
前記直線上に配設された複数の天井側ガイドピンと複数の床側ガイドピンを第１のガイドピン系列とし、或る１つの方向変換点の上下一対の天井側ガイドピンと床側ガイドピンから見て、第１のガイドピン系列の配設方向とは異なる直線方向にも天井と床に水平方向に１または複数の天井側ガイドピンと１または複数の床側ガイドピンを追加して配設し、前記或る１つの方向変換点の一対の天井側ガイドピンと床側ガイドピン及びこれらと組み合わせて追加配設した１または複数の天井側ガイドピンと１または複数の床側ガイドピンを第２のガイドピン系列として、
間仕切り壁本体は長手方向が第２のガイドピン系列の方向を向いているとき、第２のガイドピン系列中の１または隣接する複数の天井側ガイドピンと１または隣接する複数の床側ガイドピンが天井側ガイドレールと床側ガイドレールに係合可能としたこと、
を特徴としている。
請求項２６記載の発明では、
天井側ガイドピンと床側ガイドピンは、上下対向する位置に等間隔で配設されており、
長手方向が天井側ガイドピンの配設方向を向いた間仕切り壁本体の長手方向中央に上下一対の天井側ガイドピンと床側ガイドピンが来たとき、隣接する天井側ガイドピンが有る場合は該隣接する天井側ガイドピンが間仕切壁本体の長手方向の端と第１、第２の天井側ガイドピン引き出し手段の間に設けられた非干渉部に来て、かつ隣接する床側ガイドピンが有る場合は該隣接する床側ガイドピンがキャスターの直下またはキャスターと間仕切り壁本体の端の間に設けられた非干渉部に来て、間仕切り壁本体の長手方向中央の天井側ガイドピンと床側ガイドピンを軸にして間仕切り壁本体を水平面内で回転自在としたこと、
を特徴としている。
請求項２７記載の発明では、
前記直線上に配設された複数の天井側ガイドピンと複数の床側ガイドピンを第１のカイドピン系列とし、第１のガイドピン系列の或る一組の上下一対の天井側ガイドピンと床側ガイドピンの位置を方向変換点とし、該方向変換点の上下一対の天井側ガイドピンと床側ガイドピンから見て、第１のカイドピン系列の配設方向とは異なる直線方向にも天井と床に水平方向に１または複数の天井側ガイドピンと１または複数の床側ガイドピンを追加して配設し、当該方向変換点の一対の天井側ガイドピンと床側ガイドピン及びこれらと組み合わせて追加配設した１または複数の天井側ガイドピンと１または複数の床側ガイドピンを第２のガイドピン系列とし、
間仕切り壁本体は長手方向が第２のガイドピン系列の方向を向いているとき、第２のガイドピン系列中の１または隣接する複数の天井側ガイドピンと１または隣接する複数の床側ガイドピンが天井側ガイドレールと床側ガイドレールに係合可能としたこと、
を特徴としている。
請求項２８記載の発明では、
第２のガイドピン系列の各天井側ガイドピンと各床側ガイドピンを上下対向して第１のガイドピン系列と同じ間隔で等間隔に配設したこと、
を特徴としている。
請求項２９記載の発明では、
天井側ガイドピンと床側ガイドピンは、上下対向する位置に等間隔で配設されており、
長手方向が天井側ガイドピンの配設方向を向いた間仕切り壁本体の長手方向中央に天井側ガイドピンと床側ガイドピンが来たとき、隣接する天井側ガイドピンが有る場合は該隣接する天井側ガイドピンは間仕切壁本体の長手方向の端と第１、第２の天井側ガイドピン引き出し手段の間に設けられた非干渉部に来て、隣接する床側ガイドピンが有る場合は該隣接する床側ガイドピンはキャスターの直下に来て、間仕切り壁本体の長手方向中央の天井側ガイドピンと床側ガイドピンを軸にして間仕切り壁本体を水平面内で回転自在としたこと、
を特徴としている。
請求項３０記載の発明では、
前記直線上に配設された複数の天井側ガイドピンと複数の床側ガイドピンを第１のガイドピン系列とし、第１のガイドピン系列の或る一組の上下一対の天井側ガイドピンと床側ガイドピンの位置を方向変換点とし、該方向変換点の上下一対の天井側ガイドピンと床側ガイドピンから見て、第１のガイドピン系列の配設方向とは異なる直線方向にも天井と床に水平方向に１または複数の天井側ガイドピンと１または複数の床側ガイドピンを追加して配設し、当該方向変換点の一対の天井側ガイドピンと床側ガイドピン及びこれらと組み合わせて追加配設した１または複数の天井側ガイドピンと１または複数の床側ガイドピンを第２のガイドピン系列とし、
間仕切り壁本体は長手方向が第２のガイドピン系列の方向を向いているとき、第２のガイドピン系列中の１または隣接する複数の天井側ガイドピンと１または隣接する複数の床側ガイドピンが天井側ガイドレールと床側ガイドレールに係合可能としたこと、
を特徴としている。
請求項３１記載の発明では、
第２のガイドピン系列の各天井側ガイドピンと各床側ガイドピンを上下対向して第１のガイドピン系列と同じ間隔で等間隔に配設したこと、
を特徴としている。
【発明の効果】
【０００６】
本発明によれば、天井側ガイドピンのピン部材または床側ガイドピンのピン部材を通常は天井寄りまたは床寄りに引き込んだ状態にし、天井側ガイドピンの配設方向に直線移動する間仕切り壁本体の長手方向の両端部が通過する際に第１、第２の天井側ピン部材引き出し手段または第１、第２の床側ピン部材引き出し手段により引き出して、天井側ガイドレールまたは床側ガイドレールと係合または嵌合させるようにしたことにより、間仕切り壁本体から離れた位置に在る天井側ガイドピンのピン部材または床側ガイドピンのピン部材を天井寄りまたは床寄りに引き込んだ状態にして目立たなくできる。
また、他の発明によれば、間仕切り壁本体を長手方向への直線移動だけでなく、水平面内での回転移動も可能とできる。
また、更に他の発明によれば、第１のガイドピン系列中の方向変換点の上下一対の天井側ガイドピンと床側ガイドピンにおいて、間仕切り壁本体を第１のガイドピン系列とは方向の異なる第２のガイドピン系列の方向へ直線移動させることもできる。
【図面の簡単な説明】
【０００７】
【図１】本発明の第１実施例に係る可動間仕切り壁の使用状態を示す説明図である（実施例１）。
【図２】図１の平面図である。
【図３】図１中の天井側ガイドピンの外観斜視図である。
【図４】天井側ガイドピンの断面図である。
【図５】天井側ガイドピンの組み立て図である。
【図６】天井側ガイドピンの動作説明図である。
【図７】図１中の床側ガイドピンの外観斜視図である。
【図８】床側ガイドピンの断面図である。
【図９】床側ガイドピンの組み立て図である。
【図１０】床側ガイドピンの動作説明図である。
【図１１】図１中の間仕切り壁本体の外観斜視図である。
【図１２】間仕切り壁本体の表面パネルを外した正面図である。
【図１３】間仕切り壁本体の平面図である。
【図１４】間仕切り壁本体の底面図である。
【図１５】図１５（ａ）、（ｂ）、（ｃ）はそれぞれ図１２の１５ａ−１５ａ’線、１５ｂ−１５ｂ’線、１５ｃ−１５ｃ’線に沿った縦断面の端面図である。
【図１６】間仕切り壁本体の右側端部を示す一部省略及び破断した斜視図である。
【図１７】間仕切り壁本体の右側上端部の組み立て図である。
【図１８】間仕切り壁本体の右側下端部の組み立て図である。
【図１９】間仕切り壁本体の回転動作の説明図である。
【図２０】可動間仕切り壁本体の回転動作の説明図である。
【図２１】間仕切り壁本体が水平移動する際の第２の天井側引き出し手段の動作説明図である。
【図２２】間仕切り壁本体が水平移動する際の第２の天井側引き出し手段の動作説明図である。
【図２３】間仕切り壁本体が水平移動する際の第２の天井側引き出し手段の動作説明図である。
【図２４】間仕切り壁本体が水平移動する際の第２の天井側引き出し手段の動作説明図である。
【図２５】間仕切り壁本体が水平移動する際の第２の床側引き出し手段の動作説明図である。
【図２６】間仕切り壁本体が水平移動する際の第２の床側引き出し手段の動作説明図である。
【図２７】間仕切り壁本体が水平移動する際の第２の床側引き出し手段の動作説明図である。
【図２８】間仕切り壁本体が水平移動する際の動作説明図である。
【図２９】間仕切り壁本体が水平移動する際の動作説明図である。
【図３０】間仕切り壁本体が水平移動する際の動作説明図である。
【図３１】間仕切り壁本体を別の空間に移動する際の動作説明図である。
【図３２】間仕切り壁本体を別の空間に移動する際の動作説明図である。
【図３３】間仕切り壁本体を別の空間に移動する際の動作説明図である。
【図３４】間仕切り壁本体を収納位置に移動する際の動作説明図である。
【図３５】間仕切り壁本体を収納位置に移動する際の動作説明図である。
【図３６】間仕切り壁本体を収納位置に移動する際の動作説明図である。
【図３７】天井側ガイドピンの変形例を示す外観斜視図である。
【図３８】図３７の天井側ガイドピンの断面図である。
【図３９】図３７の天井側ガイドピンの組み立て図である。
【図４０】図３７の天井側ガイドピンの動作説明図であり、（ａ）乃至（ｅ）は図２３の（ａ）乃至（ｅ）に対応している。
【図４１】図１の第１実施例の他の変形例に係る可動間仕切り壁の動作説明図である。
【図４２】図４１の間仕切り壁本体の右側部分の一部省略及び破断した斜視図である。
【図４３】図４３（ａ）、（ｂ）はそれぞれ図４１の４２ａ−４２ａ’線、４２ｂ−４２ｂ’線に沿った縦断面の端面図である。
【図４４】図４１の可動間仕切り壁の動作説明図である。
【図４５】本発明の第２実施例に係る間仕切り壁本体の表面パネルを外した正面図である（実施例２）。
【図４６】本発明の第２実施例に係る天井側ガイドピンの外観斜視図である。
【図４７】図４６の天井側ガイドピンの断面図である。
【図４８】図４６の天井側ガイドピンの組み立て図である。
【図４９】図４６の天井側ガイドピンの動作説明図である。
【図５０】本発明の第２実施例に係る床側ガイドピンの外観斜視図である。
【図５１】図５０の床側ガイドピンの断面図である。
【図５２】図５０の床側ガイドピンの組み立て図である。
【図５３】図５０の床側ガイドピンの動作説明図である。
【図５４】図４５の間仕切り壁本体の平面図である。
【図５５】図４５の間仕切り壁本体の底面図である。
【図５６】図４５の間仕切り壁本体の右側端部を示す一部省略及び破断した斜視図である。
【図５７】図４５の間仕切り壁本体の右側上端部の組み立て図である。
【図５８】図４５の間仕切り壁本体の右側下端部の組み立て図である。
【図５９】図４５の間仕切り壁本体の回転動作の説明図である。
【図６０】図４５の間仕切り壁本体が水平移動する際の第２の天井側引き出し手段の動作説明図である。
【図６１】図４５の間仕切り壁本体が水平移動する際の第２の天井側引き出し手段の動作説明図である。
【図６２】図４５の間仕切り壁本体が水平移動する際の第２の天井側引き出し手段の動作説明図である。
【図６３】図４５の間仕切り壁本体が水平移動する際の第２の天井側引き出し手段の動作説明図である。
【図６４】図４５の間仕切り壁本体が水平移動する際の第２の天井側引き出し手段の動作説明図である。
【図６５】図４５の間仕切り壁本体が水平移動する際の第２の床側引き出し手段の動作説明図である。
【図６６】図４５の間仕切り壁本体が水平移動する際の第２の床側引き出し手段の動作説明図である。
【図６７】図４５の間仕切り壁本体が水平移動する際の第２の床側引き出し手段の動作説明図である。
【図６８】図４５の間仕切り壁本体が水平移動する際の第２の床側引き出し手段の動作説明図である。
【図６９】図４５の間仕切り壁本体が水平移動する際の動作説明図である。
【図７０】図４５の間仕切り壁本体が水平移動する際の動作説明図である。
【図７１】本発明の第３実施例に係る間仕切り壁本体の表面パネルを外した正面図である（実施例３）。
【図７２】図７１の間仕切り壁本体の平面図である。
【図７３】図７１の間仕切り壁本体の底面図である。
【図７４】図７１の間仕切り壁本体の右側端部を示す一部省略及び破断した斜視図である。
【図７５】図７１の間仕切り壁本体の右側上端部の組み立て図である。
【図７６】図７１の間仕切り壁本体の右側下端部の組み立て図である。
【図７７】図７１の間仕切り壁本体の回転動作の説明図である。
【図７８】図７１の間仕切り壁本体が水平移動する際の第２の天井側引き出し手段の動作説明図である。
【図７９】図７１の間仕切り壁本体が水平移動する際の第２の天井側引き出し手段の動作説明図である。
【図８０】図７１の間仕切り壁本体が水平移動する際の第２の天井側引き出し手段の動作説明図である。
【図８１】図７１の間仕切り壁本体が水平移動する際の第２の天井側引き出し手段の動作説明図である。
【図８２】図７１の間仕切り壁本体が水平移動する際の第２の床側引き出し手段の動作説明図である。
【図８３】図７１の間仕切り壁本体が水平移動する際の第２の床側引き出し手段の動作説明図である。
【図８４】図７１の間仕切り壁本体が水平移動する際の第２の床側引き出し手段の動作説明図である。
【図８５】図７１の間仕切り壁本体が水平移動する際の動作説明図である。
【図８６】図７１の間仕切り壁本体が水平移動する際の動作説明図である。
【発明を実施するための最良の形態】
【０００８】
以下、本発明の最良の形態を実施例に基づき説明する。
【実施例１】
【０００９】
図１は本発明の第１実施例に係る可動間仕切り壁の使用状態を示す説明図、図２は可動間仕切り壁の設置された室内の平面図である。
図１、図２において、１は室内であり、各々直方体で前後に連接する大空間２と３、前側の大空間２の右側に連接する小空間４を有する。大空間２は方形で水平な天井５が高く、大空間３と小空間４は方形で水平な天井６、７が低い。天井６、７は同一水平面内にある。大空間３と小空間４の奥行きはＬで同一であり、大空間２、３の左右の幅は２Ｌより少しだけ狭い。大空間２の左側壁８と大空間３の左側壁９は同一の垂直面内にある。
天井６の内、手前側端部の左右方向（水平方向）に距離Ｍずつ離して直線的に４つの天井側のガイドピン１１乃至１４が配設されている。左から二番目のガイドピン１２と右端のガイドピン１４は天井６の左右方向の真ん中と右端部に設置されており、ガイドピン１３はガイドピン１２と１４の真ん中に設置されている。天井６の右端部で大空間３の右側壁１０に沿った奥行き方向の真ん中にガイドピン１５、天井７の左端部で奥行き方向の真ん中にガイドピン１６が配設されている。ガイドピン１４と１５の間隔はＭであり、ガイドピン１３と１６の間隔は約１．４Ｍである。
室内１の床１７は大空間２、３、小空間４にわたる水平な同一面であり、各天井側のガイドピン１１乃至１６に対し上下に鉛直に対向する箇所に床側のガイドピン２１乃至２６が配設されている。ガイドピン２１乃至２４は天井側のガイドピン１１乃至１４の配設された直線を含む鉛直面が床１７と交差する水平な直線上に配設されている（床１７の左右方向（水平方向）に距離Ｍずつ離して直線的に配設されている）。
【００１０】
天井側のガイドピン１１は、図３の外観図、図４の断面図、図５の組み立て図に示す如く構成されている。すなわち、外側に下向きに開口した有底円筒状の外ケース３０を有しており、この外ケース３０が天井６に埋設されて固定されている。外ケース３０の下端の開口端３１は天井面６Ａと面一となっている。外ケース３０の内側には中空で略円柱状のピン部材３２が上下動自在に遊嵌されている。ピン部材３２は下向きに開口した有底円筒状の可動ケース３３、可動ケース３３の下端の開口端３４に芯を合わせて固着された強磁性体部材からなる円盤状の蓋３５、蓋３５の上面３６に芯を合わせて接着された円柱状のネオジム磁石３７からなる。ネオジム磁石３７の外径は可動ケース３３の内径より少し小さい。可動ケース３３の高さは外ケース３０の内部の高さより少しだけ小さく形成されている。可動ケース３３の外径は外ケース３０の内径より少しだけ小さく形成されている。蓋３５の外径は外ケース３０の外径より大きく形成されている。蓋３５の内、外ケース３０の外側の円環部分が後述する天井側ガイドレールの係合受け部に対し長手方向に摺動自在に係合する係合部３８を成す。可動ケース３３の上端の底板３９の中央には透孔４０が穿設されており、外ケース３０の上端の底板４１の中央の孔４２に上端部が植設された支持棒４３が、透孔４０に遊挿されたのち可動ケース３３の中を下方へ延設されており、下端に円盤状のバネ座部材４４が固着されている。バネ座部材４４は外ケース３０の開口端３１より上方に位置している。バネ座部材４４と可動ケース３３の底板３９の間に圧縮コイルバネ４５が介装されており、可動ケース３３が常時、上方へ付勢されている。支持棒４３、バネ座部材４４、圧縮コイルバネ４５により付勢手段が構成されている。
【００１１】
可動ケース３３に圧縮コイルバネ４５以外の外力が働いていないとき、可動ケース３３は上方へ移動して蓋３５の上面３６が天井面６Ａに当接した復帰状態となる（図４参照）。この際、ネオジム磁石３７とバネ座部材４４の間に少し隙間が空き、可動ケース３３の底板３９と外ケース３０の底板４１の間に少し隙間が空くように構成されている。可動ケース３３に圧縮コイルバネ４５に抗して下向きの外力が加わると、可動ケース３３が天井面６Ａから下方に引き下げられる（図６参照）。但し、可動ケース３３の内部にバネ座部材４４があるので、可動ケース３３が外ケース３０から抜け落ちることはない。外ケース３０、可動ケース３３、支持棒４３、バネ座部材４４はプラスチック、アルミ等の非磁性部材からなる。
他の天井側のガイドピン１２、１３、・・もガイドピン１１と全く同様に構成されている。ガイドピン１６の外ケース３０の開口端３１は天井面７Ａと一致しており、蓋３５は上方復帰しているとき、天井面７Ａに当接している。
【００１２】
床側のガイドピン２１は、図７の外観図、図８の断面図、図９の組み立て図に示す如く構成されている。すなわち、外側に上向きに開口した有底円筒状の外ケース５０を有しており、この外ケース５０が床１７に埋設されて固定されている。外ケース５０の上端の開口端５１は床面１７Ａと面一となっている。外ケース５０の内側には中空で略筒状のピン部材５２が上下動自在に遊嵌されている。ピン部材５２は筒状の可動ケース５３、可動ケース５３の上側の開口端５４に芯を合わせて固着された強磁性体部材からなる円盤状の蓋５５、蓋５５の下面５６に芯を合わせて接着された円柱状のネオジム磁石５７からなる。ネオジム磁石５７の外径は可動ケース５３の内径より少し小さい。可動ケース５３の高さは外ケース５０の内部の高さより少しだけ小さく形成されている。可動ケース５３の外径は外ケース５０の内径より少しだけ小さく形成されている。蓋５５の外径は外ケース５０の外径より大きく形成されており、蓋５５の内、外ケース５０の外側の円環部分が後述する床側ガイドレールの係合受け部と長手方向に摺動自在に係合する係合部５８を成す。可動ケース５３に重力以外の外力が働いていないとき、可動ケース５３は蓋５５の下面５６が床面１７Ａに当接した復帰状態となる（図８参照）。可動ケース５３に重力に抗して上向きの外力が加わると、可動ケース５３が床面１７Ａから上方に引き上げられる（図１０参照）。
但し、後述するように可動ケース５３は外ケース５０から外れる高さまでは引き上げられることはない。外ケース５０、可動ケース５３はプラスチック、アルミ等の非磁性部材からなる。
他の床側のガイドピン２２、２３、・・もガイドピン２１と全く同様に構成されている。
【００１３】
図１に戻って、６０は天井６と床１７の間に立設姿勢で備えられた方形板状の間仕切り壁本体であり、長手方向が左右方向に向けて配設されている。間仕切り壁本体６０は天井側のガイドピン１１乃至１３と床側のガイドピン２１乃至２３により、天井６と床１７の間で立設姿勢を保ちながら水平な左右方向への直線移動が案内されたり（図２の矢印Ａ１、図２８の矢印Ａ２、Ａ３、図２９の矢印Ａ４、Ａ５、図３０の矢印Ａ４、Ａ６参照）、ガイドピン１４、１５とガイドピン２４、２５により、天井６、７と床１７の間で立設姿勢を保ちながら水平な略前後方向（奥行き方向）への直線移動が案内されたり（図３５（ｂ）の矢印Ａ９参照）、ガイドピン１４、１６とガイドピン２４、２６により、天井６、７と床１７の間で立設姿勢を保ちながら水平な略前後方向（略奥行き方向）への直線移動が案内されたり（図３４の矢印Ａ８参照）、ガイドピン１３、１６とガイドピン２３、２６により、天井６、７と床１７の間で立設姿勢を保ちながら水平な斜め前後方向への直線移動が案内されたりする（図３２（ａ）の矢印Ａ７参照）。
また、間仕切り壁本体６０は上下に対向する一対の天井側のガイドピン１１と床側のガイドピン２１、１２と２２、・・１４と２４、１６と２６を軸として、水平面内で回転移動可能である（図２の矢印Ｂ１、図１９（ｂ）の矢印Ｂ１、図２０（ｂ）の矢印Ｂ２、図３１（ｂ）の矢印Ｂ３、図３２（ｂ）の矢印Ｂ４、図３３（ｂ）の矢印Ｂ５、図３４（ａ）の矢印Ｂ６、図３５（ａ）の矢印Ｂ７参照）。上下に対向する一対の天井側のガイドピン１１と床側のガイドピン２１、１２と２２、１３と２３、１４と２４、１６と２６の位置は各々、間仕切り壁本体６０の向きを変える方向変換点を成す。
【００１４】
ここで、上下一対の天井側のガイドピン１３と床側のガイドピン２３の位置の方向変換点に着目すると、上下一対の天井側のガイドピン１６と床側のガイドピン２６は、天井側のガイドピン１１乃至１４、床側のガイドピン２１乃至２４の配設方向とは異なる方向に存在するが、間仕切り壁本体６０の長手方向が天井側のガイドピン１１乃至１４を結ぶ直線方向（床側のガイドピン２１乃至２４を結ぶ直線方向）を向いているとき、上下一対の天井側のガイドピン１１と床側のガイドピン２１、１２と２２、１３と２３の内の一組または二組が後述する天井側ガイドレール（図１３の符号８０参照）と床側ガイドレール（図１４の符号１３０参照）に係合して直線移動可能となっている（図２の矢印Ａ１、図２８の矢印Ａ２、Ａ３、図２９の矢印Ａ４、Ａ５、図３０の矢印Ａ４、Ａ６参照）。また間仕切り壁本体６０の長手方向が天井側のガイドピン１３と１６を結ぶ直線方向（床側のガイドピン２３と２６を結ぶ直線方向）を向いているとき、上下一対の天井側のガイドピン１３と床側のガイドピン２３、１６と２６の内の一組または二組に係合して直線移動可能となっている（図３２（ａ）の矢印Ａ７参照）。上下一対の天井側のガイドピン１３と床側のガイドピン２３の位置の方向変換点に対し、該方向変換点から進行可能な２つの異なる直線方向のガイドピン系列を第１、第２のガイドピン系列とする。例えば、天井側のガイドピン１１乃至１４、床側のガイドピン２１乃至２４を第１のガイドピン系列、天井側のガイドピン１３と１６、床側のガイドピン２３と２６を第２のガイドピン系列とする（逆に、天井側のガイドピン１３と１６、床側のガイドピン２３と２６を第１のガイドピン系列、天井側のガイドピン１１乃至１４、床側のガイドピン２１乃至２４を第２のガイドピン系列としても良い）。
【００１５】
また、上下一対の天井側のガイドピン１４と床側のガイドピン２４の位置の方向変換点に着目すると、上下一対の天井側のガイドピン１６と床側のガイドピン２６は、天井側のガイドピン１４と１５、床側のガイドピン２４と２５の配設方向とは異なる方向に存在するが、間仕切り壁本体６０の長手方向が天井側のガイドピン１４と１５を結ぶ直線方向（床側のガイドピン２４と２５を結ぶ直線方向）を向いているとき、上下一対の天井側のガイドピン１４と床側のガイドピン２４、１５と２５の内の一組または二組に係合して直線移動可能となっている（図３５（ｂ）の符号Ａ９参照）。また間仕切り壁本体６０の長手方向が天井側のガイドピン１４と１６を結ぶ直線方向（床側のガイドピン２４と２６を結ぶ直線方向）を向いているとき、上下一対の天井側のガイドピン１４と床側のガイドピン２４、１６と２６の内の一組または二組に係合して直線移動可能となっている（図３４（ｂ）の符号Ａ８参照）。上下一対の天井側のガイドピン１４と床側のガイドピン２４の位置の方向変換点に対し、該方向変換点から進行可能な２つの異なる直線方向のガイドピン系列を第１、第２のガイドピン系列とする。例えば、天井側のガイドピン１４と１５、床側のガイドピン２４と２５を第１のガイドピン系列、天井側のガイドピン１４と１６、床側のガイドピン２４と２６を第２のガイドピン系列とする（逆に、天井側のガイドピン１４と１６、床側のガイドピン２４と２６を第１のガイドピン系列、天井側のガイドピン１４と１５、床側のガイドピン２４と２５を第２のガイドピン系列としても良い）。
【００１６】
また、上下一対の天井側のガイドピン１６と床側のガイドピン２６の位置の方向変換点に着目すると、天井側のガイドピン１６と１３、床側のガイドピン２６と１３の配設方向と、天井側のガイドピン１６と１４、床側のガイドピン２６と１４の配設方向は異なる方向に存在するが、間仕切り壁本体６０の長手方向が天井側のガイドピン１６と１３を結ぶ直線方向（床側のガイドピン２６と２３を結ぶ直線方向）を向いているとき、上下一対の天井側のガイドピン１６と床側のガイドピン２６、１３と２３の内の一組または二組に係合して直線移動可能となっている（図３２（ａ）の符号Ａ７参照）。また間仕切り壁本体６０の長手方向が天井側のガイドピン１６と１４を結ぶ直線方向（床側のガイドピン２６と２４を結ぶ直線方向）を向いているとき、上下一対の天井側のガイドピン１６と床側のガイドピン２６、１４と２４の内の一組または二組に係合して直線移動可能となっている（図３４（ｂ）の符号Ａ８参照）。上下一対の天井側のガイドピン１６と床側のガイドピン２６の位置の方向変換点に対し、該方向変換点から進行可能な２つの異なる直線方向のガイドピン系列を第１、第２のガイドピン系列とする。例えば、天井側のガイドピン１６と１３、床側のガイドピン２６と２３を第１のガイドピン系列、天井側のガイドピン１６と１４、床側のガイドピン２６と２４を第２のガイドピン系列とする（逆に、天井側のガイドピン１６と１４、床側のガイドピン２６と２４を第１のガイドピン系列、天井側のガイドピン１６と１３、床側のガイドピン２６と２３を第２のガイドピン系列としても良い）。
なお、第１のガイドピン系列の上下一対の天井側と床側のガイドピンの組数、第２のガイドピン系列の上下一対の天井側と床側のガイドピンの組数は種々に変えることができる。また、第１のガイドピン系列と第２のガイドピン系列が十字状または×字状に交差するように配設しても良い。また、第１のガイドピン系列と第２のガイドピン系列の成す角度も任意である。
【００１７】
間仕切り壁本体６０は長手方向の横幅がＬに形成されており、上下方向の縦幅が床１７から天井６、７までの高さより少しだけ小さく形成されている。間仕切り壁本体６０の下端部の長手方向の左右両端部には床１７に接するキャスター（図１２の符号１５０参照）が装着されており、間仕切り壁本体６０が床１７の上を円滑に移動可能になっている。
【００１８】
間仕切り壁本体６０は、図１１乃至図１８に示す如く、全体が方形で四マスの格子形に形成された枠体６１、枠体６１の正面側と背面側に装着された方形の正面パネル６２と背面パネル６３、枠体６１の長手方向の一端側である左側面と他端側である右側面に装着された側面パネル６４、６５を備えている。側面パネル６４、６５の内、高さ方向の中央より少し下側の位置に、側面パネル６４、６５と枠体６１を貫通して装着された取っ手６６、６７が設けられている。
【００１９】
枠体６１の上面６８には左右方向に細長く延びた、平面視が方形枠状のガイドレール支持部材７０が装着されている。ガイドレール支持部材７０は平面的に見た外形を成す四角形が枠体６１の上面６８の成す四角形と同形であり、上面６８に重ね合わせるようにして装着されている。ガイドレール支持部材７０は、左右端部を除く範囲の対向する前側と後ろ側（間仕切り壁本体６０の正面側と背面側）に、左右方向に延びた内壁部７１Ａと７１Ｂが平行かつ間隔が狭く形成されている。ガイドレール支持部材７０の左端部の内、間仕切り壁本体６０の左端寄りは前後に対向する内壁部７２Ａ、７２Ｂが並行かつ間隔が広く形成されている。内壁部７１Ａと７２Ａの間は斜行内壁部７３Ａとなっており、内壁部７１Ｂと７２Ｂの間は斜行内壁部７３Ｂとなっており、斜行内壁部７３Ａと７３Ｂの間隔は、間仕切り壁本体６０の左端に向かって次第に広くなっている。ガイドレール支持部材７０の右端部の内、間仕切り壁本体６０の右端寄りは前後に対向する内壁部７４Ａ、７４Ｂが並行かつ間隔が広く形成されている。内壁部７１Ａと７４Ａの間は斜行内壁部７５Ａとなっており、内壁部７１Ｂと７４Ｂの間は斜行内壁部７５Ｂとなっており、斜行内壁部７５Ａと７５Ｂの間隔は、間仕切り壁本体６０の右端に向かって次第に広くなっている。
【００２０】
ガイドレール支持部材７０の内壁部７１Ａ、７１Ｂの上端部には左右方向の全長にわたって、天井側ガイドレール８０が天井面６Ａと平行に装着されている。天井側ガイドレール８０は断面が逆Ｌ字形の２本のガイドレール部材８１、８２から成る。ガイドレール部材８１、８２は対向して内壁部７１Ａ、７１Ｂの同じ高さに平行に配置されている。ガイドレール部材８１、８２の垂直部８３、８４がガイドレール支持部材７０の内壁部７１Ａ、７１Ｂに固着されており、水平部８５、８６が間隔Ｎの隙間を空けて対向配置されている（図１３、図２１（ｂ）参照）。水平部８５、８６の上面８７、８８とガイドレール支持部材７０の上面８９は面一で、天井面６Ａと平行かつ天井面６Ａより間隔Ｐだけ下の同一水平面内にある（図１５（ａ）参照）。水平部８５、８６の下面９０、９１は上面８７、８８より材料の厚み分だけ下の同一水平面内にある。水平部８５、８６の長手方向の左右端部には左右端縁である出入り口９２、９３に向けて次第に間隔が広くなるように斜めに切除された切除部９４と９５、９６と９７が形成されている。水平部８５、８６の下面９０、９１はガイドピン１１、１２、・・の内、ピン部材３２の蓋３５の係合部３８に係合する係合受け部として機能する。垂直部８３、８４の間隔をＲとすると、可動ケース３３の外径はＮより少しだけ小さく、蓋３５の外径はＮより大きくＲより小さく形成されている（図１５（ａ）参照）。
【００２１】
枠体６１の上面６８の内、ガイドレール支持部材７０の左端部と右端部には、天井側のガイドピン１１、１２、・・のピン部材３２を引き出し、天井側ガイドレール８０の係合受け部に係合させるための第１、第２の天井側引き出し部９８、９９が備えられている。この内、第２の天井側引き出し部９９について図１２、図１３、図１５、図１６、図１７を参照して説明する。
枠体６１の上面６８の内、ガイドレール支持部材７０の右端部の内壁部７４Ａと７４Ｂの間には、間仕切り壁本体６０の右端側から、直方体形のスペーサ１００と四角錘台形のネオジム磁石１０１が並べて装着されており、内壁部７５Ａと７５Ｂの間には直方体形のネオジム磁石１０２が装着されている。スペーサ１００の上面１０３はガイドレール支持部材７０の上面８９と面一に形成されている。ネオジム磁石１０１と１０２の間仕切り壁本体６０の前後方向の幅Ｄは同一寸法であり（図２１（ａ）参照）、ガイドレール部材８１、８２の垂直部８３、８４の間隔Ｒと略同じ寸法に形成されており、間仕切り壁本体６０の前後方向に見た設置位置が丁度、ガイドレール部材８１、８２の垂直部８３、８４の間に来るように前後方向の位置を揃えて左右に直線的に並置されている。ネオジム磁石１０２の上面１０４はガイドレール部材８１、８２の水平部８５、８６の下面９０、９１より低く、上面１０４にピン部材３２の蓋３５の下面４６が磁着したとき、蓋３５の上面３６と水平部８５、８６の下面９０、９１を含む水平面との間に少し隙間が空くようになっている。
【００２２】
ネオジム磁石１０２の左側端面１０５は天井側ガイドレール８０の右側の出入り口９３の位置と一致している。ネオジム磁石１０１の傾斜部としての上面１０６はスペーサ１００の側からネオジム磁石１０２に向かって斜め下方に傾斜している。ネオジム磁石１０１の上面１０６の右端はスペーサ１００の上面１０３と一致しており、左端はネオジム磁石１０２の上面１０４と一致している。ここで各ガイドピン１１、１２、・・のピン部材３２の上下方向の位置につき、ピン部材３２に外力が働いておらず、圧縮コイルバネ４５により蓋３５の上面３６が天井面６Ａに当接した位置を天井側第１の位置とし、ピン部材３２に外力が加わって下方に下がり、蓋３５の上面３６がガイドレール８０の水平部８５、８６の下面９０、９１に係合した位置を天井側第２の位置とする。蓋３５の下面４６がネオジム磁石１０２の上面１０４に磁着したときのピン部材３２の位置は天井側第２の位置より少し低く、ピン部材３２が外ケース３０に対し移動可能な最大下限位置より高く設定されている。ピン部材３２は蓋３５の上面３６が天井面６Ａに当接する上方位置と蓋３５の下面４６がネオジム磁石１０２の上面１０４に磁着する下方位置との間で昇降自在に装備されている。
【００２３】
ネオジム磁石１０１、１０２は、第２の天井側引き出し部９９を構成し、間仕切り壁本体６０が左右方向へ移動する際に、進行方向前方にあるガイドピン１２、１３、・・のピン部材３２の蓋３５を磁力で吸引し、ピン部材３２を圧縮コイルバネ４５による上方復帰力に抗して天井６から引き下げて上面１０６、１０４に磁着させ、傾斜面に従い天井側第２の位置以下に下降させながら天井側ガイドレール８０の出入り口９３に誘導し、蓋３５の係合部３８を水平部８５、８６の下面９０、９１に係合させたり、水平部８５、８６と係合状態にあったピン部材３２の蓋３５が出入り口９３から脱出するときにネオジム磁石１０２、１０１の上面１０４、１０６に沿って上方へ復帰案内する機能を有する。
第１の引き出し部９８は第２の天井側引き出し部９９に対し、左右対称に形成されている。
【００２４】
枠体６１の下面６９には左右方向に細長く延びた平面視が方形枠状のガイドレール支持部材１２０が装着されている。ガイドレール支持部材１２０は７０と同形に形成されている。すなわち、ガイドレール支持部材１２０は平面的に見た外形を成す四角形が枠体６１の下面６９の成す四角形と同形であり、下面６９に重ね合わせるようにして装着されている。ガイドレール支持部材１２０は、左右端部を除く範囲の対向する前側と後ろ側（間仕切り壁本体６０の正面側と背面側）に、左右方向に延びた内壁部１２１Ａと１２１Ｂが平行かつ間隔が狭く形成されている。ガイドレール支持部材１２０の左端部の内、間仕切り壁本体６０の左端寄りは前後に対向する内壁部１２２Ａ、１２２Ｂが並行かつ間隔が広く形成されている。内壁部１２１Ａと１２２Ａの間は斜行内壁部１２３Ａとなっており、内壁部１２１Ｂと１２２Ｂの間は斜行内壁部１２３Ｂとなっており、斜行内壁部１２３Ａと１２３Ｂの間隔は、間仕切り壁本体６０の左端に向かって次第に広くなっている。ガイドレール支持部材１２０の右端部の内、間仕切り壁本体６０の右端寄りは前後に対向する内壁部１２４Ａ、１２４Ｂが並行かつ間隔が広く形成されている。内壁部１２１Ａと１２４Ａの間は斜行内壁部１２５Ａとなっており、内壁部１２１Ｂと１２４Ｂの間は斜行内壁部１２５Ｂとなっており、斜行内壁部１２５Ａと１２５Ｂの間隔は、間仕切り壁本体６０の右端に向かって次第に広くなっている。
【００２５】
ガイドレール支持部材１２０の内壁部１２１Ａ、１２１Ｂの下端部には左右方向の全長にわたって、床側ガイドレール１３０が床面１７Ａと平行に装着されている。床側ガイドレール１３０は断面がＬ字形の２本のガイドレール部材１３１、１３２から成る。ガイドレール部材１３１、１３２は対向して内壁部１２１Ａ、１２１Ｂの同じ高さに平行に配置されている。ガイドレール部材１３１、１３２の垂直部１３３、１３４がガイドレール支持部材１２０の内壁部１２１Ａ、１２１Ｂに固着されており、水平部１３５、１３６が間隔Ｎの隙間を空けて対向配置されている（図１４、図２５（ｂ）参照）。水平部１３５、１３６の下面１３７、１３８とガイドレール支持部材１２０の下面１３９は面一で、床面１７Ａと平行かつ床面１７Ａより間隔Ｑだけ上の同一水平面内にある（図１５（ａ）参照）。水平部１３５、１３６の上面１４０、１４１は下面１３７、１３８より材料の厚み分だけ上の同一の水平面内にある。水平部１３５、１３６の長手方向の左右端部には左右端縁である出入り口１４２、１４３に向けて次第に間隔が広くなるように斜めに切除された切除部１４４と１４５、１４６と１４７が形成されている。水平部１３５、１３６の上面１４０、１４１はガイドピン２１、２２、・・の内、ピン部材５２の蓋５５の係合部５８に係合する係合受け部として機能する。垂直部１３３、１３４の間隔はＲであり、可動ケース５３の外径はＮより少しだけ小さく、蓋５５の外径はＮより大きくＲより小さく形成されている（図１５（ａ）参照）。
【００２６】
枠体６１の下面６９の内、ガイドレール支持部材１２０の左端部と右端部には、床側のガイドピン２１、２２、・・のピン部材５２を引き出し、床側ガイドレール１３０に係合させるための第１、第２の床側引き出し部１４８、１４９が備えられている。この内、第２の床側引き出し部１４９について図１２、図１４、図１５、図１６、図１８を参照して説明する。
【００２７】
枠体６１の下面６９の内、ガイドレール支持部材１２０の右端部の内壁部１２４Ａと１２４Ｂの間には、間仕切り壁本体６０の右側から、キャスター１５０と四角錘台形のネオジム磁石１５１が並べて装着されており、斜行内壁部１２５Ａと１２５Ｂの間には直方体形のネオジム磁石１５２が装着されている。キャスター１５０の下端はガイドレール支持部材１２０の下面１３９より、距離Ｑだけ下方に出ている。ネオジム磁石１５１と１５２の間仕切り壁本体６０の前後方向の幅Ｄは同一寸法であり（図２５（ａ）参照）、ガイドレール部材１３１、１３２の垂直部１３３、１３４の間隔Ｒと略同じ寸法に形成されており（図１５（ａ）参照）、間仕切り壁本体６０の前後方向に見た設置位置が丁度、ガイドレール部材１３１、１３２の垂直部１３３、１３４の間に来るように前後方向の位置を揃えて左右に直線的に並置されている。ネオジム磁石１５２の下面１５４はガイドレール部材１３１、１３２の水平部１３５、１３６の上面１４０、１４１より高く、下面１５４にピン部材５２の蓋５５の上面５９が磁着したとき、蓋５５の下面５６と水平部１３５、１３６の上面１４０、１４１を含む水平面との間に少し隙間が空くようになっている。
【００２８】
ネオジム磁石１５２の左側端面１５５は床側ガイドレール１３０の右側の出入り口１４３の位置と一致している。ネオジム磁石１５１の傾斜部としての下面１５６はキャスター１５０の側からネオジム磁石１５２に向かって斜め上方に傾斜している。ネオジム磁石１５１の下面１５６の右端はガイドレール支持部材１２０の下面１３９と一致しており、左端はネオジム磁石１５２の下面１５４と一致している。ここで各ガイドピン２１、２２、・・のピン部材５２の上下方向の位置につき、ピン部材５２が自重で蓋５５の下面５６が床面１７Ａに当接したときの位置を床側第１の位置とし、ピン部材５２が上方に上がり、蓋５５の下面５６がガイドレール１３０の水平部１３５、１３６の上面１４０、１４１に係合したときの位置を床側第２の位置とする。蓋５５の上面５９がネオジム磁石１５２の上面１５４に磁着したときのピン部材５２の位置は床側第２の位置より少し高く、ピン部材５２が外ケース５０に対し移動可能な最大上限位置よりは低く設定されている。ピン部材５２は蓋５５の下面５６が床面１７Ａに当接する下方位置と蓋５５の上面５９がネオジム磁石１５２の上面１５４に磁着する上方位置との間で昇降自在に装備されている。
【００２９】
ネオジム磁石１５１、１５２は間仕切り壁本体６０が左右方向へ移動する際に、進行方向前方にあるガイドピン２１、２２、・・のピン部材５２の蓋５５を磁力で吸引し、ピン部材５２を自重に抗して床１７から引き上げて下面１５６、１５４に磁着させ、傾斜面に従い床側第２の位置以上に上昇させながら床側ガイドレール１３０の出入り口１４３に誘導し、蓋５５の係合部５８を水平部１３５、１３６の上面１４０、１４１に係合させたり、水平部１３５、１３６に係合状態にあったピン部材５２が出入り口１４３から脱出するときにネオジム磁石１５２、１５１の下面１５４、１５６に沿って下方へ復帰案内する機能を有する。
第１の床側引き出し部１４８は第２の床側引き出し部１４９に対し、左右対称に形成されている。
【００３０】
天井側のガイドレール支持部材７０、天井側ガイドレール８０、スペーサ１００、第１、第２の天井側引き出し部９８、９９、床側のガイドレール支持部材１２０、床側ガイドレール１３０、第１、第２の床側引き出し部１４８、１４９は、間仕切り壁本体６０の前後方向の真ん中を通り左右上下に広がった鉛直面に対し前後対称に形成されているとともに、間仕切り壁本体６０の左右方向の真ん中を通り、前後上下に広がった鉛直面に対し左右対称に形成されている。
天井側のガイドレール支持部材７０、天井側ガイドレール８０、第１、第２の天井側引き出し部９８、９９と、床側のガイドレール支持部材１２０、床側ガイドレール１３０、第１、第２の床側引き出し部１４８、１４９は、間仕切り壁本体６０の上下方向の真ん中を通り、前後左右に広がった水平面に対し上下対称に形成されている。
間仕切り壁本体６の下端部の左右のキャスター１５０は各々、上端部の左右のスペーサ１００の直下に設けられている。
正面パネル６２、背面パネル６３、側面パネル６４、６５は上下方向の長さがガイドレール支持部材７０の上端からガイドレール支持部材１２０の下端までと同じ長さに形成されており、上端縁がガイドレール支持部材７０の上端と一致し、下端縁がガイドレール支持部材１２０の下端と一致するように枠体６１及びガイドレール支持部材７０、１２０に装着されている。
【００３１】
間仕切り壁本体６０の天井側端部の長手方向の左端と第１の天井側引き出し部９８の間、間仕切り壁本体６０の天井側端部の長手方向の右端と第２の天井側引き出し部９９の間は、天井側第１の位置に復帰したガイドピン１１、１２、・・のピン部材３２と干渉しないように形成されている。同様に、間仕切り壁本体６０の床側端部の長手方向の左端と第１の床側引き出し部１４８の間、間仕切り壁本体６０の床側端部の長手方向の右端と第２の床側引き出し部１４９の間は、床側第１の位置に復帰したガイドピン２１、２２、・・のピン部材５２と干渉しないように形成されている。間仕切り壁本体６０の長手方向の長さＬは天井側のガイドピン１１乃至１４、床側のガイドピン２１乃至２４の間隔Ｍの２倍より少しだけ長く、間仕切り壁本体６０の長手方向が左右方向（ガイドピン１１乃至１４を結んだ直線方向）と一致した向きで、間仕切り壁本体６０の長手方向の中央に上下一対のガイドピン１１と２１（または１２と２２、または１３と２３）が来たとき、隣接する一対のガイドピン１２と２２（または１１と２１、１３と２３、または１２と２２、１４と２４）は、スペーサ１００とキャスター１５０の位置に来て天井側第１の位置と床側第１の位置に復帰するようになっている。従って、間仕切り壁本体６０の長手方向の中央に位置している天井側のガイドピンのピン部材３２が天井側ガイドレール８０に係合し、床側のガイドピンのピン部材５２が床側ガイドレール１３０に係合した状態にあれば、これらのピン部材３２、５２を軸にして、長手方向が左右方向を向いていた間仕切り壁本体６０を水平面内で回転可能である（図２のＢ１、図１９（ｂ）のＢ１、図２０（ｂ）のＢ２、図３１（ｂ）のＢ３参照）。
また、上下一対のガイドピン１４と２４（または１６と２６）だけのピン部材３２と５２が、天井側ガイドレール８０の途中と床側ガイドレール１３０の途中に係合した状態にあり、他のいずれの上下一対のガイドピンも間仕切り壁本体６０から離間しているときも、これらのピン部材３２、５２を軸にして、間仕切り壁本体６０を水平面内で回転可能である（図３１（ａ）、（ｂ）のＢ３、図３２（ｂ）のＢ４、図３３（ｂ）のＢ５参照、図３４（ａ）のＢ６参照、図３５（ａ）のＢ７参照）。
【００３２】
また、天井側ガイドレール８０と床側ガイドレール１３０の長さはＭより長く形成されており、間仕切り壁本体６０の長手方向がガイドピン１１乃至１４を結んだ直線方向と一致した向きにあるとき、間仕切り壁本体６０の天井側ガイドレール８０と床側ガイドレール１３０にガイドピン１１と２１、１２と２２、１３と２３のピン部材３２と５２の内、上下１対または２対が係合した状態で、左右方向に直線移動可能となっている（図２８乃至図３０のＡ２乃至Ａ５参照）。
また、間仕切り壁本体６０の長手方向がガイドピン１４と１５を結んだ直線方向と一致した向きにあるとき、間仕切り壁本体６０の天井側ガイドレール８０と床側ガイドレール１３０にガイドピン１４と２４、１５と２５のピン部材３２と５２の内、上下１対または上下２対が係合した状態で、前後方向に直線移動可能となっている（図３５（ｂ）のＡ９参照）。
また、間仕切り壁本体６０の長手方向がガイドピン１３と１６を結んだ直線方向と一致した向きにあるとき、間仕切り壁本体６０の天井側ガイドレール８０と床側ガイドレール１３０にガイドピン１３と２３、１６と２６のピン部材３２と５２の内、上下１対または上下２対が係合した状態で、斜め前後方向に直線移動可能となっている（図３２のＡ７参照）。
また、間仕切り壁本体６０の長手方向がガイドピン１４と１６を結んだ直線方向と一致した向きにあるとき、間仕切り壁本体６０の天井側ガイドレール８０と床側ガイドレール１３０にガイドピン１４とガイドピン２４、１６と２６のピン部材３２と５２の内、上下１対または上下２対が係合した状態で、ほぼ前後方向に直線移動可能となっている（図３４（ｂ）のＡ８参照）。
【００３３】
次に上記した実施例の作用を図１９乃至図３６を参照して説明する。
予め、図１に示す如く間仕切り壁本体６０が正面パネル６２を前向きにして大空間３の前側端縁の左側壁９寄りに有り、長手方向がガイドピン１１乃至１４の成す直線方向を向いており、天井側ガイドレール８０の長手方向の中央の水平部８５、８６の下面９０、９１に、ガイドピン１１のピン部材３２の蓋３５の上面３６の係合部３８が当接して係合し、床側ガイドレール１３０の長手方向の中央の水平部１３５、１３６の上面１４０、１４１にガイドピン２１のピン部材５２の蓋５５の下面５６の係合部５８が当接して係合し、間仕切り壁本体６０が立設姿勢にあるものとする（図１９（ａ）参照）。
この際、隣接する天井側のガイドピン１２のピン部材３２はスペーサ１１０の真上の位置で圧縮コイルバネ４５により天井側第１の位置に上方復帰しており、蓋３５が天井面６Ａに当接している。他のガイドピン１３乃至１６も同様に上方復帰しており、目立たなくなっている。また、床側のガイドピン２２のピン部材５２はキャスター１５０の真下に来て床側第１の位置に下方復帰しており、蓋５５が床面１７Ａに当接している。他の床側のガイドピン２３乃至２６も下方に復帰し、蓋５５が床面１７Ａに当接しており、目立たなくなっている。
【００３４】
間仕切り壁本体６０が長手方向をガイドピン１１乃至１４の成す直線方向に向け、大空間３の前側端縁の左寄りに有るとき、天井側ガイドレール８０と床側ガイドレール１３０の長手方向の中央だけに上下１対のガイドピン１１のピン部材３２とガイドピン２１のピン部材５２が係合しており、右隣りのガイドピン１２のピン部材３２はスペーサ１１０の上方に復帰しており（図１９（ａ）、図２１（ａ）、図２２（ａ）、図２３（ａ）参照）、ガイドピン２２のピン部材５２はキャスター１５０の下に位置しており、間仕切り壁本体６０の右端部は右方向と前後方向に移動可能であり、左端部は前後方向に移動可能である（図１９（ａ）、図２５（ａ）、図２６（ａ）、図２７（ａ）参照）。
【００３５】
（１）水平面内での回転移動
間仕切り壁本体６０の長手方向の中央に方向変換点である上下一対の天井側のガイドピン１１と床側のガイドピン２１が来ているとき、間仕切り壁本体６０はガイドピン１１、２１を軸にして水平面内で回転自在である。
ユーザが間仕切り壁本体６０の向きを前後方向に変えたい場合、例えば、正面パネル６２の左側を後方へ押すと、間仕切り壁本体６０はキャスター１５０、１５０によりガイドピン１１のピン部材３２とガイドピン２１のピン部材５２を軸として、平面視で時計回りに円滑に回転する（図２の矢印Ｂ１、図１９（ｂ）の矢印Ｂ１、図２０（ｂ）の矢印Ｂ２参照）。従って、間仕切り壁本体６０の長手方向を立設姿勢のまま前後方向に向け、左側を前後に通過可能としたり（図２０（ａ）参照）、１８０度回転させて表裏反対向きとすることもできる。
【００３６】
（２）左右方向への直線移動
これと異なり、間仕切り壁本体６０が正面パネル６２を手前向きにして大空間３の前側端縁の左寄りに有り、長手方向がガイドピン１１乃至１４の成す直線方向を向いた状態から右寄りの状態に変えたい場合、取っ手６７に指を掛け、右方へ引く。間仕切り壁本体６０はキャスター１５０、１５０により円滑に右方へ移動する。
最初、第２の天井側引き出し部９９のネオジム磁石１０１がガイドピン１２のピン部材３２の蓋３５が直下に来たところで、ネオジム磁石３７及び蓋３５との間に働く磁力で蓋３５が圧縮コイルバネ４５の上方付勢力にに抗して引き下げられて上面１０６に磁着し（図２１（ｂ）、図２２（ｂ）、図２３（ｂ）、図２８（ａ）参照）、傾斜面に沿って下降し（図２１（ｃ）、図２２（ｃ）、図２３（ｃ）参照）、更に隣接するネオジム磁石１０２の上面１０４に磁着し、ピン部材３２が天井側第２の位置以下に引き下げられる。その状態で天井側ガイドレール８０の出入り口９３が接近する（図２１（ｄ）、図２２（ｄ）、図２３（ｄ）参照）。そして、蓋３５の周縁部がガイドレール部材８１、８２の水平部８５、８６の内、切除部９６、９７の有る右端部の下側に入り、蓋３５がネオジム磁石１０２から外れたあと、上面３６の係合部３８が水平部８５、８６の下面９０、９１に長手方向へ摺動自在に係合する（図２１（ｅ）、図２２（ｅ）、図２３（ｅ）、図２８（ｂ）参照）。このとき、ピン部材３２は天井側第２の位置に来る。圧縮コイルバネ４５が蓋３５を含むピン部材３２を上方へ付勢しているので、その後、ピン部材３２と天井側ガイドレール８０の係合状態が保持されたまま間仕切り壁本体６０が右方へ移動する。ガイドピン１１のピン部材３２は、天井側ガイドレール８０との係合状態を保持したまま間仕切り壁本体６０が右方へ移動する。
若しネオジム磁石１０１、１０２の上面１０６、１０４に磁着したガイドピン１２のピン部材３２が前後方向に片寄っていても（図２４（ａ）参照）、ガイドレール支持部材７０の斜行内壁部７５Ａまたは７５Ｂに蓋３５の外周が当接して中心寄りに押されたり（図２４（ｂ）、（ｃ）参照）、可動ケース３３の外周が切除部９６または９７に当接して中心寄りに押されたりして（図２４（ｄ）、（ｅ）参照）、可動ケース３３の外周がガイドレール部材８１、８２の水平部８５、８６の隙間に正しく入るように誘導される。
【００３７】
天井側と平行して、第２の床側引き出し部１４９のネオジム磁石１５１がガイドピン２２のピン部材５２の蓋５５の直上に来たところでピン部材５２の蓋５５が重力に抗して引き上げられて下面１５６に磁着し（図２５（ｂ）、図２６（ｂ）、図２７（ｂ）、図２８（ａ）参照）、傾斜面に沿って上昇し（図２５（ｃ）、図２６（ｃ）、図２７（ｃ）参照）、更に隣接するネオジム磁石１５２の下面１５４に磁着し、ピン部材５２が床側第２の位置以上に引き上げられる。その状態で床側ガイドレール１３０の出入り口１４３が接近する（図２５（ｄ）、図２６（ｄ）、図２７（ｄ）参照）。そして、蓋５５の周縁部がガイドレール部材１３１、１３２の水平部１３５、１３６の内、切除部１４６、１４７の有る右端部の上側に入り、蓋５５がネオジム磁石１５２から外れたあと、下面５６の係合部５８が水平部１３５、１３６の上面１４０、１４１に長手方向に摺動自在に係合する（図２５（ｅ）、図２６（ｅ）、図２７（ｅ）、図２８（ｂ）参照）。重力が蓋５５を含むピン部材５２を下方へ付勢しているので、ピン部材５２と床側ガイドレール１３０の係合状態が保持されたまま間仕切り壁本体６０が右方へ移動する。床側のガイドピン２１のピン部材５２は、床側ガイドレール１３０との係合状態を持したまま間仕切り壁本体６０が右方へ移動する。
若しネオジム磁石１５１、１５２の下面１５６、１５４に磁着したガイドピン２２のピン部材５２が前後方向に片寄っていても、ガイドレール支持部材１２０の斜行内壁部１２５Ａまたは１２５Ｂに蓋５５の外周が当接して中心寄りに押されたり、可動ケース５３の外周が切除部１４６または１４７に当接して中心寄りに押されたりして、可動ケース５３の外周がガイドレール部材１３１、１３２の水平部１３５、１３６の隙間に正しく入るように誘導される。
【００３８】
このようにして、ガイドピン１２のピン部材３２とガイドピン２２のピン部材５２が天井側ガイドレール８０と床側ガイドレール１３０に係合すると、間仕切り壁本体６０は長手方向の２箇所が上下１対づつのピン部材３２、５２で案内されるので、自立姿勢を保ちながら安定した直線移動を行なう（図２９（ａ）、図３０（ａ）参照）。
【００３９】
その後、ガイドピン１２とガイドピン２２が間仕切り壁本体６０の長手方向の真ん中に近づくと、左側のガイドピン１１とガイドピン２１が天井側ガイドレール８０と床側ガイドレール１３０の出入り口９２、１４２に来てピン部材３２の蓋３５の下面４６がネオジム磁石１０２の上面１０４に磁着し、ピン部材５２の蓋５５の上面５９がネオジム磁石１５２の下面１５４に磁着する。続いて、ピン部材３２の蓋３５の下面４６がネオジム磁石１０１の上面１０６に磁着し傾斜面に沿って上方へ移動し、上面１０６から外れたところで圧縮コイルバネ４５により上方へ付勢されてピン部材３２が天井側第１の位置に復帰し、蓋３５の上面３６が天井面６Ａに当接する。また、ピン部材５２の蓋５５の上面５９がネオジム磁石１５１の下面１５６に磁着し傾斜面に沿って下方へ移動し、下面１５６から外れたところで自重で落下し床側第１の位置に復帰し、蓋５５の下面５６が床面１７Ａに当接する（図２９（ｂ）参照）。
【００４０】
続いて、間仕切り壁本体６０の進行方向前方にあったガイドピン１３のピン部材３２の真下にスペーサ１００が来て、ガイドピン２３のピン部材５２の真上にキャスタ−１５０が来た後、前述と同様にしてガイドピン１３のピン部材３２の蓋３５が磁力で天井面６Ａから引き下げられて、天井側ガイドレール８０に係合し、ガイドピン２３のピン部材５２の蓋５５が磁力で引き上げられて、床側ガイドレール１３０に係合する。以下、同様の動作を繰り返しながら間仕切り壁本体６０が立設姿勢を保ちながら右方へ移動していき、最終的に大空間３の前端縁の一番右寄りの場所へ移動できる（図３０（ｂ）参照）。このとき、天井側のガイドピン１２、１４のピン部材３２の真下にスペーサ１００、１００、床側のガイドピン２２、２４の真上にキャスター１５０、１５０が来る。また間仕切り壁本体６０の長手方向の真ん中で天井側のガイドピン１３のピン部材３２が天井側ガイドレール８０に係合し、床側のガイドピン２３のピン部材５２が床側ガイドレール１３０に係合した状態となる（図３０（ｂ）参照）。
元の左寄りの状態に戻したい場合、間仕切り壁本体６０の左側の取っ手６６を掴み、左方向へ引けば前述と同様にして、立設姿勢を保ったまま左方向へ安定かつ円滑に直線移動できる。
【００４１】
（３）大空間と小空間の間への移動
間仕切り壁本体６０の長手方向の中央に方向変換点である上下一対の天井側のガイドピン１３と床側のガイドピン２３が来ているとき、間仕切り壁本体６０はガイドピン１３と２３を軸にして水平面内で回転自在である。また、天井側のガイドピン１１乃至１４、床側のガイドピン２１乃至２４が成す第１のガイドピン系列に係合した状態から、天井側のガイドピン１３と１６、床側のガイドピン２３と２６が成す第２のガイドピン系列に係合した状態へ移行可能である。
【００４２】
図３０（ｂ）の状態から間仕切り壁本体６０を小空間４の左端縁へ移動したい場合、間仕切り壁本体６０を水平面内で回転させて右端を天井側のガイドピン１６と床側のガイドピン２６に向けたあと（図３１（ａ）、（ｂ）のＢ３参照）、取っ手６７を引いてガイドピン１６とガイドピン２６に向けて直線移動させる。そして、前述と同様にしてガイドピン１６のピン部材３２とガイドピン２６のピン部材５２を天井側ガイドレール８０と床側ガイドレール１３０に係合状態とさせたのち（図３２（ａ）のＡ７参照）、直線移動を続けてガイドピン１３のピン部材３２とガイドピン２３のピン部材５２の係合を外し、間仕切り壁本体６０の長手方向の真ん中にガイドピン１６とガイドピン２６が来るようにする（図３２（ｂ）参照）。そして、間仕切り壁本体６０を水平面内で回転させ、長手方向を小空間４の左端縁の前後方向と一致させる（図３２（ｂ）のＢ４、３３（ａ）、（ｂ）のＢ５参照）。間仕切り壁本体６０は上下一対のガイドピン１６とガイドピン２６により立設姿勢を保つ。
【００４３】
（４）間仕切り壁本体の収納
間仕切り壁本体６０の長手方向の中央に方向変換点である上下一対の天井側のガイドピン１６と床側のガイドピン２６が来ているとき、間仕切り壁本体６０はガイドピン１６と２６を軸にして水平面内で回転自在であり、天井側のガイドピン１６と１３、床側のガイドピン２６と２３が成す第１のガイドピン系列に係合した状態と、天井側のガイドピン１６と１４、床側のガイドピン２６と２４が成す第２のガイドピン系列に係合した状態の間で移行可能である。
また、間仕切り壁本体６０の長手方向の中央に方向変換点である上下一対の天井側のガイドピン１４と床側のガイドピン２４が来ているとき、間仕切り壁本体６０はガイドピン１４と２４を軸にして水平面内で回転自在であり、天井側のガイドピン１４と１５、床側のガイドピン２４と２５が成す第１のガイドピン系列に係合した状態と、天井側のガイドピン１４と１６、床側のガイドピン２４と２６が成す第２のガイドピン系列に係合した状態との間で移行可能である。
【００４４】
図３３の状態から間仕切り壁本体６０を大空間２の右隅に収納したい場合、間仕切り壁本体６０を水平面内で回転させて側面パネル６４の側を天井側のガイドピン１４と床側のガイドピン２４に向けたあと（図３４（ａ）のＢ６参照）、取っ手６６を引いてガイドピン１４とガイドピン２４に向けて直線移動させる。そして、前述と同様にしてガイドピン１４のピン部材３２とガイドピン２４のピン部材５２を天井側ガイドレール８０と床側ガイドレール１３０に係合状態とさせたのち（図３４（ｂ）のＡ８参照）、直線移動を続けてガイドピン１６のピン部材３２とガイドピン２６のピン部材５２の係合を外す（図３５（ａ）参照）。更に、間仕切り壁本体６０を水平面内で回転させて側面パネル６２の側をガイドピン１５とガイドピン２５に向け（図３５（ａ）のＢ７参照）、間仕切り壁本体６０の側面パネル６４の側を後方へ移動し、ガイドピン１５のピン部材３２とガイドピン２５のピン部材５２を天井側ガイドレール８０と床側ガイドレール１３０に係合状態させながら、一番奥まで移動させる。そして、長手方向を大空間２の右端縁の前後方向と一致させる（図３５（ｂ）のＡ９、図３６（ａ）、（ｂ）参照）。間仕切り壁本体６０は上下一対のガイドピン１５とガイドピン２５により立設姿勢を保つ。
【００４５】
この実施例によれば、天井６と床１７に上下に対向する一対のガイドピン１１と２１、１２と２２、・・、１４と２４を平面的に見て等間隔Ｍで直線的に配設し、天井６と床１７の間に装備した長方形状で間仕切り壁本体６０の天井側端部と床側端部に設けたＭ以上の長さの天井側ガイドレール８０と床側ガイドレール１３０に、上下一対または隣接する二対のガイドピンのピン部材３２と５２が長手方向に摺動自在に係合することにより、立設姿勢を保持させることができる。間仕切り壁本体６０の床側の左右端部にはキャスター１５０、１５０が付設されており、上下一対のガイドピン３２、５２での係合時は水平面内での円滑な回転または水平方向への円滑な直線移動が可能であり、隣接する上下二対のガイドピン３２、５２での係合時は水平方向への円滑な直線移動が可能である。
【００４６】
間仕切り壁本体６０から離れた位置にある天井側のガイドピンのピン部材３２は内蔵の圧縮コイルバネ４５によりピン部材３２が上方の天井側第１の位置に復帰して蓋３５が天井面６Ａに当接し、床側のガイドピンのピン部材５２は自重により下方の床側第２の位置に復帰して蓋５５が床面１７Ａに当接し、目立たない。
間仕切り壁本体６０の天井側端部の左右端部にはネオジム磁石１０１と１０２から成る第１、第２の天井側引き出し部９８、９９、床側端部の左右端部にはネオジム磁石１５１と１５２から成る第１、第２の床側引き出し部１４８、１４９が設けてあり、天井側のガイドピンのピン部材３２は直線移動中の可動間仕切り壁本体６０が接近して来ると、内蔵のネオジム磁石３７及び蓋に働く磁力で圧縮コイルバネ４５の上方付勢力に抗して下方に吸引されてネオジム磁石１０１と１０２の上面に磁着し、ピン部材３２が天井側第２の位置以下に引き下げられながら天井側ガイドレール８０の出入り口９２または９３に誘導されて係合部３８がガイドレール部材８１、８２に係合する。床側のガイドピンのピン部材５２は間仕切り壁本体６０が接近してくると、内蔵のネオジム磁石５７及び蓋５５に働く磁力でピン部材３２の自重に抗して上方に吸引されてネオジム磁石１５１と１５２の下面に磁着し、ピン部材５２が床側第２の位置以上に引き上げられながら床側ガイドレール１３０の出入り口１４２または１４３に誘導されて係合部５８がガイドレール部材１３１、１３２に係合する。
【００４７】
反対に、天井側ガイドレール８０と係合状態にある天井側のガイドピンのピン部材３２は直線移動中の間仕切り壁本体６０の端部が接近して天井側ガイドレール８０の出入り口９２または９３に来るとネオジム磁石１０２、１０１の順に磁着し、出入り口９２または９３から円滑に脱出しながら傾斜面に沿って上方へ移動し、ネオジム磁石１０１から外れたところで、圧縮コイルバネ４５により上方の天井側第１の位置へ復帰し、蓋３５が天井面６Ａに当接する。床側ガイドレール１３０と係合状態にある床側のガイドピンのピン部材５２は直線移動中の間仕切り壁本体６０の端部が接近して床側ガイドレール１３０の出入り口１４２または１４３に来るとネオジム磁石１５２、１５１の順に磁着し、出入り口１４２または１４３から円滑に脱出しながら傾斜面に沿って下方へ移動し、ネオジム磁石１５１から外れたところで、自重により床側第１の位置に復帰し、蓋５５が床面１７Ａに当接する。
このようにして、間仕切り壁本体６０は立設姿勢を保ちながら水平方向へ円滑に直線移動できる。
【００４８】
若しネオジム磁石１０１、１０２に磁着した天井側のガイドピンのピン部材３２が前後方向に片寄っていても、ガイドレール支持部材７０の斜行内壁部７３Ａまたは７３Ｂ（７５Ａまたは７５Ｂ）に蓋３５の外周が当接して中心寄りに押されたり、可動ケース３３の外周が切除部９４または９５（９６または９７）に当接して中心寄りに押されたりして（図２５（ｄ）、（ｅ）参照）、可動ケース３３の外周がガイドレール部材８１、８２の水平部８５、８６の隙間に正しく入るように誘導される。
同様に、若しネオジム磁石１５１、１５２に磁着したガイドピン２２のピン部材５２が前後方向に片寄っていても、ガイドレール支持部材１２０の斜行内壁部１２３Ａまたは１２３Ｂ（１２５Ａまたは１２５Ｂ）に蓋５５の外周が当接して中心寄りに押されたり、可動ケース５３の外周が切除部１４４または１４５（１４６または１４７）に当接して中心寄りに押されたりして、可動ケース５３の外周がガイドレール部材１３１、１３２の水平部１３５、１３６の隙間に正しく入るように誘導される。
【００４９】
また、天井７の左端部の前後方向の中央に上下一対のガイドピン１６、２６を配設し、間仕切り壁本体６０の上下の天井側ガイドレール８０、床側ガイドレール１３０の長さを１．４１×Ｍ以上としたので、間仕切り壁本体６０をガイドピン１３、２３から１６、２６へ架け替えることで、天井７の左端部の前後方向向きに間仕切り壁本体６０を移動することもできる。
また、天井６の右端部の前後方向の中央に上下一対のガイドピン１５、２５を配設したので、間仕切り壁本体６０をガイドピン１４、２４と１５、２５の位置へ架け替えることで、大空間３の右端部に移動して収納させることもできる。
【００５０】
なお、上記した実施例では、天井側の各ガイドピンのピン部材は圧縮コイルバネにより上方付勢されるようにしたが、引っ張りコイルバネにより上方付勢されるようにしても良い。例えば図３７乃至図３９のガイドピン１７に示す如く、バネ座部材を省略し、外ケース３０Ａの上端の底板４１Ａと、ピン部材３２Ａを構成する可動ケース３３Ａの下端に装着された蓋３５の上面３６に装着されたネオジム磁石３７に両側が固着された引っ張りコイルバネ４５Ａを介装する。通常は、引っ張りコイルバネ４５Ａがピン部材３２Ａを上方に付勢し、蓋３５の上面３６が天井面６Ａに当接して目立たない（図３８、図４０（ａ）参照）。可動間仕切り壁本体６０のネオジム磁石１０１、１０２が接近すると、ネオジム磁石３７及び蓋３５との間に働く磁力でピン部材３２Ａが引っ張りコイルバネ４５Ａに抗して下方に吸引されて引き下げられ（図４０（ｂ）乃至（ｄ）参照）、係合部３８が天井側ガイドレール８０に係合する（図４０（ｅ）参照）。
【００５１】
また、上記した実施例では天井側のガイドピンを上下可動タイプとし、間仕切り壁本体の長手方向の端部に設けたネオジム磁石により下方へ引き下げて、天井側ガイドレールと係合させるようにしたが、天井側のガイドピンを固定タイプとし、単に、間仕切り壁本体の上面の長手方向に延設した天井側ガイドレール部材の係合溝部に長手方向に摺動自在に係合させるようにしても良い。
具体的には、図１の各天井側のガイドピン１１、１２、・・を図４１に示す如く、同じ位置に設置した中空円筒状のガイドピン１１Ｂ、１２Ｂ、・・に置き換える。
各ガイドピン１１Ｂ、１２Ｂ、・・は外径がＳであり、上半分が天井６（７）に埋設されており、天井面６Ａ（７Ａ）から下方へＴだけ突設している。
【００５２】
一方、図４２に示す如く間仕切り壁本体６０Ｂの上端部は、枠体６１の上面６８の長手方向に方形枠状のガイドレール部材１７０が装着されている。ガイドレール部材１７０には長手方向の両端部を除いて、前後方向の中央を通り、長手方向に延設された幅がＳより少し大きく、上向きに開口した長穴状の係合溝部１７１が穿設されている。ガイドレール部材１７０の上面１７２と天井面６Ａ、７Ａとの間隔Ｐ’はＴより小さく形成されており（図４３（ａ）参照）、係合溝部１７１の中にガイドピン１１Ｂ、１２Ｂ、・・の下部が係合可能になっている。
係合溝部１７１は、間仕切り壁本体６０Ｂの長手方向に見た場合、図１３の天井側ガイドレール８０と同じ位置に設けられている。係合溝部１７１の長手方向の両端部は平面的に見て長手方向の外側に向かって徐々に幅が広くなるように斜めに切除した切除部１７３、１７４となっている。ガイドレール部材１７０の長手方向の両端部は、一段低く形成されてガイドピン１１Ｂ、１２Ｂ、・・と干渉しない非干渉部１７５となっている。非干渉部１７５と天井面６Ａ、７Ａとの間隔ＵはＴより少し大きい（図４３（ｂ）参照）。正面パネル６２Ｂ、背面パネル６３Ｂの上端縁の長手方向両端部は非干渉部１７５に合わせて段差状に切除されている。
間仕切り壁本体６０Ｂの下端部は第１実施例の図１６と同一に構成されている。
【００５３】
次に、図４１、図４２の変形例の作用を図４１、図４３、図４４を参照して説明する。
予め、図４１（ａ）に示す如く、間仕切り壁本体６０Ｂが大空間３の前側端縁の左寄りに有り、長手方向が天井側のガイドピン１１Ｂ、１２Ｂ、・・の成す直線方向を向いており、係合溝部１７１の長手方向の中央に、ガイドピン１１Ｂが長手方向に摺動自在に係合し、床側ガイドレール１３０の長手方向中央に床側のガイドピン２１が長手方向に摺動自在に係合し、間仕切り壁本体６０Ｂが立設姿勢にあるものとする。
この際、隣接するガイドピン１２Ｂは非干渉部１７５の真上に位置している。一方、床側の隣接するガイドピン２２はキャスター１５０の真下に位置している。床側の他のガイドピン２３、２４・・も下方に復帰しており、目立たなくなっている。
図４１（ａ）の間仕切り壁本体６０Ｂは回転移動と直線移動が可能である。
従って、ユーザが例えば正面パネル６２Ｂの左側を後方へ押すと、間仕切り壁本体６０Ｂはキャスター１５０、１５０によりガイドピン１１Ｂとガイドピン２１を軸として、平面視で時計回りに円滑に回転する。従って、間仕切り壁本体６０Ｂの長手方向を立設姿勢のまま前後方向に向け、左側を前後に通過可能としたり（図４１（ｂ）参照）、１８０度回転させて表裏反対向きとすることもできる。
【００５４】
これと異なり、図４１（ａ）の間仕切り壁本体６０Ｂを右寄りの状態に変えたい場合、取っ手６７に指を掛け、右方へ引くと、間仕切り壁本体６０Ｂはキャスター１５０、１５０により円滑に右方へ移動する。
最初、天井側のガイドピン１２Ｂの真下を非干渉部１７５が通過し、係合溝部１７１の出入り口１７６が接近する。そして、ガイドピン１２Ｂの下部が係合溝部１７１に長手方向に摺動自在に嵌合する。ガイドピン１１Ｂは係合溝部１７１との係合状態が保持したまま間仕切り壁本体６０Ｂが右方へ移動する（図４４（ａ）参照）。
若し、非干渉部１７５の上に有るガイドピン１２Ｂが前後方向に片寄っていても、切除部１７３または１７４に外周が当接して中心寄りに押されて係合溝部１７１に正しく入るように誘導される。
【００５５】
天井側と平行して、床側のガイドピン２２は第２の床側引き出し部１４９のネオジム磁石１５１、１５２により引き上げられて、床側ガイドレール１３０に出入り口１４３から長手方向に摺動自在に係合する。ガイドピン２２は自重で下方へ付勢しているので、床側ガイドレール１３０との係合状態が保持されたまま間仕切り壁本体６０Ｂが右方へ移動する。ガイドピン２１は、床側ガイドレール１３０との係合状態を保持したまま間仕切り壁本体６０Ｂが右方へ移動する（図４４（ａ）参照）。
若しネオジム磁石１５１、１５２の下面１５６、１５４に磁着したガイドピン２２のピン部材５２が前後方向に片寄っていても、ガイドレール支持部材１２０の斜行内壁部１２５Ａまたは１２５Ｂに蓋５５の外周が当接して中心寄りに押されたり、可動ケース５３の外周が切除部１４６または１４７に当接して中心寄りに押されたりして、可動ケース５３の外周がガイドレール部材１３１、１３２の水平部１３５、１３６の隙間に正しく入るように誘導される。
【００５６】
このようにして、ガイドピン１２Ｂとガイドピン２２が天井側の係合溝部１７１に係合するとともに床側ガイドレール１３０に係合すると、間仕切り壁本体６０Ｂは長手方向の２箇所が上下１対づつのガイドピン１１Ｂとガイドピン２１、１２Ｂと２２で案内されるので、自立姿勢を保ちながら安定した直線移動を行なう（図４４（ａ））。
【００５７】
その後、ガイドピン１２Ｂが間仕切り壁本体６０Ｂの長手方向の真ん中に近づくと、左側のガイドピン１１Ｂは係合溝部１７１の出入り口１７６から出て非干渉部１７５を通過する。平行して、床側のガイドピン２１が床側ガイドレール１３０の出入り口１４２から出て第１の床側引き出し部１４８のネオジム磁石１５２、１５１の下面１５４、１５６に磁着しながら下降したあと自重により床面１７Ａに当接する。続いて、間仕切り壁本体６０Ｂの進行方向前方にあったガイドピン１３Ｂの真下に非干渉部１７５が来て、ガイドピン２３の真上にキャスタ−１５０が来た後（図４４（ｂ）参照）、前述と同様にガイドピン１３Ｂが非干渉部１７５を通過して係合溝部１７１に嵌合し、ガイドピン２３が磁力で引き上げられて、床側ガイドレール１３０に係合する。以下、同様の動作を繰り返しながら間仕切り壁本体６０Ｂが立設姿勢を保ちながら右方へ移動していき、最終的に大空間３の前端縁の一番右寄りの場所へ移動できる。
【実施例２】
【００５８】
次に、図４５乃至図５８を参照して本発明の第２実施例を説明する。図４５は可動間仕切り壁の使用状態を示す一部省略した正面図であり、図１の大空間３の前端縁の一部に相当する。図４６は図４５中の天井側のガイドピンの外観斜視図、図４７は天井側のガイドピンの断面図、図４８は天井側のガイドピンの組み立て図、図４９は天井側のガイドピンの作用説明図である。図５０は図４５中の床側のガイドピンの外観斜視図、図５１は床側のガイドピンの断面図、図５２は床側のガイドピンの組み立て図、図５３は床側のガイドピンの作用説明図、図５４は図４５中の間仕切り壁本体の平面図、図５５は間仕切り壁本体の底面図、図５６は間仕切り壁本体の右端部の一部省略及び破断した斜視図、図５７は間仕切り壁本体の右上端部に備えられた第２の引き出し部周りの組み立て図、図５８は間仕切り壁本体の右下端部の組み立て図である。なお、第１実施例と同一の構成部分には同一の符号が付してある。
【００５９】
上記した第１実施例では、間仕切り壁本体の上下端部の長手方向に設けた天井側ガイドレールと床側ガイドレールの両端の出入り口の外側に磁石を装備し、天井側と床側のガイドピンを磁力で引き出し、係合させるようにしたが、第２実施例では、天井側ガイドレールの長手方向の両端に誘導ガイドレールを連接し、誘導ガイドレールの一端を天井側ガイドレールの一端に軸支して長手方向の外側へ延設した他端側を上下回動自在とし、誘導ガイドレールの回動端を上方に回動させた状態で天井側のガイドピンと係合させ、係合状態を保持したまま天井側ガイドレールの出入り口に誘導するようにしたものである。なお、第２実施例では、床側のガイドピンは通常は、床面から上方へ突出しており、間仕切り壁本体の床側には誘導ガイドレールは無い。
【００６０】
図４５において、図１と同じ大空間３の天井６の一番手前側端縁の左右方向に距離Ｍずつ離して直線的に複数の天井側のガイドピン１１Ｃ、１２Ｃ、・・が配設されている。ガイドピン１１Ｃ、１２Ｃ、・・は、天井６に対し図１のガイドピン１１、１２、・・と同じ位置である。また、各ガイドピン１１Ｃ、１２Ｃ、・・の直下の床１７にはガイドピン２１Ｃ、２２Ｃ、・・が配設されている。床側のガイドピン２１Ｃ、２２Ｃ、・・は、床１７に対し図１のガイドピン２１、２２、・・と同じ位置である。
【００６１】
天井側のガイドピン１１Ｃは、図４６の外観図、図４７の断面図、図４８の組み立て図に示す如く構成されている。すなわち、外側に下向きに開口した有底円筒状の外ケース３０を有しており、この外ケース３０が天井６に埋設されて固定されている。外ケース３０の下端の開口端３１は天井面６Ａと面一となっている。外ケース３０の内側には中空で略円柱状のピン部材３２Ｃが上下動自在に遊嵌されている。ピン部材３２Ｃは下向きに開口した有底円筒状の可動ケース３３Ｃ、可動ケース３３Ｃの下端の開口端３４に芯を合わせて固着された円盤状の蓋３５からなる。可動ケース３３Ｃの高さは外ケース３０の内部の高さより大きく形成されている。可動ケース３３Ｃの外径は外ケース３０の内径より少しだけ小さく形成されている。蓋３５の外径は外ケース３０の外径より大きく形成されている。蓋３５の内、外ケース３０の外側の円環部分が後述する天井側ガイドレール、誘導ガイドレールと係合する係合部３８を成す。
可動ケース３３Ｃの上端の底板３９の中央には透孔４０が穿設されており、外ケース３０の上端の底板４１の中央の孔４２に上端部が植設された支持棒４３Ｃが、透孔４０に遊挿されたのち可動ケース３３Ｃの中を下方へ延設されており、下端に円盤状のバネ座部材４４が固着されている。バネ座部材４４は外ケース３０の開口端３１より下方に位置している。バネ座部材４４と可動ケース３３Ｃの底板３９の間に圧縮コイルバネ４５が介装されており、可動ケース３３Ｃが常時、上方へ付勢されている。
【００６２】
可動ケース３３Ｃに圧縮コイルバネ４５以外の外力が働いていないとき、可動ケース３３Ｃは上方へ移動して底板３９が外ケース３０の底板４１に当接した復帰状態となる（図４７参照）。このとき、ピン部材３２Ｃは天井側第１の位置に来て蓋３５の上面３６と天井面６Ａの間に間隔Ｖの隙間が空くように構成されている。可動ケース３３Ｃに圧縮コイルバネ４５に抗して下向きの外力が加わると、可動ケース３３Ｃが下方に引き下げられる（図４９参照）。但し、可動ケース３３Ｃの内部にバネ座部材４４があるので、可動ケース３３Ｃが外ケース３０から抜け落ちることはない。
他の天井側のガイドピン１２Ｃ、・・もガイドピン１１Ｃと全く同様に構成されている。
【００６３】
床側のガイドピン２１Ｃは、図５０の外観図、図５１の断面図、図５２の組み立て図に示す如く構成されており、外側に上向きに開口した有底円筒状の外ケース５０Ｃを有しており、この外ケース５０Ｃが床１７に埋設されて固定されている。外ケース５０Ｃの上端の開口端５１は床面１７Ａと一致している。外ケース５０Ｃの内側には中空筒状のピン部材５２Ｃが上下動自在に遊嵌されている。ピン部材５２Ｃは筒状の可動ケース５３Ｃ、可動ケース５３Ｃの上側の開口端５４に固着された円盤状の蓋５５、可動ケース５３Ｃの外側面の内、上下方向の真ん中やや下に固着された突起１８０から成る。可動ケース５３Ｃの高さは外ケース５０Ｃの内部の高さより少しだけ小さく形成されている。可動ケース５３Ｃの外径は外ケース５０Ｃの内径より少しだけ小さく形成されている。蓋５５の外径は外ケース５０Ｃの外径より大きく形成されており、蓋５５の内、外ケース５０Ｃの外側の円環部分が後述する床側ガイドレールと係合する係合部５８を成す。外ケース５０Ｃの側面の上下方向の中央には長穴１８１が刻設されており、突起１８０が上下に摺動自在に嵌合して可動ケース５３Ｃの移動範囲が制限されるようになっている。外ケース５０Ｃの底板１８２と蓋５５の下面５６の間に圧縮コイルバネ１８３が介装されており、可動ケース５３Ｃに圧縮コイルバネ１８３に抗して下向きの外力が加わると、可動ケース５３Ｃが押し下げられてピン部材５２Ｃは床寄りの第１の位置に下降し、蓋５５の下面５６が床面１７Ａに当接する（図５３参照）。可動ケース５３Ｃに外力が働いていないとき、可動ケース５３Ｃは圧縮コイルバネ１８３により上方へ押し上げられて突起１８０が長穴１８１の上端に当接した復帰状態となる。このとき、ピン部材５２Ｃは床側第２の位置に来て、蓋５５の下面５６と床面１７Ａの間に間隔Ｗの隙間が空くように構成されている。
床側の他のガイドピン２２Ｃ、・・も２１Ｃと全く同様に構成されている。
【００６４】
図４５に戻って６０Ｃは方形板状の間仕切り壁本体であり、ガイドピン１１Ｃ、１２Ｃ、・・とガイドピン２１Ｃ、２２Ｃ、・・により、天井６と床１７の間で立設姿勢を保ちながら水平な左右方向への直線移動が案内されたり、上下に対向する一対のガイドピン１１Ｃと２１Ｃ、１２Ｃと２２Ｃ、・・により、鉛直軸の周りに回転移動可能である。間仕切り壁本体６０Ｃは長手方向の横幅がＬに形成されており、上下方向の縦幅が床１７と天井６の間の高さより少しだけ小さく形成されている。間仕切り壁本体６０Ｃの下端部の長手方向の左右両端部には床１７に接するキャスター１５０、１５０が装着されており、間仕切り壁本体６０Ｃが床１７の上を円滑に移動可能になっている。
【００６５】
間仕切り壁本体６０Ｃは、図４５、図５４乃至図５８に示す如く、全体が方形で四マスの格子形に形成された枠体６１、枠体６１の正面側と背面側に装着された正面パネル６２Ｃと背面パネル６３Ｃ、枠体６１の左側面と右側面に装着された側面パネル６４Ｃと６５Ｃを備えている。側面パネル６４Ｃ、６５Ｃの内、高さ方向の中央より少し下側の位置に側面パネル６４Ｃ、６５Ｃと枠体６１を貫通して装着された取っ手６６、６７が設けられている。
【００６６】
枠体６１の上面６８には長手方向である左右方向に細長く延びた平面視が方形枠状のガイドレール支持部材７０Ｃが装着されている。ガイドレール支持部材７０Ｃは平面的に見た外形を成す四角形が枠体６１の上面６８の成す四角形と同形であり、枠体６１の上面６８に重ね合わせるようにして装着されている。ガイドレール支持部材７０Ｃには左右端部を除く範囲で、対向する前側と後ろ側（間仕切り壁本体６０Ｃの正面側と背面側）に、左右方向に延びた内壁部１９０Ａと１９０Ｂが平行かつ間隔が狭く形成されている。ガイドレール支持部材７０Ｃの左端部の内、間仕切り壁本体６０Ｃの左端寄りは前後に対向する内壁部１９１Ａ、１９１Ｂが並行かつ間隔が狭く形成されており、内壁部１９０Ａ、１９１Ａの間と１９０Ｂ、１９１Ｂの間は、前後に対向する内壁部１９２Ａ、１９２Ｂが平行かつ間隔が広く形成されている。ガイドレール支持部材７０Ｃの右端部の内、間仕切り壁本体６０Ｃの右端寄りは前後に対向する内壁部１９３Ａ、１９３Ｂが並行かつ間隔が狭く形成されており、内壁部１９０Ａ、１９３Ａの間と１９０Ｂ、１９３Ｂの間は、前後に対向する内壁部１９４Ａ、１９４Ｂが平行かつ間隔が広く形成されている。内壁部１９０Ａと１９０Ｂ、１９１Ａと１９１Ｂ、１９３Ａと１９３Ｂの間隔は同一であり、内壁部１９０Ａ、１９１Ａ、１９３Ａは同一の垂直面内にあり、内壁部１９０Ｂ、１９１Ｂ、１９３Ｂは同一の垂直面内にある。内壁部１９２Ａと１９２Ｂ、１９４Ａと１９４Ｂの間隔は同一であり、内壁部１９２Ａと１９４Ａは同一の垂直面内にあり、内壁部１９２Ｂ、１９４Ｂは同一の垂直面内にある。
ガイドレール支持部材７０Ｃの左右端部を除く上面１９５は天井面６Ａ（７Ａ）より間隔Ｘだけ下の位置となっている（図６１（ａ）、図６２（ｂ）参照）。ガイドレール支持部材７０Ｃの左右端部は上方へ復帰した状態にある天井側のガイドピン３２Ｃの蓋３５の下面４６より少し下の位置に来るように一段低く形成されてガイドピン１１Ｃ、１２Ｃ、・・と干渉しない非干渉部１９６、１９７となっている。前面パネル６２Ｃ、背面パネル６３Ｃの上端の左右端部は非干渉部１９６、１９７に合わせて段状に形成されている。
【００６７】
ガイドレール支持部材７０Ｃの内壁部１９０Ａ、１９０Ｂの上端部には左右方向の全長にわたって、天井側ガイドレール８０Ｃが天井面６Ａと平行に装着されている。天井側ガイドレール８０Ｃは断面が逆Ｌ字形の２本のガイドレール部材８１Ｃ、８２Ｃから成る。ガイドレール部材８１Ｃ、８２Ｃは内壁部１９０Ａ、１９０Ｂに対向して同じ高さに平行に配置されている。ガイドレール部材８１Ｃ、８２Ｃの垂直部８３Ｃ、８４Ｃがガイドレール支持部材７０Ｃの内壁部１９０Ａ、１９０Ｂに固着されており、水平部８５Ｃ、８６Ｃが間隔Ｎの隙間を空けて対向配置されている（図５４、図６２（ｅ）参照）。水平部８５Ｃ、８６Ｃの上面８７Ｃ、８８Ｃはガイドレール支持部材７０Ｃの上面１９５より少しだけ下の同一水平面内にある（図６２（ｅ）参照）。水平部８５Ｃ、８６Ｃの下面９０Ｃ、９１Ｃは上面８７Ｃ、８８Ｃより材料の厚み分だけ下の同一の水平面内にある。水平部８５Ｃ、８６Ｃの下面９０Ｃ、９１Ｃは天井側のガイドピン１１Ｃ、１２Ｃ、・・の内、ピン部材３２Ｃの蓋３５の係合部３８に係合する係合受け部として機能する。垂直部８３Ｃ、８４Ｃの間隔をＲとすると、可動ケース３３Ｃの外径はＮより少しだけ小さく、蓋３５の外径はＲより小さくＮより大きく形成されている（図６２（ｅ）参照）。
【００６８】
ガイドレール支持部材７０Ｃの内壁部１９１Ａと１９１Ｂの間には、天井側のガイドピン１１Ｃ、１２Ｃ、・・のピン部材３２Ｃを下方へ引き出し、天井側ガイドレール８０Ｃの左端側の出入り口９２Ｃに誘導して係合させるための第１の天井側引き出し部２００が装備されており、内壁部１９４Ａと１９４Ｂの間には、天井側のガイドピン１１Ｃ、１２Ｃ、・・のピン部材３２Ｃを引き出し、天井側ガイドレール８０Ｃの右端側の出入り口９３Ｃに誘導して係合させるための第２の天井側引き出し部２０１が装備されている。第１、第２の天井側引き出し部２００と２０１は左右対称に形成されている。
第２の天井側引き出し部２０１の内、２０２は左右方向に延びた誘導ガイドレールであり、前後方向の幅が天井側ガイドレール８０Ｃと同一、かつ断面が略Ｃ字状に形成されており、左右方向に延びた平板状の底板２０３の前端縁と後端縁が逆Ｌ字状に立ち上げられており、前後に対向して平行に左右方向に延びた垂直部２０４と２０５、前後に対向して平行に左右方向に延びた水平部２０６と２０７が設けられている。垂直部２０４と２０５の間隔は天井側ガイドレール８０Ｃの垂直部８３Ｃ、８４Ｃの間隔Ｒと同一である。水平部２０６と２０７の長手方向の内、天井側ガイドレール８０Ｃ寄りの約半分の長さ部分は、天井側ガイドレール８０Ｃの水平部８５Ｃ、８６Ｃの前後方向と同じく間隔Ｎで対向している（図６０（ａ）参照）。残りの部分は間仕切り壁本体６０Ｃの右端縁に向かって徐々に間隔が広くなるように斜めに切除されて切除部２０８、２０９が形成されている。誘導ガイドレール２０２の垂直部２０４、２０５の高さ（水平部２０６、２０７の後述する上面２２９、２３０から底板２０３の下面までの高さ）は、ガイドレール支持部材７０Ｃの高さの１／３程度に形成されている。
【００６９】
誘導ガイドレール２０２は水平部２０６、２０７の左端がヒンジ軸２１０、２１１により天井側ガイドレール８０Ｃの水平部８５Ｃ、８６Ｃの右端と連結されており、長手方向外側に延設された右端側が垂直面内で上下に回動自在となるように軸支されている。誘導ガイドレール２０２の右端部の前後側面の外側（垂直部２０４、２０５の外側）には一対の同形なガイドローラ２１２、２１３が装備されている。ガイドローラ２１２、２１３は底板２０３の下面側に回転自在に軸支されている。ガイドローラ２１２、２１３の直径はガイドレール支持部材７０Ｃの高さと略同一か、少し小さく形成されており、上端は水平部２０６、２０７より少し上方に出ている。誘導ガイドレール２０２が水平状態のとき、ガイドローラ２１２、２１３の下端は枠体６０の上面６８より少し上に浮いている。
【００７０】
誘導ガイドレール２０２の右端部の下側と枠体６１の上枠部２２０の間に、常時、誘導ガイドレール２０２の右端部を上方へ付勢する付勢手段２２１が装備されている。付勢手段２２１は上枠部２２０に上下に貫通して穿設された孔２２２に埋設された上向きに開口した有底筒状のバネ座部材２２３、誘導ガイドレール２０２の底板２０３の下面に下方に向けて植設されるとともにバネ座部材２２３の内部を通り、底板２２４の透孔２２５に遊挿されて下方へ延設された棒状の支持棒２２６、支持棒２２６の下端に固着されて支持棒２２６の上方への抜けを防止する円盤状のストッパ２２７、誘導ガイドレール２０２の底板２０３の下面とバネ座部材２２３の底板２２４の間の支持棒２２６に通された圧縮コイルバネ２２８により構成されている。
【００７１】
圧縮コイルバネ２２８により誘導ガイドレール２０２の右端側が常時、上方へ回動付勢されてガイドローラ２１２、２１３が天井面６Ａに当接するようになっており、若し、天井面６Ａに下に膨らんだ箇所があっても、圧縮コイルバネ２２８が縮んで誘導ガイドレール２０２の右端側が下がることで、円滑に移動可能となっている（サスペンション機能）。ガイドローラ２１２、２１３の上端が天井面６Ａに当接しているとき、水平部２０６、２０７は右先端にかけて少し斜め上方向きとなるが、水平部２０６、２０７の上面２２９、２３０の右端は天井面６Ａには当接せず、水平部２０６、２０７の係合受け部としての下面２３１、２３２の右端は上方復帰状態にあるガイドピン１１Ｃ、１２Ｃ、・・のピン部材３２Ｃの蓋３５の上面３６より少しだけ高い位置に来る。一方、誘導ガイドレール２０２の底板２０３の上面２３３の右端はガイドピン１１Ｃ、１２Ｃ、・・の蓋３５の下面４６より少しだけ低い位置に来る（図６１（ａ）、図６２（ｂ）参照）。
【００７２】
従って、間仕切り壁本体６０Ｃが左側から右方へガイドピン１２Ｃ、１３Ｃ、・・に接近すると、誘導ガイドレール２０２の右端部の水平部２０６、２０７の下面２３１、２３２と底板２０３の上面の間にガイドピン１２Ｃ、１３Ｃ、・・の蓋３５の周端部が入り、水平部２０６、２０７の係合受け部としての下面２３１、２３２に蓋３５の上面３６の係合部３８が摺動自在に係合しながら下方へ押圧され、水平部２０６、２０７の長手方向が通過するに従い圧縮コイルバネ４５に抗してピン部材３２Ｃが下方へ引き下げられる（図６１（ｂ）乃至（ｄ）、図６２（ｂ）乃至（ｄ）参照）。ヒンジ軸２１０、２１１に来たところでピン部材３２Ｃは天井側第２の位置まで降下し、その後、天井側ガイドレール８０Ｃの出入り口９３Ｃより水平部８５Ｃ、８６Ｃの下面９０Ｃ、９１Ｃに蓋３５の係合部３８が長手方向に摺動自在に係合する（図６２（ｅ）、図６３（ｅ）参照）。
圧縮コイルバネ４５によりピン部材３２Ｃが上方へ付勢されていることから、間仕切り壁本体６０Ｃが右方へ移動している間も、蓋３５と天井側ガイドレール８０Ｃの係合状態は維持される。ここで各ガイドピン１１Ｃ、１２Ｃ、・・のピン部材３２Ｃの上下方向の位置につき、ピン部材３２Ｃに外力が働いておらず、圧縮コイルバネ４５により可動ケース３３Ｃの底板３９が外ケース３０の底板４１に当接した位置を天井側第１の位置とし、ピン部材３２Ｃに外力が加わって下方に下がり、蓋３５の上面３６の係合部３８が天井側ガイドレール８０Ｃの水平部８５Ｃ、８６Ｃの下面９０Ｃ、９１Ｃに係合した位置を天井側第２の位置とする。ピン部材３２Ｃが外ケース３０に対し移動可能な最大下限位置は、蓋３５と水平部８５Ｃ、８６Ｃに係合状態となる位置より下方であり、ピン部材３２Ｃは天井側第１の位置と天井側第２の位置の間で昇降自在である。
【００７３】
天井側のガイドピン１２Ｃ、１３Ｃ、・・のピン部材３２Ｃと天井側ガイドレール８０Ｃが係合した状態で、間仕切り壁本体６０Ｃが左方へ移動するとき、天井側ガイドレール８０Ｃの出入り口９３Ｃから第２の天井側引き出し部２０１の誘導ガイドレール２０２の水平部２０６、２０７との係合に移行し、誘導ガイドレール２０２の傾斜に沿って蓋３５が上昇案内される。誘導ガイドレール２０２の右先端から外れたところでピン部材３２Ｃは圧縮コイルバネ４５により元の天井面６Ａ寄りの天井側第１の位置に上方復帰する。
【００７４】
第１の引き出し部２００は第２の引き出し部２０１と左右対称な同形に形成されている。
従って、間仕切り壁本体６０Ｃが右側から左側にあるガイドピン１１Ｃ、１２Ｃ、・・に接近すると、第１の天井側引き出し部２００の誘導ガイドレール２０２の左端部の水平部２０６、２０７と底板２０３の間にガイドピン１１Ｃ、１２Ｃ、・・の蓋３５の周端部が入り、水平部２０６、２０７の係合受け部としての下面２３１、２３２に蓋３５の上面３６の係合部３８が摺動自在に係合しながら下方へ押圧され、水平部２０６、２０７の長手方向が通過するに従い圧縮コイルバネ４５に抗してピン部材３２Ｃが下方へ引き下げられる（図６１（ｂ）乃至（ｄ）、図６２（ｂ）乃至（ｄ）参照）。ヒンジ軸２１０、２１１に来たところでピン部材３２Ｃは天井側第２の位置まで降下し、その後、天井側ガイドレール８０Ｃの出入り口９２Ｃより水平部８５Ｃ、８６Ｃの下面９０Ｃ、９１Ｃに蓋３５の係合部３８が長手方向に摺動自在に係合する（図６２（ｅ）、図６３（ｅ）参照）。
圧縮コイルバネ４５によりピン部材３２Ｃが上方へ付勢されていることから、間仕切り壁本体６０Ｃが左方へ移動している間も、蓋３５と天井側ガイドレール８０Ｃの係合状態は維持される。
【００７５】
天井側のガイドピン１１Ｃ、１２Ｃ、・・のピン部材３２Ｃと天井側ガイドレール８０Ｃが係合した状態で、間仕切り壁本体６０Ｃが右方へ移動するとき、天井側ガイドレール８０Ｃの出入り口９２Ｃから第１の天井側引き出し部２００の誘導ガイドレール２０２の水平部２０６、２０７との係合に移行し、誘導ガイドレール２０２の傾斜に沿って蓋３５が上昇案内される。誘導ガイドレール２０２の左先端から外れたところでピン部材３２Ｃは圧縮コイルバネ４５により元の天井面６Ａ寄りの天井側第１の位置に上方復帰する。
【００７６】
枠体６１の下面６９には長手方向である左右方向に細長く延びた平面視が方形枠状のガイドレール支持部材１２０Ｃが装着されている。ガイドレール支持部材１２０Ｃは平面的に見た外形を成す四角形が枠体６１の下面６９の成す四角形と同形であり、下面６９に重ね合わせるようにして装着されている。ガイドレール支持部材１２０Ｃには対向する前側と後ろ側（間仕切り壁本体６０Ｃの正面側と背面側）に、左右方向に延びた内壁部２４０Ａと２４０Ｂが平行かつ間隔がガイドレール支持部材７０Ｃの内壁部１９０Ａ、１９０Ｂと同一に形成されている。
ガイドレール支持部材１２０Ｃの下面２４１は床面１７Ａと平行かつ上方の床側第２の位置に復帰状態にある床側のガイドピン２１Ｃ、２２Ｃ、・・の蓋５５の下面５６より少し下の高さとなっている。ガイドレール支持部材１２０Ｃの左側端部と右側端部は一段高い非干渉部２４２、２４３であり、復帰状態にある床側のガイドピン２１Ｃ、２２Ｃ、・・の蓋５５の上面５９より少し上の高さとなっており、上方に復帰状態にある床側のガイドピン２１Ｃ、２２Ｃ、・・のピン部材５２Ｃと干渉しない（図６６（ｂ）参照）。側面パネル６４Ｃ、６５Ｃの下端は非干渉部２４２、２４３に合わせて段状に形成されている。
【００７７】
ガイドレール支持部材１２０Ｃの内壁部２４０Ａ、２４０Ｂの下端部には左右端部を除く長手方向に、床側ガイドレール１３０Ｃが床面１７Ａと平行に装着されている。床側ガイドレール１３０Ｃは断面がＬ字形の２本のガイドレール部材１３１Ｃ、１３２Ｃから成る。ガイドレール部材１３１Ｃ、１３２Ｃは内壁部２４０Ａ、２４０Ｂの同じ高さに対向して平行に配置されている。床側ガイドレール１３０Ｃの垂直部１３３Ｃ、１３４Ｃがガイドレール支持部材１２０Ｃの内壁部２４０Ａ、２４０Ｂに固着されており、水平部１３５Ｃ、１３６Ｃが間隔Ｎの隙間を空けて対向配置されている（図５５、図６７（ｄ）参照）。水平部１３５Ｃ、１３６Ｃの下面１３７Ｃ、１３８Ｃとガイドレール支持部材１２０Ｃの下面２４１は全て床面１７Ａと平行かつ床面１７Ａより間隔Ｙだけ上の同一水平面内にある（図６６（ａ）参照）。水平部１３５Ｃ、１３６Ｃの上面１４０Ｃ、１４１Ｃは下面１３７Ｃ、１３８Ｃより材料の厚み分だけ上の同一の水平面内にある。水平部１３５Ｃ、１３６Ｃの長手方向の左右端部には左右端縁である出入り口１４２Ｃ、１４３Ｃに向けて次第に間隔が広くなるように斜めに切除された切除部２５０と２５１、２５２と２５３が形成されている。水平部１３５Ｃ、１３６Ｃにはガイドピン２１Ｃ、２２Ｃ、・・の内、ピン部材５２の可動ケース５３Ｃが長手方向に摺動自在に係合可能である。垂直部１３３Ｃ、１３４Ｃの間隔はＲであり、可動ケース５３Ｃの外径はＮより少しだけ小さく、蓋５５の外径はＮより大きくＲより小さく形成されている（図６７（ｄ）参照）。
【００７８】
枠体６１の下面６９の内、ガイドレール支持部材１２０Ｃの左右端部の内壁部２４０Ａと２４０Ｂの間には、第１実施例と同様に一対のキャスター１５０、１５０が装着されており、キャスター１５０、１５０が床面１７Ａの上を走行することで、間仕切り壁本体６０Ｃが円滑に直線移動または回転移動可能になっている。
床側のガイドピン２１Ｃ、２２Ｃ、・・のピン部材５２Ｃは通常は、圧縮コイルバネ１８３に付勢されて突起１８０がストッパ孔１８１の上端に当接した上方の床側第２の位置に復帰しており、蓋５５が床面１７Ａより少し上方に出ているが、上をキャスター１５０、１５０が通過する際は、圧縮コイルバネ１８３に抗して押下されて一時的に床側第１の位置に下降し、蓋５５が床面１７Ａに当接するので、走行の邪魔にならない。通過後は、ピン部材５２Ｃは元の上方位置に復帰する。
【００７９】
天井側のガイドレール支持部材７０Ｃ、天井側ガイドレール８０Ｃ、第１、第２の天井側引き出し部２００、２０１、床側のガイドレール支持部材１２０Ｃ、床側ガイドレール１３０Ｃは、間仕切り壁本体６０Ｃの前後方向の真ん中を通り左右上下に広がった鉛直面に対し前後対称に形成されているとともに、間仕切り壁本体６０Ｃの左右方向の真ん中を通り、前後上下に広がった鉛直面に対し左右対称に形成されている。
間仕切り壁本体６０Ｃの下端部の左側のキャスター１５０はガイドレール支持部材７０Ｃの内壁部１９１Ａと１９１Ｂの間のスペース部２６０の直下に設けられており、右側のキャスター１５０は内壁部１９３Ａと１９３Ｂの間のスペース部２６１の直下に設けられている。
正面パネル６２Ｃ、背面パネル６３Ｃ、側面パネル６４Ｃ、６５Ｃは上下方向の長さがガイドレール支持部材７０Ｃの上端からガイドレール支持部材１２０Ｃの下端までと同じ長さに形成されており、上端縁がガイドレール支持部材７０Ｃの上端と一致し、下端縁がガイドレール支持部材１２０Ｃの下端と一致するように枠体６１及びガイドレール支持部材７０Ｃ、１２０Ｃに装着されている。
【００８０】
間仕切り壁本体６０Ｃの長手方向の長さＬは天井側のガイドピン１１Ｃ、１２Ｃ、・・の間隔Ｍの２倍より少しだけ短く、間仕切り壁本体６０Ｃの長手方向が左右方向（ガイドピン１１Ｃ、１２Ｃ、・・を結んだ直線方向）と一致した向きで、間仕切り壁本体６０Ｃの長手方向の中央に上下一対のガイドピン１１Ｃとガイドピン２１Ｃ（または１２Ｃと２２Ｃ、・または１３Ｃと２３Ｃ、・・）が来たとき、隣接する一対のガイドピン１２Ｃとガイドピン２２Ｃ（または１１Ｃ，２１Ｃ及び１３Ｃ，２３Ｃ、または、１２Ｃ，２２Ｃ及び１４Ｃ，２４Ｃ）はスペース部２６１と右側のキャスター１５０の位置（または、スペース２６０部と左側のキャスター１５０の位置、及びスペース部２６１と右側のキャスター１５０の位置に来るようになっている。
従って、間仕切り壁本体６０Ｃの長手方向の中央に位置している天井側ガイドピンのピン部材３２Ｃが天井側ガイドレール８０Ｃに係合し、床側ガイドピンのピン部材５２Ｃが床側ガイドレール１３０Ｃに係合した状態にあれば、これらのピン部材３２Ｃ、５２Ｃを軸にして、間仕切り壁本体６０Ｃを水平面内で回転移動可能である。
【００８１】
また、天井側ガイドレール８０Ｃと床側ガイドレール１３０Ｃの長さはＭより長く形成されており、間仕切り壁本体６０Ｃの長手方向がガイドピン１１Ｃ、１２Ｃ・・を結んだ直線方向と一致した向きにあるとき、間仕切り壁本体６０Ｃの天井側ガイドレール８０Ｃと床側ガイドレール１３０Ｃにガイドピン１１Ｃと２１Ｃ、１２Ｃと２２Ｃ、・・のピン部材３２Ｃと５２Ｃの内、上下１対または２対が係合した状態で、左右方向に直線移動可能となっている。
【００８２】
次に上記した第２実施例の作用を図５９乃至図７０を参照して説明する。
予め、間仕切り壁本体６０Ｃが図５９の左寄り（図１の大空間３の前側端縁の左寄りに相当）に有り、長手方向がガイドピン１１Ｃ、１２Ｃ、・・の成す直線方向を向いており、長手方向の中央の天井側ガイドレール８０Ｃの水平部８５Ｃ、８６Ｃの下面９０Ｃ、９１Ｃに、ガイドピン１１Ｃのピン部材３２Ｃの蓋３５の上面３６が当接して係合し、長手方向の中央の床側ガイドレール１３０Ｃの水平部１３５Ｃ、１３６Ｃにガイドピン２１Ｃのピン部材５２Ｃの可動ケース５３Ｃが係合し、間仕切り壁本体６０Ｃが立設姿勢にあるものとする。
この際、隣接するガイドピン１２Ｃのピン部材３２Ｃは天井側第２の引き出し部２０１より右側の非干渉部１９７のスペース部２６１の箇所で圧縮コイルバネ４５により天井側第１の位置に上方復帰しており、蓋３５が天井面６Ａ近くに位置している（図６０（ａ）、図６１（ａ）、図６２（ａ）参照）。天井側の他のガイドピン１３Ｃ、・・も同様に上方復帰しており、目立たなくなっている。また、床側のガイドピン２２Ｃのピン部材５２Ｃは非干渉部２４３の箇所でキャスター１５０の真下で床側第１の位置に来ており、蓋５５が床面１７Ａに当接している（図６５（ａ）、図６６（ａ）、図６７（ａ）参照）。床側の他のガイドピン２３Ｃ、・・は蓋５５が圧縮コイルバネ１８３により床面１７Ａから上方に出た床側第２の位置に復帰している。従って、間仕切り壁本体６０Ｃは上下一対のガイドピン１１Ｃ、２１Ｃを中心に水平面内で回転移動可能であり、また、左右方向に直線移動可能である。
【００８３】
（１）水平面内での回転移動
ユーザが間仕切り壁本体６０Ｃの向きを前後方向に変えたい場合、例えば、正面パネル６２Ｃの左側を押すと、間仕切り壁本体６０Ｃはキャスター１５０、１５０により天井側のガイドピン１１Ｃのピン部材３２Ｃと床側のガイドピン２１Ｃのピン部材５２Ｃを軸として、平面視で時計回りに円滑に回転する（図５９（ｂ）参照）。従って、間仕切り壁本体６０Ｃの長手方向を立設姿勢のまま前後方向に向け、左側を前後に通過可能としたり、１８０度回転させて表裏反対向きとすることもできる。
【００８４】
（２）左右方向への直線移動
これと異なり、図５９（ａ）の間仕切り壁本体６０Ｃを右方向へ移動したい場合、取っ手６７に指を掛け、右方へ引く。間仕切り壁本体６０Ｃはキャスター１５０、１５０と第１、第２の天井側引き出し部２００、２０１のガイドローラ２１２、２１３により円滑に右方へ移動する。
最初、ガイドピン１２Ｃに第２の天井側引き出し部２０１の先端部が来たところで、蓋３５の周端部が誘導ガイドレール２０２の底板２０３と水平部２０６、２０７の間に入り、誘導ガイドレール２０２が右方へ移動するに従い、蓋３５の周端部下面の係合部３８が水平部２０６、２０７の下面２３１、２３２に係合したあと誘導ガイドレール２０２の傾斜に沿って摺動し、ピン部材３２Ｃが下方の天井側第２の位置に引き出される（図６０（ｂ）乃至（ｄ）、図６１（ｂ）乃至（ｄ）、図６２（ｂ）乃至（ｄ）、図６９（ａ）参照）。
そして、ヒンジ軸２１０、２１１を通過したところで蓋３５の係合部３８は天井側ガイドレール８０Ｃの右側の出入り口９３Ｃから水平部８５Ｃ、８６Ｃの下面９０Ｃ、９１Ｃに係合する（図６０（ｅ）、図６１（ｅ）、図６２（ｅ）、図６９（ｂ）参照）。圧縮コイルバネ４５が蓋３５を上方へ付勢しているので、その後、ガイドピン１２Ｃのピン部材３２Ｃと天井側ガイドレール８０Ｃの係合状態が保持されたまま間仕切り壁本体６０Ｃが右方へ移動する。ガイドピン１１Ｃのピン部材３２Ｃも、天井側ガイドレール８０Ｃとの係合状態が保持したまま間仕切り壁本体６０Ｃが右方へ移動する。
【００８５】
若し、誘導ガイドレール２０２の先端が接近した際に、ピン部材３２Ｃが前後方向に片寄っていても、可動ケース３３Ｃの外周が水平部２０６または２０７の切除部２０８または２０９に当接して中心寄りに押されるので、可動ケース３３Ｃが水平部２０６、２０７の間に正しく入るように誘導される（図６３（ａ）乃至（ｄ）参照）。
また、図６１に示す天井面６Ａと間仕切り壁本体６０Ｃの上端との隙間Ｘが、図６４のＸ’の如く広い場合でも、付勢手段２２１の圧縮コイルバネ２２８が誘導ガイドレール２０２の右端部を天井６へ押圧しているので、蓋３５の周端部が誘導ガイドレール２０２の底板２０３と水平部２０６、２０７の間に正しく入ることができ（図６４（ａ）、（ｂ）参照）、誘導ガイドレール２０２が右方へ移動するに従い、蓋３５の周端部下面の係合部３８が水平部２０６、２０７の下面２３１、２３２に係合したあと誘導ガイドレール２０２の傾斜に沿って摺動し、ピン部材３２Ｃが下方の天井側第２の位置に引き出される（図６４（ｃ）、（ｄ）参照）。そして、天井側ガイドレール８０Ｃの右側の出入り口９３Ｃから水平部８５Ｃ、８６Ｃの下面９０Ｃ、９１Ｃに正しく係合する（図６４（ｅ）参照）。
【００８６】
一方、床側のガイドピン２２Ｃのピン部材５２Ｃはキャスター１５０が通過後、圧縮コイルバネ１８３により元の上方の床側第２の位置に復帰する（図６５（ｂ）、図６６（ｂ）、図６７（ｂ）参照）。その状態で床側ガイドレール１３０Ｃの右側の出入り口１４３Ｃが接近する。そして、蓋５５の周端部がガイドレール部材１３１Ｃ、１３２Ｃの水平部１３５Ｃ、１３６Ｃの内、切除部２５２、２５３の有る右端部の上側に入り、ピン部材５２Ｃが水平部１３５Ｃ、１３６Ｃに長手方向へ摺動自在に係合する（図６５（ｃ）、（ｄ）、図６６（ｃ）、（ｄ）、図６７（ｃ）、（ｄ）参照）。この状態で間仕切り壁本体６０Ｃが右方へ移動する。ガイドピン２１Ｃのピン部材５２Ｃも、床側ガイドレール１３０Ｃとの係合状態を維持したまま間仕切り壁本体６０Ｃが右方へ移動する。
若し、図６８（ａ）に示す如く床側ガイドレール１３０Ｃの先端が接近した際に、ピン部材５２Ｃが前後方向に片寄っていても、可動ケース５３Ｃの外周が水平部１３５Ｃの切除部２５２または水平部１３６Ｃの切除部２５３に当接して床側ガイドレール１３０Ｃの中心寄りに押されるので、可動ケース５３Ｃが水平部１３５Ｃ、１３６Ｃの間に正しく入るように誘導される（図６８（ａ）乃至（ｄ）参照）。
【００８７】
このようにして、天井側のガイドピン１２Ｃのピン部材３２Ｃが天井側ガイドレール８０Ｃに係合し、床側のガイドピン２２Ｃのピン部材５２Ｃが床側ガイドレール１３０Ｃに係合すると、間仕切り壁本体６０Ｃは長手方向の２箇所が上下１対づつのピン部材３２Ｃ、５２Ｃで案内されるので、自立姿勢を保ちながら安定した直線移動を行なう（図６９（ｂ）参照）。
【００８８】
その後、ガイドピン１２Ｃとガイドピン２２Ｃが間仕切り壁本体６０Ｃの長手方向の真ん中に近づくと、左側のガイドピン１１Ｃが天井側ガイドレール８０Ｃとの出入り口９２Ｃに来る（図７０（ａ）参照）。そして、ガイドピン１１Ｃは蓋３５の係合部３８が第１の天井側引き出し部２００の誘導ガイドレール２０２の水平部２０６、２０７の下面２３１，２３２に係合し、傾斜に従い上方へ誘導され、先端に来たところで外れる。ピン部材３２Ｃは圧縮コイルバネ４５により上方付勢されて天井面６Ａより少しだけ出た天井側第１の位置に復帰状態となる（図７０（ｂ）参照）。間仕切り壁本体６０Ｃの左端部は右方へ移動するが、非干渉部１９６が上方復帰したピン部材３２Ｃより低いので衝突することはない。
これと平行して、床側のガイドピン２１Ｃは床側ガイドレール１３０Ｃから外れたあと、キャスター１５０が上に来たところで押し下げられてピン部材５２Ｃが床側第１の位置に降下し、蓋５５が床面１７Ａに当接する（図７０（ｂ）参照）。そして、キャスター１５０の通過後、圧縮コイルバネ１８３により上方付勢されて元の床側第２の位置に復帰する。間仕切り壁本体６０Ｃの左端部は右方へ移動するが、非干渉部２４２が蓋５５より高いので衝突することはない。
【００８９】
続いて、間仕切り壁本体６０Ｃの進行方向前方にあった天井側のガイドピン１３Ｃのピン部材３２Ｃの真下にスペース部２６１が来て、床側のガイドピン２３Ｃのピン部材５２Ｃの真上にキャスタ−１５０が来た後、前述と同様にしてガイドピン１３Ｃのピン部材３２Ｃが第２の天井側引き出し部２０１により引き下げられて、天井側ガイドレール８０Ｃに係合し、ガイドピン２３Ｃのピン部材５２Ｃが床側ガイドレール１８０Ｃに嵌合する。以下、同様の動作を繰り返しながら間仕切り壁本体６０Ｃが立設姿勢を保ちながら右方へ移動していくので、所望箇所に移動できる。
元の左寄りの状態に戻したい場合、左側の取っ手６６を掴み、左方向へ引けば前述と同様にして、立設姿勢を保ったまま左方向へ安定かつ円滑に移動できる。
なお、説明は省略するが、第１実施例と同様にして、間仕切り壁本体６０Ｃを図１の天井７の左端部の前後方向向きに移動したり、大空間３の右端部に移動して収納させることもできる。
【００９０】
この第２実施例によれば、天井６と床１７に上下に対向する一対のガイドピン１１Ｃと２１Ｃ、１２Ｃと２２Ｃ、・・、１４Ｃと２４Ｃを平面視で間隔Ｍかつ直線的に配設し、天井６と床１７の間に装備した長方形状の間仕切り壁本体６０Ｃの天井側端部と床側端部に設けたＭ以上の長さの天井側ガイドレール８０Ｃと床側ガイドレール１８０Ｃに、上下一対または隣接する二対のガイドピンのピン部材３２Ｃと５２Ｃが摺動自在に係合することにより、立設姿勢を保持させることができる。間仕切り壁本体６０Ｃの床側の左右端部にはキャスター１５０、１５０が付設されており、上下一対のガイドピン３２Ｃ、５２Ｃでの係合した状態の時は水平面内での円滑な回転移動または水平方向への円滑な直線移動が可能であり、隣接する上下二対のガイドピン３２Ｃ、５２Ｃでの係合した状態の時は水平方向への円滑な直線移動が可能である。
【００９１】
間仕切り壁本体６０Ｃから離れた位置にある天井側のガイドピンのピン部材３２Ｃは内蔵の圧縮コイルバネ４５によりピン部材３２Ｃが上方の天井側第１の位置に復帰し、目立たない。
間仕切り壁本体６０Ｃの天井側端部の左右端部には第１、第２の天井側引き出し部２００、２０１が設けてあり、天井側のガイドピンのピン部材３２Ｃは直線移動中の可動間仕切り壁本体６０Ｃが接近して来ると、第１、第２の天井側引き出し部２００または２０１により天井側第１の位置から天井側第２の位置に引き下げられながら天井側ガイドレール８０Ｃの出入り口９２Ｃまたは９３Ｃに誘導されて、ガイドレール部材８１Ｃ、８２Ｃに係合する。床側のガイドピンのピン部材５２Ｃは間仕切り壁本体６０が接近してくると、キャスター１５０、１５０により一旦、床側第１の位置へ押し下げられたあと圧縮コイルバネ１８３により再び上方の床側第２の位置へ復帰し、床側ガイドレール１８０Ｃの出入り口１４２Ｃまたは１４３Ｃからガイドレール部材１８１Ｃ、１８２Ｃに係合する。
【００９２】
反対に、天井側ガイドレール８０Ｃに係合状態にある天井側のガイドピンのピン部材３２Ｃは直線移動中の間仕切り壁本体６０Ｃの端部が接近して天井側ガイドレール８０Ｃの出入り口９２Ｃまたは９３Ｃに来ると、第１、第２の天井側引き出し部２００または２０１に誘導されながら上方へ移動し、第１、第２の天井側引き出し部２００または２０１から外れたところで、圧縮コイルバネ４５により上方付勢されて天井面６Ａ寄りの天井側第１の位置に復帰する。床側ガイドレール１３０Ｃに係合状態にある床側のガイドピンのピン部材５２は直線移動中の間仕切り壁本体６０Ｃの端部が接近して床側ガイドレール１８０Ｃの出入り口１４２Ｃまたは１４３Ｃに来ると出入り口１４２Ｃまたは１４３Ｃから円滑に脱出し、キャスター１５０、１５０により一旦、下方の床側第１の位置へ押し込まれたあと、圧縮コイルバネ１８３により上方付勢されて床側第２の位置に復帰する。
このようにして、間仕切り壁本体６０Ｃは立設姿勢を保ちながら水平方向へ円滑に直線移動できる。
【００９３】
若し間仕切り壁本体６０Ｃが接近し、第１、第２の引き出し部２００、２０１の先端に差し掛かったガイドピン１１Ｃ、１２Ｃ、・・のピン部材３２Ｃが前後方向に片寄っていても、誘導ガイドレール２０２の水平部２０６または２０７の切除部２０８または２０９に可動ケース３３Ｃの外周が当接して中心寄りに押されて、可動ケース３３Ｃの外周がガイドレール部材８１Ｃ、８２Ｃの水平部８５Ｃ、８６Ｃの間に正しく入るように誘導される。
同様に、間仕切り壁本体６０Ｃが接近し、床側ガイドレール１８０Ｃの出入り口１４２Ｃまたは１４３Ｃに差し掛かったガイドピン２１Ｃ、２２Ｃ、・・のピン部材５２Ｃが前後方向に片寄っていても、可動ケース５３Ｃの外周が切除部２５０または２５１（２５２または２５３）に当接して中心寄りに押されて、可動ケース５３Ｃの外周がガイドレール部材１３１Ｃ、１３２Ｃの水平部１３５Ｃ、１３６Ｃの間に正しく入るように誘導される。
【実施例３】
【００９４】
次に、図７１乃至図７６を参照して本発明の第３実施例を説明する。
図７１は可動間仕切り壁の使用状態を示す一部省略した断面図であり、図１の大空間３の前端縁の一部に相当する。図７２は図７１中の間仕切り壁本体の平面図、図７３は間仕切り壁本体の底面図、図７４は間仕切り壁本体の右端部の一部破断及び省略した斜視図、図７５は間仕切り壁本体の右上端部周りの組み立て図、図７６は間仕切り壁本体の右下端部周りの組み立て図である。なお、第１実施例と同一の構成部分には同一の符号が付してある。
前述した第１実施例では、間仕切り壁本体の上下端部の長手方向に設けた天井側ガイドレール、床側ガイドレールをともに一対の断面Ｌ字状のガイドレール部材を対向配置して構成し、水平部にガイドピンのピン部材の蓋を係合させるようにしたが、第３実施例では、第１実施例のガイドレール支持部材自体をガイドレール部材とし、ガイドレール部材の長手方向に係合溝部を設け、係合溝部の中に間隔を開けて長手方向に延設した一対の磁石板を備えるとともに、一対の磁石板の間に多数のガイドローラを長手方向に配設し、ガイドピンのピン部材を磁石板の方向へ磁力で吸引し、蓋をガイドローラに当接させながら、係合溝部に長手方向へ摺動自在に係合させるようにした。
【００９５】
図７１において、図１と同じ大空間３の天井６の一番手前側端縁の左右方向に距離Ｍずつ離して直線的に複数の天井側のガイドピン１１、１２、・・が配設されている。また、ガイドピン１１、１２、・・の直下の床１７に複数の床側のガイドピン２１、２２、・・が配設されている。これらのガイドピン１１、１２、・・、２１、２２、・・は第１実施例と全く同様に構成されており、かつ、室内１に全く同様に配設されている。
６０Ｄは方形板状の間仕切り壁本体であり、天井側のガイドピン１１、１２、・・と床側のガイドピン２１、２２、・・により、天井６と床１７の間で立設姿勢を保ちながら水平な左右方向への直線移動が案内されたり、上下に対向する一対のガイドピン１１と２１、１２と２２、・・により、鉛直軸の周りに回転移動可能となっている。間仕切り壁本体６０Ｄは長手方向の横幅がＬに形成されており、上下方向の縦幅が床１７と天井６（７）の間の高さより少しだけ小さく形成されている。間仕切り壁本体６０Ｄの下端部の長手方向の左右両端部には床１７に接するキャスター１５０、１５０が装着されており、間仕切り壁本体６０Ｄが床１７の上を円滑に移動可能になっている。
【００９６】
間仕切り壁本体６０Ｄは、図７１乃至図７６に示す如く、全体が方形で四マスの格子形に形成された枠体６１、枠体６１の正面側と背面側に装着された正面パネル６２と背面パネル６３、枠体６１の左側面と右側面に装着された側面パネル６４と６５を備えている。側面パネル６４、６５の内、高さ方向の中央より少し下側の位置に側面パネル６４、６５と枠体６１を貫通して装着された取っ手６６、６７が設けられている。
【００９７】
枠体６１の上面６８には左右方向に細長く延びた平面視が方形枠状のガイドレール部材３００が装着されている。ガイドレール部材３００は平面的に見た外形を成す四角形が枠体６１の上面６８の成す四角形と同形であり、上面６８に重ね合わせるようにして装着されている。ガイドレール部材３００には、左右端部を除く範囲で、対向する前側と後ろ側（間仕切り壁本体６０Ｄの正面側と背面側）に、左右方向に延びた内壁部３０１Ａと３０１Ｂが平行かつ間隔が狭く形成されている（但し、内壁部３０１Ａと３０１Ｂの間隔Ｅはピン部材３２の蓋３５の外径より大きい。図７２、図７８（ｂ）参照）。ガイドレール部材３００の左端部の内、間仕切り壁本体６０Ｄの左端寄りには前後に対向する内壁部３０２Ａ、３０２Ｂが並行かつ間隔が広く形成されている。内壁部３０１Ａと３０２Ａの間は斜行内壁部３０３Ａとなっており、内壁部３０１Ｂと３０２Ｂの間は斜行内壁部３０３Ｂとなっており、斜行内壁部３０３Ａと３０３Ｂの間隔は、間仕切り壁本体６０Ｄの左端に向かって次第に広くなっている。ガイドレール部材３００の右端部の内、間仕切り壁本体６０Ｄの右端寄りには前後に対向する内壁部３０４Ａ、３０４Ｂが並行かつ間隔が広く形成されている。内壁部３０１Ａと３０４Ａの間は斜行内壁部３０５Ａとなっており、内壁部３０１Ｂと３０４Ｂの間は斜行内壁部３０５Ｂとなっており、斜行内壁部３０５Ａと３０５Ｂの間隔は、間仕切り壁本体６０Ｄの右端に向かって次第に広くなっている。
【００９８】
ガイドレール部材３００の斜行内壁部３０３Ａ、内壁部３０１Ａ、斜行内壁部３０５Ａと、斜行内壁部３０３Ｂ、内壁部３０１Ｂ、斜行内壁部３０５Ｂの間に左右方向の全長にわたって、前後に対向するようにして断面が方形で長尺の磁石板３０６、３０７が間隔ｅを空けて水平かつ平行に装着されている（図７２、図７８（ａ）参照）。ガイドレール部材３００の上面３０８は天井面６Ａと平行かつ間隔Ｐだけ下の水平面内にある（図７９（ａ）参照）。一方、磁石板３０６、３０７の上面３０９、３１０はガイドレール部材３００の上面３０８より下の同一水平面内にある。磁石板３０６、３０７の間には、長手方向に等間隔離して多数の同形のガイドローラ３１１、３１１、・・が水平に並べて回転自在に配備されている。すなわち、磁石板３０６の背面と磁石板３０７の前面に各々薄く長尺の支持板３１２、３１３が対向して貼着されている。支持板３１２は磁石板３０６の背面と同形であり、支持板３１３は磁石板３０７の前面と同形である。これらの一対の支持板３１２、３１３の間に多数のガイドローラ３１１、３１１、・・が回転自在に軸支されている。多数のガイドローラ３１１、３１１、・・の上端は天井面６Ａと平行な同一の水平面内にあり、磁石板３０６、３０７の上面３０９、３１０より上で、かつガイドレール部材３００の上面３０８より下に来るようになっている。ガイドレール部材３００の内、斜行内壁部３０３Ａ、内壁部３０１Ａ、斜行内壁部３０５Ａと、斜行内壁部３０３Ｂ、内壁部３０１Ｂ、斜行内壁部３０５Ｂの間は係合溝部３１４を成し、天井側のガイドピン１１、１２、・・の内、ピン部材３２の蓋３５の外周が長手方向に摺動自在に係合する。蓋３５の外径は内壁部３０１Ａと３０１Ｂの間隔Ｅより小さく、磁石板３０６、３０７の間隔ｅより大きく形成されている。
ガイドレール部材３００の内壁部３０１Ａと３０１Ｂ、斜行内壁部３０３Ａと３０３Ｂ、３０５Ａと３０５Ｂ、磁石板３０６と３０７、支持板３１２と３１３、ガイドローラ３１１、３１１、・・により、天井側ガイドレール３１５が構成されている。
【００９９】
枠体６１の上面６８の内、ガイドレール部材３００の左端部の内壁部３０２Ａと３０２Ｂの間は、間仕切り壁本体６０Ｄの左端側にスペース部３５０が空けてあり、このスペース部３５０と磁石板３０６、３０７の左端の間に、スペーサ３５１を介して第１の天井側引き出し部としての四角錘台形のネオジム磁石３５２が装着されている。ネオジム磁石３５２の間仕切り壁本体６０Ｄの前後方向の幅はＥであり、間仕切り壁本体６０Ｄの前後方向に見た設置位置が丁度、一対の磁石板３０６の前面から磁石板３０７の背面までと一致するように位置を揃えて左右に直線的に並置されている（図７２参照）。ネオジム磁石３５２の傾斜部としての上面３５３は左端から右端に掛けて徐々に下がる傾斜面となっており、左端はガイドレール部材３００の上面３０８より少しだけ高く（但し、天井側のガイドピンのピン部材３２が圧縮コイルバネ４５に上方付勢されて蓋３５が天井側第１の位置に上方復帰し、天井面６Ａに当接した蓋３５の下面４６より低い）、右端はガイドローラ３１１、３１１、・・の上端と同じ高さになっている。
天井側のガイドピンの蓋３５の下面４６がガイドローラ３１１、３１１、・・の上端に当接するピン部材３２の位置を天井側第２の位置とすると、ピン部材３２の下方移動可能範囲の下限は天井側第２の位置より低く、ピン部材３２は天井側第１の位置と天井側第２の位置の間で昇降自在である。
【０１００】
ネオジム磁石３５２は間仕切り壁本体６０Ｄが左方へ移動する際に、進行方向前方にある天井側のガイドピンのピン部材３２の蓋３５を磁力で吸引し、天井面６Ａから引き下げて上面３５３に磁着させ、傾斜に従い天井側第２の位置へ降下させながら天井側ガイドレール３１５の出入り口３１６に誘導し、蓋３５の周端面を天井側ガイドレール３１５の案内溝部３１４の上端部に係合させたり、間仕切り壁本体６０Ｄが右方へ移動する際に、天井側ガイドレール３１５と係合状態にあったピン部材３２が出入り口３１６から脱出するときにネオジム磁石３５２の上面３５３に沿って上方へ復帰案内する機能を有する。
【０１０１】
枠体６１の上面６８の内、ガイドレール部材３００の右端部の内壁部３０４Ａと３０４Ｂの間は、間仕切り壁本体６０Ｄの右端側にスペース部３６０が空けてあり、このスペース部３６０と磁石板３０６、３０７の右端の間に、スペーサ３６１を介して第２の天井側引き出し部としての四角錘台形のネオジム磁石３６２が装着されている。ネオジム磁石３６２の間仕切り壁本体６０Ｄの前後方向の幅はＥであり、間仕切り壁本体６０Ｄの前後方向に見た設置位置が丁度、一対の磁石板３０６の前面から磁石板３０７の後面までと一致するように位置を揃えて左右に直線的に並置されている（図７２、図７８（ａ）参照）。ネオジム磁石３６２の傾斜部としての上面３６３は右端から左端に掛けて徐々に下がる傾斜面となっており、右端はガイドレール部材３００の上面３０８より少し高く（但し、天井側のガイドピンのピン部材３２が圧縮コイルバネ４５に上方付勢されて蓋３５が天井側第１の位置に上方復帰し、天井面６Ａに当接した蓋３５の下面４６より低い）、左端はガイドローラ３１１、３１１、・・の上端と同じ高さになっている。
【０１０２】
ネオジム磁石３６２は間仕切り壁本体６０Ｄが右方へ移動する際に、進行方向前方にある天井側のガイドピンのピン部材３２の蓋３５を磁力で吸引し、天井面６Ａから引き下げて上面３６３に磁着させ、傾斜に従い天井側第２の位置へ降下させながら天井側ガイドレール３１５の出入り口３１７に誘導し、蓋３５の周端面を天井側ガイドレール３１５の係合溝部３１４の上端部に係合させたり、間仕切り壁本体６０Ｄが左方へ移動する際に、天井側ガイドレール３１５と嵌合状態にあったピン部材３２が出入り口３１７から脱出するときにネオジム磁石３６２の上面３６３に沿って上方へ復帰案内する機能を有する。
【０１０３】
枠体６１の下面６９には左右方向に細長く延びた平面視が方形枠状のガイドレール部材４００が装着されている。ガイドレール部材４００は平面的に見た外形を成す四角形が枠体６１の下面６９の成す四角形と同形であり、下面６９に重ね合わせるようにして装着されている。ガイドレール部材４００には、左右端部を除く範囲で、対向する前側と後ろ側（間仕切り壁本体６０Ｄの正面側と背面側）に、左右方向に延びた内壁部４０１Ａと４０１Ｂが平行かつ間隔が狭く形成されている（但し、内壁部４０１Ａと４０１Ｂの間隔Ｅはピン部材５２の蓋５５の外径より大きい。図７３、図８２（ｂ）参照）。ガイドレール部材４００の左端部の内、間仕切り壁本体６０Ｄの左端寄りには前後に対向する内壁部４０２Ａ、４０２Ｂが並行かつ間隔が広く形成されている。内壁部４０１Ａと４０２Ａの間は斜行内壁部４０３Ａとなっており、内壁部４０１Ｂと４０２Ｂの間は斜行内壁部４０３Ｂとなっており、斜行内壁部４０３Ａと４０３Ｂの間隔は、間仕切り壁本体６０Ｄの左端に向かって次第に広くなっている。ガイドレール部材４００の右端部の内、間仕切り壁本体６０Ｄの右端寄りは前後に対向する内壁部４０４Ａ、４０４Ｂが並行かつ間隔が広く形成されている。内壁部４０１Ａと４０１Ａの間は斜行内壁部４０５Ａとなっており、内壁部４０１Ｂと４０４Ｂの間は斜行内壁部４０５Ｂとなっており、斜行内壁部４０５Ａと４０５Ｂの間隔は、間仕切り壁本体６０Ｄの右端に向かって次第に広くなっている。
【０１０４】
ガイドレール部材４００の斜行内壁部４０３Ａ、内壁部４０１Ａ、斜行内壁部４０５Ａと、斜行内壁部４０３Ｂ、内壁部４０１Ｂ、斜行内壁部４０５Ｂの間に左右方向の全長にわたって、前後に対向するようにして断面が方形で長尺の磁石板４０６、４０７が間隔ｅを空けて水平かつ平行に装着されている（図７３、図８２（ａ）参照）。ガイドレール部材４００の下面４０８は床面１７Ａと平行かつ間隔Ｑだけ上の水平面内にある（図８３（ａ）参照）。一方、磁石板４０６、４０７の下面４０９、４１０はガイドレール部材４００の下面４０８より上の同一水平面内にある。磁石板４０６、４０７の間には、長手方向に等間隔離して多数の同形のガイドローラ４１１、４１１、・・が水平に並べて回転自在に配備されている。すなわち、磁石板４０６の背面と磁石板４０７の前面に各々薄く長尺の支持板４１２、４１３が対向して貼着されている。支持板４１２は磁石板４０６の背面と同形であり、支持板４１３は磁石板４０７の前面と同形である。これらの一対の支持板４１２、４１３の間に多数のガイドローラ４１１、４１１、・・が回転自在に軸支されている。多数のガイドローラ４１１、４１１、・・の下端は床面１７Ａと平行な同一の水平面内にあり、磁石板４０６、４０７の下面４０９、４１０より下で、かつガイドレール部材４００の下面４０８より上に来るようになっている。ガイドレール部４００の内、斜行内壁部４０３Ａ、内壁部４１Ａ、斜行内壁部４０５Ａと、斜行内壁部４０３Ｂ、内壁部４０１Ｂ、斜行内壁部４０５Ｂの間は係合溝部４１４を成し、床側のガイドピン２１、２２、・・の内、ピン部材５２の蓋５５の外周が長手方向に摺動自在に係合する。蓋５５の外径は  内壁部４０１Ａと４０１Ｂの間隔Ｅより小さく、磁石板４０６、４０７の間隔ｅより大きく形成されている。
ガイドレール部材４００の内壁部４０１Ａと４０１Ｂ、斜行内壁部４０３Ａと４０３Ｂ、４０５Ａと４０５Ｂ、磁石板４０６と４０７、支持板４１２と４１３、ガイドローラ４１１、４１１、・・により、床側ガイドレール４１５が構成されている。
【０１０５】
枠体６１の下面６９の内、ガイドレール部材４００の左端部の内壁部４０２Ａと４０２Ｂの間は、間仕切り壁本体６０Ｄの左端側にキャスター１５０が設けてあり、このキャスター１５０と磁石板４０６、４０７の左端の間に、スペーサ４５１を介して第１の天井側引き出し部としての四角錘台形のネオジム磁石４５２が装着されている。ネオジム磁石４５２の間仕切り壁本体６０Ｄの前後方向の幅はＥであり、間仕切り壁本体６０Ｄの前後方向に見た設置位置が丁度、一対の磁石板４０６の前面から磁石板４０７の背面までと一致するように位置を揃えて左右に直線的に並置されている（図７３参照）。ネオジム磁石４５２の傾斜部としての下面４５３は左端から右端に掛けて徐々に上がる傾斜面となっており、左端はガイドレール部材４００の下面４０８より少しだけ低く（但し、床側のガイドピンのピン部材５２が自重で蓋５５が床側第１の位置に下方復帰し、床面１７Ａに当接した蓋５５の上面５９より高い）、右端はガイドローラ４１１、４１１、・・・の下端と同じ高さになっている。
床側のガイドピンの蓋５５の下面５６がガイドローラ４１１、４１１、・・の下端に当接するピン部材５２の位置を床側第２の位置とすると、ピン部材５２の上方移動可能範囲の上限は床側第２の位置より高く、ピン部材３２は床側第１の位置と床側第２の位置の間で昇降自在である。
【０１０６】
ネオジム磁石４５２は間仕切り壁本体６０Ｄが左方へ移動する際に、進行方向前方にある床側のガイドピンの床側第１の位置に復帰したピン部材５２の蓋５５を磁力で吸引し、床１７から引き上げて下面４５３に磁着させ、斜面に従い上昇させながら床側ガイドレール４１５の出入り口４１６近くの磁石板４０６、４０７に誘導し、蓋５５の周端面を床側ガイドレール４１５の係合溝部４１４の下端部に係合させたり、間仕切り壁本体６０Ｄが右方へ移動する際に、床側ガイドレール４１５と係合状態にあったピン部材５２が出入り口４１６から脱出するときにネオジム磁石４５２の下面４５３に沿って下方へ復帰案内する機能を有する。
【０１０７】
枠体６１の下面６９の内、ガイドレール部材４００の右端部の内壁部４０４Ａと４０４Ｂの間は、間仕切り壁本体６０Ｄの右端側にキャスター１５０が設けてあり、このキャスター１５０と磁石板４０６、４０７の右端の間に、スペーサ４６１を介して第２の床側引き出し部としての四角錘台形のネオジム磁石４６２が装着されている。ネオジム磁石４６２の間仕切り壁本体６０Ｄの前後方向の幅はＥであり、間仕切り壁本体６０Ｄの前後方向に見た設置位置が丁度、一対の磁石板４０６の前面から磁石板４０７の背面までと一致するように位置を揃えて左右に直線的に並置されている（図７３参照）。ネオジム磁石４６２の傾斜部としての下面４６３は右端から左端に掛けて徐々に上がる傾斜面となっており、右端はガイドレール部材４００の下面４０８より少しだけ低く（但し、床側のガイドピンのピン部材５２が自重で蓋５５が床側第１の位置に下方復帰し、床面１７Ａに当接した蓋５５の上面５９より高い）、左端はガイドローラ４１１、４１１、・・・の下端と同じ高さになっている（図８３（ａ）参照）。
【０１０８】
ネオジム磁石４６２は間仕切り壁本体６０Ｄが右方へ移動する際に、進行方向前方にある床側のガイドピンの床側第１の位置に復帰したピン部材５２の蓋５５を磁力で吸引し、床１７から引き上げて下面４６３に磁着させ、斜面に従い床側第２の位置に上昇させながら床側ガイドレール４１５の出入り口４１７近くの磁石板４０６、４０７に誘導し、蓋５５の周端面を床側ガイドレール４１５の係合溝部４１４の下端部に係合させたり、間仕切り壁本体６０Ｄが左方へ移動する際に、床側ガイドレール４１５に係合状態にあったピン部材５２が出入り口４１７から脱出するときにネオジム磁石４６２の下面４６３に沿って下方へ復帰案内する機能を有する。
【０１０９】
天井側のガイドレール部材３００、天井側ガイドレール３１５、スペース部３５０と３６０、ネオジム磁石３５２と３６２、床側のガイドレール部材４００、床側ガイドレール４１５、キャスター１５０、１５０、ネオジム磁石４５２、４６２は、間仕切り壁本体６０Ｄの前後方向の真ん中を通り左右上下に広がった鉛直面に対し前後対称に形成されているとともに、間仕切り壁本体６０Ｄの左右方向の真ん中を通り、前後上下に広がった鉛直面に対し左右対称に形成されている。
天井側のガイドレール部材３００、天井側ガイドレール３１５、ネオジム磁石３５２、３６２と、床側のガイドレール部材４００、床側ガイドレール４１５、ネオジム磁石４５１、４６１は、間仕切り壁本体６０Ｄの上下方向の真ん中を通り、前後左右に広がった水平面に対し上下対称に形成されている。
間仕切り壁本体６Ｄの下端部の左右のキャスター１５０、１５０は各々、上端部のスペース部３５０、３６０の直下に設けられている。
正面パネル６２、背面パネル６３、側面パネル６４、６５は上下方向の長さがガイドレール部材３００の上端からガイドレール部材４００の下端までと同じ長さに形成されており、上端縁がガイドレール部材３００の上端と一致し、下端縁がガイドレール部材４００の下端と一致するように枠体６１及びガイドレール部材３００、４００に装着されている。
【０１１０】
間仕切り壁本体６０Ｄの天井側端部の長手方向の左端と第１の天井側引き出し部としてのネオジム磁石３５２の間、間仕切り壁本体６０の天井側端部の長手方向の右端と第２の天井側引き出し部としてのネオジム磁石３６２の間は、天井側第１の位置に復帰したガイドピン１１、１２、・・のピン部材３２と干渉しないように形成されている。同様に、間仕切り壁本体６０Ｄの床側端部の長手方向の左端と第１の床側引き出し部としてのネオジム磁石４５２の間、間仕切り壁本体６０Ｄの床側端部の長手方向の右端と第２の床側引き出し部としてのネオジム磁石４６２の間は、床側第１の位置に復帰したガイドピン２１、２２、・・のピン部材５２と干渉しないように形成されている。
間仕切り壁本体６０Ｄの長手方向の長さＬは天井側のガイドピン１１、２１、・・の間隔Ｍの２倍より少しだけ短く、間仕切り壁本体６０Ｄの長手方向が左右方向（ガイドピン１１、１２、・・を結んだ直線方向）と一致した向きで、間仕切り壁本体６０Ｄの長手方向の中央に上下一対のガイドピン１１と２１（または１２と２２、・または１３と２３、・・）が来たとき、隣接する一対のガイドピン１２とガイドピン２２（または１１，２１及び１３，２３、または、１２，２２及び１４，２４）はスペース部３６０とこのスペース部３６０直下のキャスター１５０の位置（または、スペース部３５０とこのスペース部３５０直下のキャスター１５０の位置及びスペース部３６０とこのスペース部３６０直下のキャスター１５０の位置）に来て、天井側第１の位置と床側第１の位置に復帰するようになっている。
従って、間仕切り壁本体６０Ｄの長手方向の中央に位置しているピン部材３２が天井側ガイドレール３１５に嵌合し、ピン部材５２が床側ガイドレール４１５に係合した状態にあれば、これらのピン部材３２、５２を軸にして、長手方向が左右方向を向いた間仕切り壁本体６０Ｄを水平面内で回転可能である。
また、上下一対のガイドピン１４と２４（または１６と２６）だけのピン部材３２と５２が、天井側ガイドレール３１５の途中と床側ガイドレール４１５の途中に係合した状態にあり、他のいずれの上下一対のガイドピンも間仕切り壁本体６０Ｄから離間しているときも、これらのピン部材３２、５２を軸にして、間仕切り壁本体６０Ｄを水平面内で回転可能である。
【０１１１】
また、天井側ガイドレール３１５と床側ガイドレール４１５の長さはＭより長く形成されており、間仕切り壁本体６０Ｄの長手方向がガイドピン１１、１２・・を結んだ直線方向と一致した向きにあるとき、間仕切り壁本体６０Ｄの天井側ガイドレール３１５と床側ガイドレール４１５にガイドピン１１と２１、１２と２２、・・のピン部材３２と５２の内、上下１対または２対が係合した状態で、左右方向に直線移動可能となっている。
【０１１２】
次に上記した第３実施例の作用を図７７乃至図８６を参照して説明する。
予め、間仕切り壁本体６０Ｄが図７７（ａ）の左寄り（図１の大空間３の前側端縁の左寄りに相当）に有り、長手方向が天井側のガイドピン１１、１２、・・の成す直線方向を向いており、天井側ガイドレール３１５を構成する係合溝部３１４の上端部に、ガイドピン１１のピン部材３２が係合し（このときピン部材３２が磁石板３０６、３０７に吸引されて蓋３５の下面４６がガイドローラ３１１の上端に当接している）、床側ガイドレール４１５を構成する係合溝部４１４の下端部に、床側のガイドピン２１のピン部材５２が係合し（このときピン部材５２が磁石板４０６、４０７に吸引されて蓋５５の上面５９がガイドローラ４１１の下端に当接している）、間仕切り壁本体６０Ｄが立設姿勢にあるものとする。
この際、隣接する天井側のガイドピン１２のピン部材３２はスペース部３６０の真上で圧縮コイルバネ４５により天井側第１の位置に上方復帰しており、蓋３５が天井面６Ａに当接している（図７７（ａ）、図７８（ａ）、図７９（ａ）、図８０（ａ）参照）。天井側の他のガイドピン１３、・・のピン部材３２も同様に上方復帰しており、目立たなくなっている。また、床側のガイドピン２２のピン部材５２は右側のキャスター１５０の真下で床側第１の位置に復帰しており、蓋５５が床面１７Ａに当接している（図７７（ａ）、図８２（ａ）、図８３（ａ）、図８４（ａ）参照）。床側の他のガイドピン２３、・・のピン部材５２も自重で床側第１の位置に復帰しており蓋５５が床面１７Ａに当接している。
【０１１３】
このとき、間仕切り壁本体６０Ｄは上下一対の天井側のガイドピン１１のピン部材３２と床側のガイドピン２１のピン部材５２を軸として、水平面内で回転移動可能であり、また左右方向へ直線移動可能である。
（１）水平面内での回転移動
ユーザが間仕切り壁本体６０Ｄの向きを前後方向に変えたい場合、例えば、正面パネル６２の左側を押すと、間仕切り壁本体６０Ｄはキャスター１５０、１５０により天井側のガイドピン１１のピン部材３２と床側のガイドピン２１のピン部材５２を軸として、水平面内で時計回りに円滑に回転する（図７７（ｂ）参照）。従って、間仕切り壁本体６０Ｄの長手方向を立設姿勢のまま前後方向に向け、左側を前後に通過可能としたり、１８０度回転させて表裏反対向きとすることもできる。
【０１１４】
（２）左右方向への直線移動
これと異なり、図７７（ａ）の間仕切り壁本体６０Ｄを右方向へ移動したい場合、取っ手６７に指を掛け、右方へ引く。間仕切り壁本体６０Ｄはキャスター１５０、１５０により円滑に右方へ移動する。
最初、天井側のガイドピン１２のピン部材３２は、蓋３５の直下にネオジム磁石３６２が来たところで、ネオジム磁石３７及び蓋３５とネオジム磁石３６２の間に働く磁力で蓋３５が圧縮コイルバネ４５に抗して引き下げられてネオジム磁石３６２の上面３６３に磁着し、次に斜面に従って天井側第２の位置に降する（図７８（ｂ）乃至（ｄ）、図７９（ｂ）乃至（ｄ）、図８０（ｂ）乃至（ｄ）、図８５（ａ）参照）。天井側ガイドレール３１５の出入り口３１７に来ると、磁石板３０６、３０７により下方に吸引され、蓋３５の下面４６がガイドローラ３１１、３１１、・・の上端に当接しながらピン部材３２が出入り口３１７から天井側ガイドレール３１５に入り、係合溝部３１４の上端部に係合する（図７８（ｅ）、図７９（ｅ）、図８０（ｅ）参照）。そして、係合状態が保持されたまま間仕切り壁６０Ｄが右方へ移動する（図８５（ｂ）参照）。
若しネオジム磁石３６２の上面３６３に磁着したガイドピン１２のピン部材３２が前後方向に片寄っていても、ガイドレール部材３００の斜行内壁部３０５Ａまたは３０５Ｂに蓋３５の外周が当接して中心寄りに押されるので、蓋３５は内壁部３０１Ａ、３０１Ｂの間に正しく入るように誘導される（図８１（ａ）乃至（ｄ）参照）。
【０１１５】
天井側と平行して、床側のガイドピン２２は、ピン部材５２の蓋５５の直上にネオジム磁石４６２が来たところでネオジム磁石５７及び蓋５５とネオジム磁石４６２の間に働く磁力で蓋５５が重力に抗して引き上げられてネオジム磁石４６２の下面４６３に磁着し、次に斜面に従って床側第２の位置まで上昇する（図８２（ｂ）乃至（ｄ）、図８３（ｂ）乃至（ｄ）、図８４（ｂ）乃至（ｄ）、図８５（ａ）参照）。続いて床側ガイドレール４１５の出入り口４１７に来ると、磁石板４０６、４０７により上方に吸引され、蓋５５の上面５９がガイドローラ４１１、４１１、・・の下端に当接しながらピン部材５２が出入り口４１７から床側ガイドレール４１５に入り、係合溝部４１４の下端部に係合する（図８２（ｅ）、図８３（ｅ）、図８４（ｅ）参照）。そして、係合状態が保持されたまま間仕切り壁６０Ｄが右方へ移動する（図８５（ｂ）参照）。
若しネオジム磁石４６２の下面４６３に磁着したガイドピン２２のピン部材５２が前後方向に片寄っていても、ガイドレール部材４００の斜行内壁部４０５Ａまたは４０５Ｂに蓋５５の外周が当接して中心寄りに押されるので、蓋５５は内壁部４０１Ａ、４０１Ｂの間に正しく入るように誘導される。
【０１１６】
このようにして、天井側のガイドピン１２のピン部材３２と床側のガイドピン２２のピン部材５２が天井側ガイドレール３１５の係合溝部３１４と床側ガイドレール４１５の係合溝部４１４に嵌合すると、間仕切り壁本体６０Ｄは長手方向の２箇所が上下１対づつのピン部材３２、５２で案内されるので、自立姿勢を保ちながら安定した直線移動を行なう（図８５（ｂ）参照）。
【０１１７】
その後、天井側のガイドピン１２と床側のガイドピン２２が間仕切り壁本体６０Ｄの長手方向の真ん中に近づくと、左側のガイドピン１１と２１のピン部材３２と５２が天井側ガイドレール３１５と床側ガイドレール４１５の出入り口３１６、４１６を出て、ピン部材３２は蓋３５の下面４６がネオジム磁石３５２の上面３５３に磁着し、傾斜に従って上方へ移動し（図８６（ａ）参照）、上面３５３から外れたところで圧縮コイルバネ４５により上方付勢されて天井側第１の位置に復帰し、蓋３５の上面３６が天井面６Ａに当接する（図８６（ｂ）参照）。また、ピン部材５２は、蓋５５がネオジム磁石４５２の下面４５３に磁着し、傾斜に従って下方へ移動し（図８６（ａ）参照）、下面４５３から外れたところで自重により床側第１の位置に復帰し、蓋５５が床面１７Ａに当接する（図８６（ｂ）参照）。
【０１１８】
ほぼ同時に、間仕切り壁本体６０Ｄの進行方向前方にあった天井側のガイドピン１３のピン部材３２の真下にスペース部３６０が来て、床側のガイドピン２３のピン部材５２の真上にキャスタ−１５０が来た後、前述と同様にしてガイドピン１３のピン部材３２が磁力で天井面６Ａから引き下げられて、天井側ガイドレール３１５に係合し、ガイドピン２３のピン部材５２が磁力で引き上げられて床側ガイドレール４１５に係合する。以下、同様の動作を繰り返しながら間仕切り壁本体６０Ｄが立設姿勢を保ちながら右方へ移動していくので、所望箇所に移動できる。
元の左寄りの状態に戻したい場合、左側の取っ手６６を掴み、左方向へ引けば前述と同様にして、立設姿勢を保ったまま左方向へ安定かつ円滑に移動できる。
なお、説明は省略するが、第１実施例と同様にして、間仕切り壁本体６０Ｄを図１の天井７の左端部の前後方向向きに移動したり、大空間３の右端部に移動して収納させることもできる。
【０１１９】
この第３実施例によれば、間仕切り壁本体６０Ｄの天井側端部と床側端部に設けたＭ以上の長さの天井側ガイドレール３１５の係合溝部３１４に多数のガイドローラ３１１を挟んで長尺の磁石板３０６と３０７を対向装備し、床側ガイドレール４１５の係合溝部４１４に多数のガイドローラ４１１を挟んで長尺の磁石板４０６と４０７を対向装備し、上下一対または隣接する二対の天井側と床側のガイドピンのピン部材３２と５２が磁石板３０６と３０７の上面３０９と３１０、磁石板４０６と４０７の下面４０９と４１０に吸引されてガイドローラ３１１、３１１、・・、４１１、４１１、・・に当接しながら係合溝部３１４、４１４に長手方向に摺動自在に係合することにより、立設姿勢を保持させることができる。間仕切り壁本体６０Ｄの床側の左右両端部にはキャスター１５０、１５０が付設されており、上下一対のガイドピン３２、５２での嵌合時は水平面内での円滑な回転または水平方向への円滑な直線移動が可能であり、隣接する上下二対のガイドピン３２、５２での嵌合時は水平方向への円滑な直線移動が可能である。とくに天井側と床側のガイドピンのピン部材３２と５２がガイドローラ３１１、３１１、・・、４１１、４１１、・・に当接して摩擦抵抗が小さくなるので、直線移動時を極めて容易に行うことができる。
【０１２０】
間仕切り壁本体６０Ｄから離れた位置にある天井側のガイドピンのピン部材３２は内蔵の圧縮コイルバネ４５によりピン部材３２が天井側第１の位置に上方復帰し、蓋３５が天井面６Ａに当接し、床側のガイドピンのピン部材５２は自重により床側第１の位置に下方復帰し、蓋５５が床面１７Ａに当接し、目立たない。
間仕切り壁本体６０Ｄの天井側端部の左右端部には第１、第２の天井側引き出し部としてのネオジム磁石３５２と３６２、床側端部の左右端部には第１、第２の床側引き出し部としてのネオジム磁石４５２と４６２が設けてあり、天井側のガイドピンのピン部材３２は直線移動中の可動間仕切り壁本体６０Ｄが接近して来ると、内蔵のネオジム磁石３７及び蓋３５との間に働く磁力で吸引されてネオジム磁石３５２または３６２の上面３５３または３６３に磁着し、斜面従い天井側第２の位置まで下降しながら天井側ガイドレール３１５の出入り口３１６または３１７の磁石板３０６、３０７に誘導されたのち天井側ガイドレール３１５の係合溝部３１４に係合する。床側のガイドピンのピン部材５２は間仕切り壁本体６０Ｄが接近してくると、内蔵のネオジム磁石５７及び蓋５５との間に働く磁力で吸引されてネオジム磁石４５２または４６２の下面４５３または４６３に磁着し、斜面に従い上昇しながら床側ガイドレール４１５の出入り口４１６または４１７の磁石板４０６、４０７に誘導されたのち床側ガイドレール４１５の係合溝部４１４に係合する。
【０１２１】
反対に、天井側ガイドレール３１５の係合溝部３１４と係合状態にある天井側のガイドピンのピン部材３２は直線移動中の間仕切り壁本体６０Ｄの端部が接近して天井側ガイドレール３１５の出入り口３１６または３１７に来るとネオジム磁石３５２または３６２に磁着し、上面３５３または３６３の傾斜に従い上方へ移動し、ネオジム磁石３５２または３６２から外れたところで、圧縮コイルバネ４５により上方付勢されて天井側第１の位置に復帰する。床側ガイドレール４１５の係合溝部４１４と係合状態にある床側のガイドピンのピン部材５２は直線移動中の間仕切り壁本体６０Ｄの端部が接近して床側ガイドレール４１５の出入り口４１６または４１７に来るとネオジム磁石４５２または４６２に磁着し、下面４５３または４６３の傾斜に従い下方へ移動し、ネオジム磁石４５２または４６２から外れたところで、自重により床側第１の位置に復帰する。
このようにして、間仕切り壁本体６０Ｄは立設姿勢を保ちながら水平方向へ円滑に直線移動できる。
【０１２２】
若しネオジム磁石３５２（３６２）に磁着した天井側のガイドピンのピン部材３２が前後方向に片寄っていても、ガイドレール部材３００の斜行内壁部３０３Ａまたは３０３Ｂ（３０５Ａまたは３０５Ｂ）に蓋３５の外周が当接して中心寄りに押されて（図８１（ａ）乃至（ｄ）参照）、可動ケース３３の外周が天井側ガイドレール３１５の隙間に正しく入るように誘導される。
同様に、若しネオジム磁石４５２（４６２）に磁着したガイドピン２２のピン部材５２が前後方向に片寄っていても、ガイドレール部材４００の斜行内壁部４０３Ａまたは４０３Ｂ（４０５Ａまたは４０５Ｂ）に蓋５５の外周が当接して中心寄りに押されて、可動ケース５３の外周が床側ガイドレール４１５の隙間に正しく入るように誘導される。
【０１２３】
なお、上記した第３実施例における天井側のガイドピンと間仕切り壁本体の上端部（天井側ガイドレール、第１、第２の天井側引き出し部を含む）を、図１乃至図１８に示す第１実施例の如く変更したり、図４１乃至図４４に示す変形例の如く変更したり、図４５乃至図５８に示す第２実施例の如く変更しても良い。
また、第３実施例における床側のガイドピンと間仕切り壁本体の下端部（床側ガイドレール、第１、第２の床側側引き出し部、ガイドローラを含む）を、図１乃至図１８に示す第１実施例の如く変更したり、図４１乃至図４４に示す変形例の如く変更したり、図４５乃至図５８に示す第２実施例の如く変更しても良い。
また、前述した第２実施例における天井側のガイドピンと間仕切り壁本体の上端部（天井側ガイドレール、第１、第２の天井側引き出し部を含む）を、図１乃至図１８に示す第１実施例の如く変更したり、図７１乃至図７６に示す第３実施例の如く変更しても良い。
また、第２実施例における床側のガイドピンと間仕切り壁本体の下端部（床側ガイドレール、ガイドローラを含む）を、図１乃至図１８に示す第１実施例の如く変更したり、図７１乃至図７６に示す第３実施例の如く変更しても良い。
【０１２４】
また、上記した各実施例及びその変形例では、天井側と床側のガイドピンを図１、図２に示す位置に配設する場合を例に挙げて説明したが、本発明は何らこれに限定されるものでない。例えば、３組以上の上下に対向する上下一対の天井側のガイドピンと床側のガイドピンを天井と床に沿って水平に並べて直線的に配設する場合に、間隔をＭより長くしても良い（但し、ガイドピンの間隔は天井側ガイドレール、床側ガイドレールの長さより短くし、間仕切り壁本体の位置によらず、常に１以上の天井側のガイドピンが天井側ガイドレールに係合し、１以上の床側のガイドピンが床側ガイドレールに係合するようにする）。或いは、ガイドピンの間隔をＭより短くしても良い（この場合、直線的に配設された内の少なくとも両端の組以外の組の上下一対の天井側のガイドピンと床側のガイドピンの位置では方向変換ができなくなる）。
また、３組以上の上下に対向する上下一対の天井側のガイドピンと床側のガイドピンを天井と床に沿って水平に並べて直線的に配設する場合に、不等間隔としても良い（但し、間仕切り壁本体の位置によらず、常に１以上の天井側のガイドピンが天井側ガイドレールに係合し、１以上の床側のガイドピンが床側ガイドレールに係合するようにする）。
また、天井に水平方向に並べて直線状に配設された複数の天井側のガイドピンと、床に水平方向かつ平面的に見て天井側のガイドピンが成す直線と同じ直線方向に並べて配設された複数の床側のガイドピンは、必ずしも上下に対向する位置関係でなくても良く、例えば、一部の或る１組または複数組だけ上下に対向する位置関係とし、各々、方向変換点を成すようにしても良い。
また、方向変換点の上下一対の天井側のガイドピンと床側のガイドピンを含み各々直線的に配設された第１のガイドピン系列と第２のガイドピン系列は、平面的に見た場合の交差角は９０度、４５度、６０度など種々に設定することができ、またＴ字状に配設したり、十字状に配設したりしても良い。
【産業上の利用可能性】
【０１２５】
本発明は、家庭、公共施設、オフィスビル、ホテル、旅館等の屋内に設置する間仕切り壁に適用可能である。
【符号の説明】
【０１２６】
６、７  天井
１１乃至１６  天井側のガイドピン
１７  床
２１乃至２６  床側のガイドピン
３２、５２  ピン部材
６０  間仕切り壁本体
８０  天井側ガイドレール
９８  第１の天井側引き出し部
９９  第２の天井側引き出し部
１０１、１０２、１５１、１５２  ネオジム磁石
１３０  床側ガイドレール
１４８  第１の床側引き出し部
１４９  第２の床側引き出し部
【図１】
2019035291.tif 000003
【図２】
2019035291.tif 000004
【図３】
2019035291.tif 000005
【図４】
2019035291.tif 000006
【図５】
2019035291.tif 000007
【図６】
2019035291.tif 000008
【図７】
2019035291.tif 000009
【図８】
2019035291.tif 000010
【図９】
2019035291.tif 000011
【図１０】
2019035291.tif 000012
【図１１】
2019035291.tif 000013
【図１２】
2019035291.tif 000014
【図１３】
2019035291.tif 000015
【図１４】
2019035291.tif 000016
【図１５】
2019035291.tif 000017
【図１６】
2019035291.tif 000018
【図１７】
2019035291.tif 000019
【図１８】
2019035291.tif 000020
【図１９】
2019035291.tif 000021
【図２０】
2019035291.tif 000022
【図２１】
2019035291.tif 000023
【図２２】
2019035291.tif 000024
【図２３】
2019035291.tif 000025
【図２４】
2019035291.tif 000026
【図２５】
2019035291.tif 000027
【図２６】
2019035291.tif 000028
【図２７】
2019035291.tif 000029
【図２８】
2019035291.tif 000030
【図２９】
2019035291.tif 000031
【図３０】
2019035291.tif 000032
【図３１】
2019035291.tif 000033
【図３２】
2019035291.tif 000034
【図３３】
2019035291.tif 000035
【図３４】
2019035291.tif 000036
【図３５】
2019035291.tif 000037
【図３６】
2019035291.tif 000038
【図３７】
2019035291.tif 000039
【図３８】
2019035291.tif 000040
【図３９】
2019035291.tif 000041
【図４０】
2019035291.tif 000042
【図４１】
2019035291.tif 000043
【図４２】
2019035291.tif 000044
【図４３】
2019035291.tif 000045
【図４４】
2019035291.tif 000046
【図４５】
2019035291.tif 000047
【図４６】
2019035291.tif 000048
【図４７】
2019035291.tif 000049
【図４８】
2019035291.tif 000050
【図４９】
2019035291.tif 000051
【図５０】
2019035291.tif 000052
【図５１】
2019035291.tif 000053
【図５２】
2019035291.tif 000054
【図５３】
2019035291.tif 000055
【図５４】
2019035291.tif 000056
【図５５】
2019035291.tif 000057
【図５６】
2019035291.tif 000058
【図５７】
2019035291.tif 000059
【図５８】
2019035291.tif 000060
【図５９】
2019035291.tif 000061
【図６０】
2019035291.tif 000062
【図６１】
2019035291.tif 000063
【図６２】
2019035291.tif 000064
【図６３】
2019035291.tif 000065
【図６４】
2019035291.tif 000066
【図６５】
2019035291.tif 000067
【図６６】
2019035291.tif 000068
【図６７】
2019035291.tif 000069
【図６８】
2019035291.tif 000070
【図６９】
2019035291.tif 000071
【図７０】
2019035291.tif 000072
【図７１】
2019035291.tif 000073
【図７２】
2019035291.tif 000074
【図７３】
2019035291.tif 000075
【図７４】
2019035291.tif 000076
【図７５】
2019035291.tif 000077
【図７６】
2019035291.tif 000078
【図７７】
2019035291.tif 000079
【図７８】
2019035291.tif 000080
【図７９】
2019035291.tif 000081
【図８０】
2019035291.tif 000082
【図８１】
2019035291.tif 000083
【図８２】
2019035291.tif 000084
【図８３】
2019035291.tif 000085
【図８４】
2019035291.tif 000086
【図８５】
2019035291.tif 000087
【図８６】
2019035291.tif 000088
【手続補正書】
【提出日】平成29年10月9日(2017.10.9)
【手続補正１】
【補正対象書類名】特許請求の範囲
【補正対象項目名】全文
【補正方法】変更
【補正の内容】
【特許請求の範囲】
【請求項１】
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の下端部に係合部が形成されており、
床側ガイドピンは、床寄りで上をキャスターが通過可能な床側第１の位置と上方の床側第２の位置以上との間で昇降自在に支持されたピン部材を含み、
ピン部材の上端部に係合部が形成されており、
間仕切り壁本体は天井側端部に、
長手方向に沿って、間仕切り壁本体の長手方向の両端部を除く範囲に装備されて、１または隣接する複数の天井側ガイドピンの天井側第２の位置に在るピン部材の係合部が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、係合部を天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、
を備えるとともに床側端部に、
長手方向に沿って、間仕切り壁本体の長手方向の両端部を除く範囲に装備されて、１または隣接する複数の床側ガイドピンの床側第２の位置に在るピン部材の係合部が長手方向に摺動自在に係合可能な床側ガイドレールと、
床側ガイドレールの長手方向の両側でキャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備えたことを特徴とする可動間仕切り壁。
【請求項２】
天井側ガイドピンのピン部材は、少なくとも下端部が磁性部材または磁石または磁石付磁性部材から成り、
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、係合部を天井側ガイドレールの出入り口から天井側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴とする請求項１記載の可動間仕切り壁。
【請求項３】
天井側ガイドピンは、天井側第１の位置に在るとき、ピン部材の係合部と天井の間に隙間が空くようになっており、
第１、第２の天井側ガイドピン引き出し手段は、
一端側が天井側ガイドレールの出入り口に軸支され、他端側が間仕切り壁本体の長手方向の端近くへ延設されて上下回動自在であるとともに、ピン部材の係合部に摺動自在に係合可能な係合受け部を有する誘導ガイドレールと、
誘導ガイドレールの回動端側を上方へ付勢する付勢手段と、
誘導ガイドレールの回動端近くに天井に当接するように設けられて、誘導ガイドレールの係合受け部の回動端側を天井と天井側第１の位置に在るピン部材の係合部の間に位置させるガイドローラと、を備え、
天井側ガイドピンが間仕切り壁本体の長手方向の端から天井側ガイドレールの出入り口へ相対移動する間に、誘導ガイドレールを天井側第１の位置に復帰した状態にあるピン部材の係合部に係合させて天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材の係合部を誘導ガイドレールに係合させて天井側第２の位置から天井側第１の位置へ復帰させるようにしたこと、
を特徴とする請求項１記載の可動間仕切り壁。
【請求項４】
床側ガイドピンのピン部材は、
少なくとも上端部が磁性部材または磁石または磁石付磁性部材から形成されており、
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴とする請求項１乃至３の内のいずれか一項記載の可動間仕切り壁。
【請求項５】
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井から下方に突設したピン部材を含み、
床側ガイドピンは、床寄りで上をキャスターが通過可能な床側第１の位置と上方の床側第２の位置以上との間で昇降自在に支持されたピン部材を含み、
ピン部材の上端部に係合部が形成されており、
間仕切り壁本体は天井側端部に、
長手方向に沿って装備されて、１または隣接する複数の天井側ガイドピンのピン部材が長手方向に摺動自在に係合可能な天井側ガイドレールを備えるとともに、
床側端部に、
長手方向に沿って、間仕切り壁本体の長手方向の両端部を除く範囲に装備されて、１または隣接する複数の床側ガイドピンの床側第２の位置に在るピン部材の係合部が長手方向に摺動自在に係合可能な床側ガイドレールと、
床側ガイドレールの長手方向の両側に、キャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備えたことを特徴とする可動間仕切り壁。
【請求項６】
床側ガイドピンのピン部材は、
少なくとも上端部が磁性部材または磁石または磁石付磁性部材から成り、
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴とする請求項５記載の可動間仕切り壁。
【請求項７】
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井から下方に突設したピン部材を含み、
床側ガイドピンは、床寄りで上をキャスターが通過可能な床側第１の位置と上方の床側第２の位置以上との間で昇降自在に支持されたピン部材を含み、
ピン部材の少なくとも上端部が磁性部材または磁石または磁石付磁性部材により形成されており、
間仕切り壁本体は天井側端部に、
長手方向に沿って装備されて、１または隣接する複数の天井側ガイドピンのピン部材が長手方向に摺動自在に係合可能な天井側ガイドレールを備えるとともに、
床側端部に、
長手方向に沿って、間仕切り壁本体の長手方向の両端部を除く範囲に装備されて、１または隣接する複数の床側ガイドピンの床側第２の位置に在るピン部材が長手方向に摺動自在に係合可能な床側ガイドレールと、
床側ガイドレールの長手方向の両側に、キャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、床側ガイドレールの出入り口から床側ガイドレールに嵌合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備え、
床側ガイドレールは、
間仕切り壁本体の長手方向に沿って設けられて、１または隣接する複数の床側ガイドピンの床側第２の位置に在るピン部材が長手方向に摺動自在に係合可能な下に開口した係合溝部と、
係合溝部の上部に間仕切り壁本体の長手方向に沿って設けられて、係合溝部に嵌合した１または複数の床側ガイドピンのピン部材を磁力で上方へ吸引する吸引部材と、係合溝部の上部に間仕切り壁本体の長手方向に沿って配備されて、吸引部材により上方へ吸引された１または複数の床側ガイドピンのピン部材の上端に接して回転する多数のローラと、
を備えたことを特徴とする可動間仕切り壁。
【請求項８】
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴とする請求項７記載の可動間仕切り壁。
【請求項９】
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、下端側の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の下端部に係合部が形成されており、
床側ガイドピンは、床寄りで上をキャスターが通過可能な床側第１の位置と上方の床側第２の位置との間で昇降自在に支持されたピン部材と、
ピン部材を上方へ付勢する付勢手段とを含み、
間仕切り壁本体は天井側端部に、
長手方向に沿って、間仕切り壁本体の長手方向の両端部を除く範囲に装備されて、１または隣接する複数の天井側ガイドピンの天井側第２の位置に在るピン部材の係合部が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、係合部が天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、を備え、
床側端部に、
長手方向に沿ったキャスター間に装備されて、１または隣接する複数の床側ガイドピンの床側第２の位置に在るピン部材が長手方向に摺動自在に係合可能な床側ガイドレールを備えたこと、
を特徴とする可動間仕切り壁。
【請求項１０】
天井側ガイドピンのピン部材は、少なくとも下端部が磁性部材または磁石または磁石付磁性部材から成り、
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、係合部を天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させるようにしたこと、
を特徴とする請求項９記載の可動間仕切り壁。
【請求項１１】
天井側ガイドピンは、ピン部材が天井側第１の位置に在るとき、ピン部材の係合部と天井の間に隙間が空くようになっており、
第１、第２の天井側ガイドピン引き出し手段は、
一端側が天井側ガイドレールの出入り口に軸支され、他端側が間仕切り壁本体の長手方向の端近くへ延設されて上下回動自在であるとともに、ピン部材の係合部に長手方向に摺動自在に係合可能な係合受け部を有する誘導ガイドレールと、
誘導ガイドレールの回動端側を上方へ付勢する付勢手段と、
誘導ガイドレールの回動端近くに天井に当接するように設けられて、誘導ガイドレールの係合受け部の回動端側を天井と天井側第１の位置に在るピン部材の係合部の間に位置させるガイドローラと、を備え、
天井側ガイドピンが間仕切り壁本体の長手方向の端から天井側ガイドレールの出入り口へ相対移動する間に、誘導ガイドレールを天井側第１の位置に復帰した状態にあるピン部材の係合部に係合させて天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材の係合部を誘導ガイドレールに係合させて天井側第２の位置から天井側第１の位置へ復帰させるようにしたこと、
を特徴とする請求項９記載の可動間仕切り壁。
【請求項１２】
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の少なくとも下端部が磁性部材または磁石または磁石付磁性部材により形成されており、
床側ガイドピンは、床寄りで上をキャスターが通過可能な床側第１の位置と上方の床側第２の位置以上との間で昇降自在に支持されたピン部材を含み、
ピン部材の少なくとも上端部が磁性部材または磁石または磁石付磁性部材により形成されており、
間仕切り壁本体は、天井側端部に、
長手方向に沿って、間仕切り壁本体の長手方向の両端部を除く範囲に装備されて、１または隣接する複数の天井側ガイドピンの天井側第２の位置に在るピン部材が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、
を備えるとともに床側端部に、
長手方向に沿って、間仕切り壁本体の長手方向の両端部を除く範囲に装備されて、１または隣接する複数の床側ガイドピンの床側第２の位置に在るピン部材が長手方向に摺動自在に係合可能な床側ガイドレールと、
床側ガイドレールの長手方向の両側でキャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備え、更に、
天井側ガイドレールは、
間仕切り壁本体の長手方向に沿って設けられて、１または隣接する複数の天井側ガイドピンの天井側第２の位置に在るピン部材が長手方向に摺動自在に係合可能な上に開口した係合溝部と、
係合溝部の下部に間仕切り壁本体の長手方向に沿って設けられて、係合溝部に係合した１または隣接する複数の天井側ガイドピンのピン部材を磁力で下方へ吸引する吸引部材と、
係合溝部の下部に間仕切り壁本体の長手方向に沿って配備されて、吸引部材により下方へ吸引された１または隣接する複数の天井側ガイドピンのピン部材の下端に接して回転する多数のローラと、を備え、
床側ガイドレールは、
間仕切り壁本体の長手方向に沿って設けられて、１または隣接する複数の床側ガイドピンの床側第２の位置に在るピン部材が長手方向に摺動自在に係合可能な下に開口した係合溝部と、
係合溝部の上部に間仕切り壁本体の長手方向に沿って設けられて、係合溝部に係合した１または隣接する複数の床側ガイドピンのピン部材を磁力で上方へ吸引する吸引部材と、
係合溝部の上部に間仕切り壁本体の長手方向に沿って配備されて、吸引部材により上方へ吸引された１または隣接する複数の床側ガイドピンのピン部材の上端に接して回転する多数のローラと、を備えたこと、
を特徴とする可動間仕切り壁。
【請求項１３】
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させるようにしたこと、
を特徴とする請求項１２記載の可動間仕切り壁。
【請求項１４】
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴とする請求項１２または１３記載の可動間仕切り壁。
【請求項１５】
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の下端部に係合部が形成されており、
床側ガイドピンは、床寄りで上をキャスターが通過可能な床側第１の位置と上方の床側第２の位置以上との間で昇降自在に支持されたピン部材を含み、
ピン部材の少なくとも上端部が磁性部材または磁石または磁石付磁性部材により形成されており、
間仕切り壁本体は、天井側端部に、
長手方向に沿って、間仕切り壁本体の長手方向の両端部を除く範囲に装備されて、１または隣接する複数の天井側ガイドピンの天井側第２の位置に在るピン部材が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、係合部を天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、
を備えるとともに、床側端部に、
長手方向に沿って、長手方向の両端部を除く範囲に装備されて、１または隣接する複数の床側ガイドピンの床側第２の位置に在るピン部材が長手方向に摺動自在に係合可能な床側ガイドレールと、
床側ガイドレールの長手方向の両側でキャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備え、更に、
床側ガイドレールは、
間仕切り壁本体の長手方向に沿って設けられて、１または隣接する複数の床側ガイドピンの床側第２の位置に在るピン部材が長手方向に摺動自在に係合可能な下に開口した係合溝部と、
係合溝部の上部に間仕切り壁本体の長手方向に沿って設けられて、係合溝部に係合した１または隣接する複数の床側ガイドピンのピン部材を磁力で上方へ吸引する吸引部材と、
係合溝部の上部に間仕切り壁本体の長手方向に沿って配備されて、吸引部材により上方へ吸引された１または隣接する複数の床側ガイドピンのピン部材の上端に接して回転する多数のローラと、を備えたこと、
を特徴とする可動間仕切り壁。
【請求項１６】
天井側ガイドピンのピン部材は少なくとも下端部が磁性部材または磁石または磁石付磁性部材により形成されており、
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、係合部を天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させるようにしたこと、
を特徴とする請求項１５記載の可動間仕切り壁。
【請求項１７】
天井側ガイドピンは、ピン部材が天井側第１の位置に在るとき、ピン部材の係合部と天井の間に隙間が空くようになっており、
第１、第２の天井側ガイドピン引き出し手段は、
一端側が天井側ガイドレールの出入り口に軸支され、他端側が間仕切り壁本体の長手方向の端近くへ延設されて上下回動自在であるとともに、ピン部材の係合部に摺動自在に係合可能な係合受け部を有する誘導ガイドレールと、
誘導ガイドレールの回動端側を上方付勢する付勢手段と、
誘導ガイドレールの回動端近くに天井に当接するように設けられて、誘導ガイドレールの係合受け部の回動端側を天井と天井側第１の位置に在るピン部材の係合部の間に位置させるガイドローラと、を備え、
天井側ガイドピンが間仕切り壁本体の長手方向の端から天井側ガイドレールの出入り口へ相対移動する間に、誘導ガイドレールを天井側第１の位置に復帰した状態にあるピン部材の係合部に係合させて天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材の係合部を誘導ガイドレールに係合させて天井側第２の位置から天井側第１の位置へ復帰させるようにしたこと、
を特徴とする請求項１５記載の可動間仕切り壁。
【請求項１８】
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りからから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴とする請求項１５乃至１７の内のいずれか一項記載の可動間仕切り壁。    
【請求項１９】
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の少なくとも下端部が磁性部材または磁石または磁石付磁性部材により形成されており、
床側ガイドピンは、床寄りで上をキャスターが通過可能な床側第１の位置と上方の床側第２の位置以上との間で昇降自在に支持されたピン部材を含み、
ピン部材の上端部に係合部が形成されており、
間仕切り壁本体は、天井側端部に、
長手方向に沿って、間仕切り壁本体の長手方向の両端部を除く範囲に装備されて、１または隣接する複数の天井側ガイドピンの天井側第２の位置に在るピン部材が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、
を備えるとともに、床側端部に、
長手方向に沿って、間仕切り壁本体の長手方向の両端部を除く範囲に装備されて、１または隣接する複数の床側ガイドピンの床側第２の位置に在るピン部材が長手方向に摺動自在に係合可能な床側ガイドレールと、
床側ガイドレールの長手方向の両側でキャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備え、更に、
天井側ガイドレールは、
間仕切り壁本体の長手方向に沿って設けられて、１または隣接する複数の天井側ガイドピンの天井側第２の位置に在るピン部材が長手方向に摺動自在に係合可能な上に開口した係合溝部と、
係合溝部の下部に間仕切り壁本体の長手方向に沿って設けられて、係合溝部に係合した１または隣接する複数の天井側ガイドピンのピン部材を磁力で下方へ吸引する吸引部材と、
係合溝部の下部に間仕切り壁本体の長手方向に沿って配備されて、吸引部材により下方へ吸引された１または隣接する複数の天井側ガイドピンのピン部材の下端に接して回転する多数のローラと、を備えたこと、
を特徴とする可動間仕切り壁。
【請求項２０】
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させるようにしたこと、
を特徴とする請求項１９記載の可動間仕切り壁。
【請求項２１】
床側ガイドピンのピン部材は、
少なくとも上端部が磁性部材または磁石または磁石付磁性部材から形成されており、
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴とする請求項１９または２０記載の可動間仕切り壁。
【請求項２２】
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の少なくとも下端部が磁性部材または磁石または磁石付磁性部材により形成されており、
床側ガイドピンは、床寄りで上をキャスターが通過可能な床側第１の位置と上方の床側第２の位置との間で昇降自在に支持されたピン部材と、
ピン部材を上方へ付勢する付勢手段を含み、
間仕切り壁本体は、天井側端部に、
長手方向に沿って、間仕切り壁本体の長手方向の両端部を除く範囲に装備されて、１または隣接する複数の天井側ガイドピンの天井側第２の位置に在るピン部材が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、
を備えるとともに、床側端部に、
長手方向に沿ったキャスター間に装備されて、１または隣接する複数の床側ガイドピンの床側第２の位置に在るピン部材が長手方向に摺動自在に係合可能な床側ガイドレールを備え、
更に、
天井側ガイドレールは、
間仕切り壁本体の長手方向に沿って設けられて、１または隣接する複数の天井側ガイドピンの天井側第２の位置に在るピン部材が長手方向に摺動自在に係合可能な上に開口した係合溝部と、
係合溝部の下部に間仕切り壁本体の長手方向に沿って設けられて、係合溝部に係合した１または隣接する複数の天井側ガイドピンのピン部材を磁力で下方へ吸引する吸引部材と、
係合溝部の下部に間仕切り壁本体の長手方向に沿って配備されて、吸引部材により下方へ吸引された１または隣接する複数の天井側ガイドピンのピン部材の下端に接して回転する多数のローラと、を備えたこと、
を特徴とする可動間仕切り壁。
【請求項２３】
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させるようにしたこと、
を特徴とする請求項２２記載の可動間仕切り壁。
【請求項２４】
天井側ガイドピンと床側ガイドピンは、上下対向する位置に配設されており、
少なくとも一組の上下一対の天井側ガイドピンと床側ガイドピンの位置を方向変換点とし、方向変換点の上下一対の天井側ガイドピンと床側ガイドピンが間仕切り壁本体の天井側ガイドレールと床側ガイドレールの或る位置に係合したとき、他の天井側ガイドピンと床側ガイドピンが間仕切り壁本体から離間する位置に来るようにして、間仕切り壁本体を方向変換点の上下一対の天井側ガイドピンと床側ガイドピンを軸にして水平面内で回転自在としたこと、
を特徴とする請求項１乃至２３の内のいずれか一項記載の可動間仕切り壁。
【請求項２５】
前記直線上に配設された複数の天井側ガイドピンと複数の床側ガイドピンを第１のガイドピン系列とし、或る１つの方向変換点の上下一対の天井側ガイドピンと床側ガイドピンから見て、第１のガイドピン系列の配設方向とは異なる直線方向にも天井と床に水平方向に１または複数の天井側ガイドピンと１または複数の床側ガイドピンを追加して配設し、前記或る１つの方向変換点の一対の天井側ガイドピンと床側ガイドピン及びこれらと組み合わせて追加配設した１または複数の天井側ガイドピンと１または複数の床側ガイドピンを第２のガイドピン系列として、
間仕切り壁本体は長手方向が第２のガイドピン系列の方向を向いているとき、第２のガイドピン系列中の１または隣接する複数の天井側ガイドピンと１または隣接する複数の床側ガイドピンが天井側ガイドレールと床側ガイドレールに係合可能としたこと、
を特徴とする請求項２４記載の可動間仕切り壁。
【請求項２６】
天井側ガイドピンと床側ガイドピンは、上下対向する位置に等間隔で配設されており、
長手方向が天井側ガイドピンの配設方向を向いた間仕切り壁本体の長手方向中央に上下一対の天井側ガイドピンと床側ガイドピンが来たとき、隣接する天井側ガイドピンが有る場合は該隣接する天井側ガイドピンが間仕切壁本体の長手方向の端と第１、第２の天井側ガイドピン引き出し手段の間に設けられた非干渉部に来て、かつ隣接する床側ガイドピンが有る場合は該隣接する床側ガイドピンがキャスターの直下またはキャスターと間仕切り壁本体の端の間に設けられた非干渉部に来て、間仕切り壁本体の長手方向中央の天井側ガイドピンと床側ガイドピンを軸にして間仕切り壁本体を水平面内で回転自在としたこと、
を特徴とする請求項１乃至８、１２乃至２１の内のいずれか一項記載の可動間仕切り壁。
【請求項２７】
前記直線上に配設された複数の天井側ガイドピンと複数の床側ガイドピンを第１のガイドピン系列とし、第１のガイドピン系列の或る一組の上下一対の天井側ガイドピンと床側ガイドピンの位置を方向変換点とし、該方向変換点の上下一対の天井側ガイドピンと床側ガイドピンから見て、第１のガイドピン系列の配設方向とは異なる直線方向にも天井と床に水平方向に１または複数の天井側ガイドピンと１または複数の床側ガイドピンを追加して配設し、当該方向変換点の一対の天井側ガイドピンと床側ガイドピン及びこれらと組み合わせて追加配設した１または複数の天井側ガイドピンと１または複数の床側ガイドピンを第２のガイドピン系列とし、
間仕切り壁本体は長手方向が第２のガイドピン系列の方向を向いているとき、第２のガイドピン系列中の１または隣接する複数の天井側ガイドピンと１または隣接する複数の床側ガイドピンが天井側ガイドレールと床側ガイドレールに係合可能としたこと、
を特徴とする請求項２６記載の可動間仕切り壁。
【請求項２８】
第２のガイドピン系列の各天井側ガイドピンと各床側ガイドピンを上下対向して第１のガイドピン系列と同じ間隔で等間隔に配設したこと、
を特徴とする請求項２７記載の可動間仕切り壁。
【請求項２９】
天井側ガイドピンと床側ガイドピンは、上下対向する位置に等間隔で配設されており、
長手方向が天井側ガイドピンの配設方向を向いた間仕切り壁本体の長手方向中央に天井側ガイドピンと床側ガイドピンが来たとき、隣接する天井側ガイドピンが有る場合は該隣接する天井側ガイドピンは間仕切壁本体の長手方向の端と第１、第２の天井側ガイドピン引き出し手段の間に設けられた非干渉部に来て、隣接する床側ガイドピンが有る場合は該隣接する床側ガイドピンはキャスターの直下に来て、間仕切り壁本体の長手方向中央の天井側ガイドピンと床側ガイドピンを軸にして間仕切り壁本体を水平面内で回転自在としたこと、
を特徴とする請求項９乃至１１、２２、２３の内のいずれか一項記載の可動間仕切り壁。
【請求項３０】
前記直線上に配設された複数の天井側ガイドピンと複数の床側ガイドピンを第１のガイドピン系列とし、第１のガイドピン系列の或る一組の上下一対の天井側ガイドピンと床側ガイドピンの位置を方向変換点とし、該方向変換点の上下一対の天井側ガイドピンと床側ガイドピンから見て、第１のガイドピン系列の配設方向とは異なる直線方向にも天井と床に水平方向に１または複数の天井側ガイドピンと１または複数の床側ガイドピンを追加して配設し、当該方向変換点の一対の天井側ガイドピンと床側ガイドピン及びこれらと組み合わせて追加配設した１または複数の天井側ガイドピンと１または複数の床側ガイドピンを第２のガイドピン系列とし、
間仕切り壁本体は長手方向が第２のガイドピン系列の方向を向いているとき、第２のガイドピン系列中の１または隣接する複数の天井側ガイドピンと１または隣接する複数の床側ガイドピンが天井側ガイドレールと床側ガイドレールに係合可能としたこと、
を特徴とする請求項２９記載の可動間仕切り壁。
【請求項３１】
第２ガイドピン系列の各天井側ガイドピンと各床側ガイドピンを上下対向して第１のガイドピン系列と同じ間隔で等間隔に配設したこと、
を特徴とする請求項３０記載の可動間仕切り壁。
【手続補正２】
【補正対象書類名】明細書
【補正対象項目名】０００５
【補正方法】変更
【補正の内容】
【０００５】
請求項１記載の発明では、
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の下端部に係合部が形成されており、
床側ガイドピンは、床寄りで上をキャスターが通過可能な床側第１の位置と上方の床側第２の位置以上との間で昇降自在に支持されたピン部材を含み、
ピン部材の上端部に係合部が形成されており、
間仕切り壁本体は天井側端部に、
長手方向に沿って、間仕切り壁本体の長手方向の両端部を除く範囲に装備されて、１または隣接する複数の天井側ガイドピンの天井側第２の位置に在るピン部材の係合部が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、係合部を天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、
を備えるとともに床側端部に、
長手方向に沿って、間仕切り壁本体の長手方向の両端部を除く範囲に装備されて、１または隣接する複数の床側ガイドピンの床側第２の位置に在るピン部材の係合部が長手方向に摺動自在に係合可能な床側ガイドレールと、
床側ガイドレールの長手方向の両側でキャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備えたことを特徴としている。
請求項２記載の発明では、
天井側ガイドピンのピン部材は、少なくとも下端部が磁性部材または磁石または磁石付磁性部材から成り、
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、係合部を天井側ガイドレールの出入り口から天井側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴としている。
請求項３記載の発明では、
天井側ガイドピンは、天井側第１の位置に在るとき、ピン部材の係合部と天井の間に隙間が空くようになっており、
第１、第２の天井側ガイドピン引き出し手段は、
一端側が天井側ガイドレールの出入り口に軸支され、他端側が間仕切り壁本体の長手方向の端近くへ延設されて上下回動自在であるとともに、ピン部材の係合部に摺動自在に係合可能な係合受け部を有する誘導ガイドレールと、
誘導ガイドレールの回動端側を上方へ付勢する付勢手段と、
誘導ガイドレールの回動端近くに天井に当接するように設けられて、誘導ガイドレールの係合受け部の回動端側を天井と天井側第１の位置に在るピン部材の係合部の間に位置させるガイドローラと、を備え、
天井側ガイドピンが間仕切り壁本体の長手方向の端から天井側ガイドレールの出入り口へ相対移動する間に、誘導ガイドレールを天井側第１の位置に復帰した状態にあるピン部材の係合部に係合させて天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材の係合部を誘導ガイドレールに係合させて天井側第２の位置から天井側第１の位置へ復帰させるようにしたこと、
を特徴としている。
請求項４記載の発明では、
床側ガイドピンのピン部材は、
少なくとも上端部が磁性部材または磁石または磁石付磁性部材から形成されており、
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴としている。
請求項５記載の発明では、
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井から下方に突設したピン部材を含み、
床側ガイドピンは、床寄りで上をキャスターが通過可能な床側第１の位置と上方の床側第２の位置以上との間で昇降自在に支持されたピン部材を含み、
ピン部材の上端部に係合部が形成されており、
間仕切り壁本体は天井側端部に、
長手方向に沿って装備されて、１または隣接する複数の天井側ガイドピンのピン部材が長手方向に摺動自在に係合可能な天井側ガイドレールを備えるとともに、
床側端部に、
長手方向に沿って、間仕切り壁本体の長手方向の両端部を除く範囲に装備されて、１または隣接する複数の床側ガイドピンの床側第２の位置に在るピン部材の係合部が長手方向に摺動自在に係合可能な床側ガイドレールと、
床側ガイドレールの長手方向の両側に、キャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備えたことを特徴としている。
請求項６記載の発明では、
床側ガイドピンのピン部材は、
少なくとも上端部が磁性部材または磁石または磁石付磁性部材から成り、
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴としている。
請求項７記載の発明では、
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井から下方に突設したピン部材を含み、
床側ガイドピンは、床寄りで上をキャスターが通過可能な床側第１の位置と上方の床側第２の位置以上との間で昇降自在に支持されたピン部材を含み、
ピン部材の少なくとも上端部が磁性部材または磁石または磁石付磁性部材により形成されており、
間仕切り壁本体は天井側端部に、
長手方向に沿って装備されて、１または隣接する複数の天井側ガイドピンのピン部材が長手方向に摺動自在に係合可能な天井側ガイドレールを備えるとともに、
床側端部に、
長手方向に沿って、間仕切り壁本体の長手方向の両端部を除く範囲に装備されて、１または隣接する複数の床側ガイドピンの床側第２の位置に在るピン部材が長手方向に摺動自在に係合可能な床側ガイドレールと、
床側ガイドレールの長手方向の両側に、キャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備え、
床側ガイドレールは、
間仕切り壁本体の長手方向に沿って設けられて、１または隣接する複数の床側ガイドピンの床側第２の位置に在るピン部材が長手方向に摺動自在に係合可能な下に開口した係合溝部と、
係合溝部の上部に間仕切り壁本体の長手方向に沿って設けられて、係合溝部に係合した１または複数の床側ガイドピンのピン部材を磁力で上方へ吸引する吸引部材と、係合溝部の上部に間仕切り壁本体の長手方向に沿って配備されて、吸引部材により上方へ吸引された１または複数の床側ガイドピンのピン部材の上端に接して回転する多数のローラと、
を備えたことを特徴としている。
請求項８記載の発明では、
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴としている。
請求項９記載の発明では、
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、下端側の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の下端部に係合部が形成されており、
床側ガイドピンは、床寄りで上をキャスターが通過可能な床側第１の位置と上方の床側第２の位置との間で昇降自在に支持されたピン部材と、
ピン部材を上方へ付勢する付勢手段とを含み、
間仕切り壁本体は天井側端部に、
長手方向に沿って、間仕切り壁本体の長手方向の両端部を除く範囲に装備されて、１または隣接する複数の天井側ガイドピンの天井側第２の位置に在るピン部材の係合部が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、係合部が天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、を備え、
床側端部に、
長手方向に沿ったキャスター間に装備されて、１または隣接する複数の床側ガイドピンの床側第２の位置に在るピン部材が長手方向に摺動自在に係合可能な床側ガイドレールを備えたこと、
を特徴としている。
請求項１０記載の発明では、
天井側ガイドピンのピン部材は、少なくとも下端部が磁性部材または磁石または磁石付磁性部材から成り、
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、係合部を天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させるようにしたこと、
を特徴としている。
請求項１１記載の発明では、
天井側ガイドピンは、ピン部材が天井側第１の位置に在るとき、ピン部材の係合部と天井の間に隙間が空くようになっており、
第１、第２の天井側ガイドピン引き出し手段は、
一端側が天井側ガイドレールの出入り口に軸支され、他端側が間仕切り壁本体の長手方向の端近くへ延設されて上下回動自在であるとともに、ピン部材の係合部に長手方向に摺動自在に係合可能な係合受け部を有する誘導ガイドレールと、
誘導ガイドレールの回動端側を上方へ付勢する付勢手段と、
誘導ガイドレールの回動端近くに天井に当接するように設けられて、誘導ガイドレールの係合受け部の回動端側を天井と天井側第１の位置に在るピン部材の係合部の間に位置させるガイドローラと、を備え、
天井側ガイドピンが間仕切り壁本体の長手方向の端から天井側ガイドレールの出入り口へ相対移動する間に、誘導ガイドレールを天井側第１の位置に復帰した状態にあるピン部材の係合部に係合させて天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材の係合部を誘導ガイドレールに係合させて天井側第２の位置から天井側第１の位置へ復帰させるようにしたこと、
を特徴としている。
請求項１２記載の発明では、
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の少なくとも下端部が磁性部材または磁石または磁石付磁性部材により形成されており、
床側ガイドピンは、床寄りで上をキャスターが通過可能な床側第１の位置と上方の床側第２の位置以上との間で昇降自在に支持されたピン部材を含み、
ピン部材の少なくとも上端部が磁性部材または磁石または磁石付磁性部材により形成されており、
間仕切り壁本体は、天井側端部に、
長手方向に沿って、間仕切り壁本体の長手方向の両端部を除く範囲に装備されて、１または隣接する複数の天井側ガイドピンの天井側第２の位置に在るピン部材が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、
を備えるとともに床側端部に、
長手方向に沿って、間仕切り壁本体の長手方向の両端部を除く範囲に装備されて、１または隣接する複数の床側ガイドピンの床側第２の位置に在るピン部材が長手方向に摺動自在に係合可能な床側ガイドレールと、
床側ガイドレールの長手方向の両側でキャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備え、更に、
天井側ガイドレールは、
間仕切り壁本体の長手方向に沿って設けられて、１または隣接する複数の天井側ガイドピンの天井側第２の位置に在るピン部材が長手方向に摺動自在に係合可能な上に開口した係合溝部と、
係合溝部の下部に間仕切り壁本体の長手方向に沿って設けられて、係合溝部に係合した１または隣接する複数の天井側ガイドピンのピン部材を磁力で下方へ吸引する吸引部材と、
係合溝部の下部に間仕切り壁本体の長手方向に沿って配備されて、吸引部材により下方へ吸引された１または隣接する複数の天井側ガイドピンのピン部材の下端に接して回転する多数のローラと、を備え、
床側ガイドレールは、
間仕切り壁本体の長手方向に沿って設けられて、１または隣接する複数の床側ガイドピンの床側第２の位置に在るピン部材が長手方向に摺動自在に係合可能な下に開口した係合溝部と、
係合溝部の上部に間仕切り壁本体の長手方向に沿って設けられて、係合溝部に係合した１または隣接する複数の床側ガイドピンのピン部材を磁力で上方へ吸引する吸引部材と、
係合溝部の上部に間仕切り壁本体の長手方向に沿って配備されて、吸引部材により上方へ吸引された１または隣接する複数の床側ガイドピンのピン部材の上端に接して回転する多数のローラと、を備えたこと、
を特徴としている。
請求項１３記載の発明では、
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させるようにしたこと、
を特徴としている。
請求項１４記載の発明では、
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴としている。
請求項１５記載の発明では、
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の下端部に係合部が形成されており、
床側ガイドピンは、床寄りで上をキャスターが通過可能な床側第１の位置と上方の床側第２の位置以上との間で昇降自在に支持されたピン部材を含み、
ピン部材の少なくとも上端部が磁性部材または磁石または磁石付磁性部材により形成されており、
間仕切り壁本体は、天井側端部に、
長手方向に沿って、間仕切り壁本体の長手方向の両端部を除く範囲に装備されて、１または隣接する複数の天井側ガイドピンの天井側第２の位置に在るピン部材が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、係合部を天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、
を備えるとともに、床側端部に、
長手方向に沿って、長手方向の両端部を除く範囲に装備されて、１または隣接する複数の床側ガイドピンの床側第２の位置に在るピン部材が長手方向に摺動自在に係合可能な床側ガイドレールと、
床側ガイドレールの長手方向の両側でキャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備え、更に、
床側ガイドレールは、
間仕切り壁本体の長手方向に沿って設けられて、１または隣接する複数の床側ガイドピンの床側第２の位置に在るピン部材が長手方向に摺動自在に係合可能な下に開口した係合溝部と、
係合溝部の上部に間仕切り壁本体の長手方向に沿って設けられて、係合溝部に係合した１または隣接する複数の床側ガイドピンのピン部材を磁力で上方へ吸引する吸引部材と、
係合溝部の上部に間仕切り壁本体の長手方向に沿って配備されて、吸引部材により上方へ吸引された１または隣接する複数の床側ガイドピンのピン部材の上端に接して回転する多数のローラと、を備えたこと、
を特徴としている。
請求項１６記載の発明では、
天井側ガイドピンのピン部材は少なくとも下端部が磁性部材または磁石または磁石付磁性部材により形成されており、
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、係合部を天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させるようにしたこと、
を特徴としている。
請求項１７記載の発明では、
天井側ガイドピンは、ピン部材が天井側第１の位置に在るとき、ピン部材の係合部と天井の間に隙間が空くようになっており、
第１、第２の天井側ガイドピン引き出し手段は、
一端側が天井側ガイドレールの出入り口に軸支され、他端側が間仕切り壁本体の長手方向の端近くへ延設されて上下回動自在であるとともに、ピン部材の係合部に摺動自在に係合可能な係合受け部を有する誘導ガイドレールと、
誘導ガイドレールの回動端側を上方付勢する付勢手段と、
誘導ガイドレールの回動端近くに天井に当接するように設けられて、誘導ガイドレールの係合受け部の回動端側を天井と天井側第１の位置に在るピン部材の係合部の間に位置させるガイドローラと、を備え、
天井側ガイドピンが間仕切り壁本体の長手方向の端から天井側ガイドレールの出入り口へ相対移動する間に、誘導ガイドレールを天井側第１の位置に復帰した状態にあるピン部材の係合部に係合させて天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材の係合部を誘導ガイドレールに係合させて天井側第２の位置から天井側第１の位置へ復帰させるようにしたこと、
を特徴としている。
請求項１８記載の発明では、
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りからから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴としている。
請求項１９記載の発明では、
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の少なくとも下端部が磁性部材または磁石または磁石付磁性部材により形成されており、
床側ガイドピンは、床寄りで上をキャスターが通過可能な床側第１の位置と上方の床側第２の位置以上との間で昇降自在に支持されたピン部材を含み、
ピン部材の上端部に係合部が形成されており、
間仕切り壁本体は、天井側端部に、
長手方向に沿って、間仕切り壁本体の長手方向の両端部を除く範囲に装備されて、１または隣接する複数の天井側ガイドピンの天井側第２の位置に在るピン部材が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、
を備えるとともに、床側端部に、
長手方向に沿って、間仕切り壁本体の長手方向の両端部を除く範囲に装備されて、１または隣接する複数の床側ガイドピンの床側第２の位置に在るピン部材が長手方向に摺動自在に係合可能な床側ガイドレールと、
床側ガイドレールの長手方向の両側でキャスターと床側ガイドレールの出入り口の間に装備されて、床側ガイドピンがキャスター位置から床側ガイドレールの出入り口へ相対移動する間に、床側第１の位置に復帰した状態にあるピン部材を床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させる第１、第２の床側ガイドピン引き出し手段と、
を備え、更に、
天井側ガイドレールは、
間仕切り壁本体の長手方向に沿って設けられて、１または隣接する複数の天井側ガイドピンの天井側第２の位置に在るピン部材が長手方向に摺動自在に係合可能な上に開口した係合溝部と、
係合溝部の下部に間仕切り壁本体の長手方向に沿って設けられて、係合溝部に係合した１または隣接する複数の天井側ガイドピンのピン部材を磁力で下方へ吸引する吸引部材と、
係合溝部の下部に間仕切り壁本体の長手方向に沿って配備されて、吸引部材により下方へ吸引された１または隣接する複数の天井側ガイドピンのピン部材の下端に接して回転する多数のローラと、を備えたこと、
を特徴としている。
請求項２０記載の発明では、
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させるようにしたこと、
を特徴としている。
請求項２１記載の発明では、
床側ガイドピンのピン部材は、
少なくとも上端部が磁性部材または磁石または磁石付磁性部材から形成されており、
第１、第２の床側ガイドピン引き出し手段は、
キャスターと床側ガイドレールの出入り口の間に装備されて床側ガイドピンのピン部材を磁力で吸引する吸引部材を含み、
この吸引部材の下面にキャスター寄りから床側ガイドレールの出入り口側に向けて斜めに上昇する傾斜部が形成されており、床側ガイドピンがキャスター位置から床側ガイドレールの出入り口へ相対移動する間に、床側第１の位置に復帰した状態にあるピン部材を磁力で床側第２の位置以上に引き上げ、係合部を床側ガイドレールの出入り口から床側ガイドレールに係合可能とし、反対に床側ガイドピンが床側ガイドレールの出入り口からキャスター位置に相対移動する間に、ピン部材を床側第２の位置から床側第１の位置へ復帰させるようにしたこと、
を特徴としている。
請求項２２記載の発明では、
天井に水平方向へ直線上に並べて配設された複数の天井側ガイドピンと、
床に天井側ガイドピンの配設方向と平行な水平方向へ直線上に並べて配設された複数の床側ガイドピンと、
天井側ガイドピンと床側ガイドピンにより、天井と床の間で立設姿勢を保ちながら水平方向への直線移動が案内されるとともに、床側端部の長手方向の両端近くにキャスターを備えた方形で可動の間仕切り壁本体と、
を備え、
天井側ガイドピンは、天井寄りの天井側第１の位置と下方の天井側第２の位置以下との間で昇降自在に支持されたピン部材と、
ピン部材を上方へ付勢する付勢手段とを含み、
ピン部材の少なくとも下端部が磁性部材または磁石または磁石付磁性部材により形成されており、
床側ガイドピンは、床寄りで上をキャスターが通過可能な床側第１の位置と上方の床側第２の位置との間で昇降自在に支持されたピン部材と、
ピン部材を上方へ付勢する付勢手段を含み、
間仕切り壁本体は、天井側端部に、
長手方向に沿って、間仕切り壁本体の長手方向の両端部を除く範囲に装備されて、１または隣接する複数の天井側ガイドピンの天井側第２の位置に在るピン部材が長手方向に摺動自在に係合可能な天井側ガイドレールと、
天井側ガイドレールの長手方向の両側に装備されて、天井側ガイドピンが間仕切り壁本体の長手方向の端から天井側ガイドレールの出入り口へ相対移動する間に、天井側第１の位置に復帰した状態にあるピン部材を天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させる第１、第２の天井側ガイドピン引き出し手段と、
を備えるとともに、床側端部に、
長手方向に沿ったキャスター間に装備されて、１または隣接する複数の床側ガイドピンの床側第２の位置に在るピン部材が長手方向に摺動自在に係合可能な床側ガイドレールを備え、
更に、
天井側ガイドレールは、
間仕切り壁本体の長手方向に沿って設けられて、１または隣接する複数の天井側ガイドピンの天井側第２の位置に在るピン部材が長手方向に摺動自在に係合可能な上に開口した係合溝部と、
係合溝部の下部に間仕切り壁本体の長手方向に沿って設けられて、係合溝部に係合した１または隣接する複数の天井側ガイドピンのピン部材を磁力で下方へ吸引する吸引部材と、
係合溝部の下部に間仕切り壁本体の長手方向に沿って配備されて、吸引部材により下方へ吸引された１または隣接する複数の天井側ガイドピンのピン部材の下端に接して回転する多数のローラと、を備えたこと、
を特徴としている。
請求項２３記載の発明では、
第１、第２の天井側ガイドピン引き出し手段は、
間仕切り壁本体の長手方向の端と天井側ガイドレールの出入り口の間に装備されて天井側ガイドピンのピン部材を磁力で吸引する吸引部材を含み、
この吸引部材の上面に間仕切り壁本体の長手方向の端側から天井側ガイドレールの出入り口側に向けて斜めに下降する傾斜部が形成されており、天井側ガイドピンが間仕切り壁本体の長手方向の端から天井側ガイドレールの出入り口へ相対移動する間に、天井側第１の位置に復帰した状態にあるピン部材を磁力で天井側第２の位置以下に引き下げ、天井側ガイドレールの出入り口から天井側ガイドレールに係合可能とし、反対に天井側ガイドピンが天井側ガイドレールの出入り口から間仕切り壁本体の端へ相対移動する間に、ピン部材を天井側第２の位置から天井側第１の位置へ復帰させるようにしたこと、
を特徴としている。
請求項２４記載の発明では、
天井側ガイドピンと床側ガイドピンは、上下対向する位置に配設されており、
少なくとも一組の上下一対の天井側ガイドピンと床側ガイドピンの位置を方向変換点とし、方向変換点の上下一対の天井側ガイドピンと床側ガイドピンが間仕切り壁本体の天井側ガイドレールと床側ガイドレールの或る位置に係合したとき、他の天井側ガイドピンと床側ガイドピンが間仕切り壁本体から離間する位置に来るようにして、間仕切り壁本体を方向変換点の上下一対の天井側ガイドピンと床側ガイドピンを軸にして水平面内で回転自在としたこと、
を特徴としている。
請求項２５記載の発明では、
前記直線上に配設された複数の天井側ガイドピンと複数の床側ガイドピンを第１のガイドピン系列とし、或る１つの方向変換点の上下一対の天井側ガイドピンと床側ガイドピンから見て、第１のガイドピン系列の配設方向とは異なる直線方向にも天井と床に水平方向に１または複数の天井側ガイドピンと１または複数の床側ガイドピンを追加して配設し、前記或る１つの方向変換点の一対の天井側ガイドピンと床側ガイドピン及びこれらと組み合わせて追加配設した１または複数の天井側ガイドピンと１または複数の床側ガイドピンを第２のガイドピン系列として、
間仕切り壁本体は長手方向が第２のガイドピン系列の方向を向いているとき、第２のガイドピン系列中の１または隣接する複数の天井側ガイドピンと１または隣接する複数の床側ガイドピンが天井側ガイドレールと床側ガイドレールに係合可能としたこと、
を特徴としている。
請求項２６記載の発明では、
天井側ガイドピンと床側ガイドピンは、上下対向する位置に等間隔で配設されており、
長手方向が天井側ガイドピンの配設方向を向いた間仕切り壁本体の長手方向中央に上下一対の天井側ガイドピンと床側ガイドピンが来たとき、隣接する天井側ガイドピンが有る場合は該隣接する天井側ガイドピンが間仕切壁本体の長手方向の端と第１、第２の天井側ガイドピン引き出し手段の間に設けられた非干渉部に来て、かつ隣接する床側ガイドピンが有る場合は該隣接する床側ガイドピンがキャスターの直下またはキャスターと間仕切り壁本体の端の間に設けられた非干渉部に来て、間仕切り壁本体の長手方向中央の天井側ガイドピンと床側ガイドピンを軸にして間仕切り壁本体を水平面内で回転自在としたこと、
を特徴としている。
請求項２７記載の発明では、
前記直線上に配設された複数の天井側ガイドピンと複数の床側ガイドピンを第１のガイドピン系列とし、第１のガイドピン系列の或る一組の上下一対の天井側ガイドピンと床側ガイドピンの位置を方向変換点とし、該方向変換点の上下一対の天井側ガイドピンと床側ガイドピンから見て、第１のガイドピン系列の配設方向とは異なる直線方向にも天井と床に水平方向に１または複数の天井側ガイドピンと１または複数の床側ガイドピンを追加して配設し、当該方向変換点の一対の天井側ガイドピンと床側ガイドピン及びこれらと組み合わせて追加配設した１または複数の天井側ガイドピンと１または複数の床側ガイドピンを第２のガイドピン系列とし、
間仕切り壁本体は長手方向が第２のガイドピン系列の方向を向いているとき、第２のガイドピン系列中の１または隣接する複数の天井側ガイドピンと１または隣接する複数の床側ガイドピンが天井側ガイドレールと床側ガイドレールに係合可能としたこと、
を特徴としている。
請求項２８記載の発明では、
第２のガイドピン系列の各天井側ガイドピンと各床側ガイドピンを上下対向して第１のガイドピン系列と同じ間隔で等間隔に配設したこと、
を特徴としている。
請求項２９記載の発明では、
天井側ガイドピンと床側ガイドピンは、上下対向する位置に等間隔で配設されており、
長手方向が天井側ガイドピンの配設方向を向いた間仕切り壁本体の長手方向中央に天井側ガイドピンと床側ガイドピンが来たとき、隣接する天井側ガイドピンが有る場合は該隣接する天井側ガイドピンは間仕切壁本体の長手方向の端と第１、第２の天井側ガイドピン引き出し手段の間に設けられた非干渉部に来て、隣接する床側ガイドピンが有る場合は該隣接する床側ガイドピンはキャスターの直下に来て、間仕切り壁本体の長手方向中央の天井側ガイドピンと床側ガイドピンを軸にして間仕切り壁本体を水平面内で回転自在としたこと、
を特徴としている。
請求項３０記載の発明では、
前記直線上に配設された複数の天井側ガイドピンと複数の床側ガイドピンを第１のガイドピン系列とし、第１のガイドピン系列の或る一組の上下一対の天井側ガイドピンと床側ガイドピンの位置を方向変換点とし、該方向変換点の上下一対の天井側ガイドピンと床側ガイドピンから見て、第１のガイドピン系列の配設方向とは異なる直線方向にも天井と床に水平方向に１または複数の天井側ガイドピンと１または複数の床側ガイドピンを追加して配設し、当該方向変換点の一対の天井側ガイドピンと床側ガイドピン及びこれらと組み合わせて追加配設した１または複数の天井側ガイドピンと１または複数の床側ガイドピンを第２のガイドピン系列とし、
間仕切り壁本体は長手方向が第２のガイドピン系列の方向を向いているとき、第２のガイドピン系列中の１または隣接する複数の天井側ガイドピンと１または隣接する複数の床側ガイドピンが天井側ガイドレールと床側ガイドレールに係合可能としたこと、
を特徴としている。
請求項３１記載の発明では、
第２のガイドピン系列の各天井側ガイドピンと各床側ガイドピンを上下対向して第１のガイドピン系列と同じ間隔で等間隔に配設したこと、
を特徴としている。